(57)【要約】      （修正有）【課題】帯域内テレメトリを用いた仮想トランスポンダーのためのシステムを提供する。【解決手段】ホステッドペイロードオペレーションセンター（ＨＯＣ）は、暗号化されたホステッドコマンドをホスト宇宙船オペレーションセンター（ＳＯＣ）へ送信する。更に、ホストＳＯＣは、暗号化されたホストコマンドと、暗号化されたホステッドコマンドとをビークル２１０へ送信する。また、暗号化されていないホストコマンド及び／又は暗号化されていないホステッドコマンドに従って、ビークルのペイロードを再構成する。加えて、ペイロードデータを、ホスト受信アンテナ及び／又はホステッド受信アンテナへ送信する。また、暗号化されたホストテレメトリをホストＳＯＣへ送信する。加えて、暗号化されたホステッドテレメトリをホステッド受信アンテナへ送信する。更に、ホステッド受信アンテナによって、暗号化されたホステッドテレメトリをＨＯＣへ送信する。【選択図】図２Ａ
2018186489.tif 000002
【特許請求の範囲】
【請求項１】
帯域内テレメトリを用いた仮想トランスポンダーのための方法であって、
ホステッドペイロード（ＨｏＰ）オペレーションセンター（ＨＯＣ）によって、暗号化されたホステッドコマンドをホスト宇宙船オペレーションセンター（ＳＯＣ）へ送信することと、
前記ホストＳＯＣによって、暗号化されたホストコマンドと、前記暗号化されたホステッドコマンドとをビークルへ送信することであって、前記暗号化されたホストコマンドが第１の通信保全（ＣＯＭＳＥＣ）多様性を用いて暗号化され、前記暗号化されたホステッドコマンドが第２のＣＯＭＳＥＣ多様性を用いて暗号化される、送信することと、
暗号化されていないホストコマンドを生成するために、前記ビークルの第１の通信保全モジュールによって、前記第１のＣＯＭＳＥＣ多様性を用いて、前記暗号化されたホストコマンドを復号することと、
暗号化されていないホステッドコマンドを生成するために、前記ビークルの第２の通信保全モジュールによって、前記第２のＣＯＭＳＥＣ多様性を用いて、前記暗号化されたホステッドコマンドを復号することと、
前記暗号化されていないホストコマンド又は前記暗号化されていないホステッドコマンドのうちの少なくとも１つに従って、前記ビークルのペイロードを再構成することと、
前記ビークルのペイロードアンテナによって、ペイロードデータを、ホスト受信アンテナ又はホステッド受信アンテナのうちの少なくとも１つへ送信することと、
暗号化されたホストテレメトリを生成するために、前記第１の通信保全モジュールによって、前記第１のＣＯＭＳＥＣ多様性を用いることによって、前記ペイロードからの暗号化されていないホストテレメトリを暗号化することと、
暗号化されたホステッドテレメトリを生成するために、前記第２の通信保全モジュールによって、前記第２のＣＯＭＳＥＣ多様性を用いることによって、前記ペイロードからの暗号化されていないホステッドテレメトリを暗号化することと、
前記暗号化されたホストテレメトリを前記ホストＳＯＣへ送信することと、
前記暗号化されたホステッドテレメトリを前記ＨＯＣへ送信することと
を含む方法。
【請求項２】
前記暗号化されていないホストコマンド又は前記暗号化されていないホステッドコマンドのうちの少なくとも１つに従って前記ペイロードを再構成することは、トランスポンダーの電力、トランスポンダーのスペクトル監視、トランスポンダーの接続性、トランスポンダーの利得設定、トランスポンダーのリミッタ設定、トランスポンダーの自動レベル制御設定、トランスポンダーの位相設定、内部利得発生、少なくとも１つのビームの帯域幅、前記少なくとも１つのビームのうちの少なくとも１つにおける少なくとも１つの周波数帯、トランスポンダーのビームフォーミング設定、前記少なくとも１つのビームのうちの少なくとも１つにおける実効輻射電力（ＥＩＲＰ）、トランスポンダーのチャネル、又はビームステアリングのうちの少なくとも１つを調節することを含む、請求項１に記載の方法。
【請求項３】
前記暗号化されていないホストコマンド又は前記暗号化されていないホステッドコマンドのうちの少なくとも１つに従って前記ペイロードを再構成することは、少なくとも１つのアンテナ、少なくとも１つのアナログデジタル変換器、少なくとも１つのデジタルアナログ変換器、少なくとも１つのビームフォーマー、少なくとも１つのデジタルチャネライザ、少なくとも１つの復調器、少なくとも１つの変調器、少なくとも１つのデジタルスイッチマトリックス、少なくとも１つのデジタル結合器、又は少なくとも１つのアナログスイッチマトリックスのうちの少なくとも１つを再構成することを含む、請求項１又は２に記載の方法。
【請求項４】
前記ビークルは飛行ビークルであり、前記飛行ビークルは、衛星、航空機、無人航空機（ＵＡＶ）、又は宇宙往還機のうちの１つである、請求項１から３のいずれか一項に記載の方法。
【請求項５】
更に、前記暗号化されたホストコマンドを作成するために、前記ホストＳＯＣによって、前記第１のＣＯＭＳＥＣ多様性を用いることによって、前記暗号化されていないホストコマンドを暗号化することと、
前記暗号化されたホステッドコマンドを作成するために、前記ＨＯＣによって、前記第２のＣＯＭＳＥＣ多様性を用いることによって、前記暗号化されていないホステッドコマンドを暗号化することと
を含む、請求項１から４のいずれか一項に記載の方法。
【請求項６】
更に、前記ビークルのホストコマンド受信器によって、前記暗号化されたホストコマンドを受信することと、
前記ビークルのホステッドコマンド受信器によって、前記暗号化されたホステッドコマンドを受信することと、
前記ホストコマンド受信器によって、前記暗号化されたホストコマンドを前記第１の通信保全モジュールへ送信することと、
前記ホステッドコマンド受信器によって、前記暗号化されたホステッドコマンドを前記第２の通信保全モジュールへ送信することと
を含む、請求項１から５のいずれか一項に記載の方法。
【請求項７】
更に、前記第１の通信保全モジュールによって、前記暗号化されていないホストコマンドを前記ペイロードへ送信することと、
前記第２の通信保全モジュールによって、前記暗号化されていないホステッドコマンドを前記ペイロードへ送信することと
を含む、請求項１から６のいずれか一項に記載の方法。
【請求項８】
更に、前記ペイロードによって、前記暗号化されていないホストテレメトリを前記第１の通信保全モジュールへ送信することと、
前記ペイロードによって、前記暗号化されていないホステッドテレメトリを前記第２の通信保全モジュールへ送信することと
を含む、請求項１から７のいずれか一項に記載の方法。
【請求項９】
更に、前記第１の通信保全モジュールによって、前記暗号化されたホストテレメトリをホストテレメトリ送信器へ送信することと、
前記第２の通信保全モジュールによって、前記暗号化されたホステッドテレメトリを前記ペイロードへ送信することと
を含む、請求項１から８のいずれか一項に記載の方法。
【請求項１０】
更に、前記暗号化されていないホストテレメトリを生成するために、前記ホストＳＯＣによって、前記第１のＣＯＭＳＥＣ多様性を用いて、前記暗号化されたホストテレメトリを復号することと、
前記暗号化されていないホステッドテレメトリを生成するために、前記ＨＯＣによって、前記第２のＣＯＭＳＥＣ多様性を用いて、前記暗号化されたホステッドテレメトリを復号することと
を含む、請求項１に記載の方法。
【請求項１１】
前記暗号化されたホストテレメトリを送信すること、又は前記暗号化されたホステッドテレメトリを送信することは更に、
前記ビークルの前記ペイロードアンテナによって、前記暗号化されたホストテレメトリ、又は前記暗号化されたホステッドテレメトリのうちの少なくとも１つを送信することを含む、請求項１から１０のいずれか一項に記載の方法。
【請求項１２】
テレメトリ送信器によって、前記暗号化されたホストテレメトリ又は前記暗号化されたホステッドテレメトリのうちの１つが送信され、前記テレメトリ送信器は、前記ペイロードアンテナとは異なる周波数帯で送信する、請求項１１に記載の方法。
【請求項１３】
前記暗号化されたホストテレメトリは、前記ペイロードアンテナによって、１）前記ＳＯＣへ直接送信すること、又は２）ホスト受信アンテナへ送信してから前記ＳＯＣへ送信することのうちの少なくとも１つを介して前記ＳＯＣへ送信される、請求項１１に記載の方法。
【請求項１４】
前記暗号化されたホステッドテレメトリは、前記ペイロードアンテナによって、１）前記ＨＯＣへ直接送信すること、２）前記ＳＯＣへ送信してから前記ＨＯＣへ送信すること、３）ホステッド受信アンテナへ送信してから前記ＨＯＣへ送信すること、４）前記ホステッド受信アンテナへ送信してから前記ＳＯＣへ送信し、その後前記ＨＯＣへ送信すること、又は５）前記ホスト受信アンテナへ送信してから前記ＳＯＣへ送信し、その後前記ＨＯＣへ送信することのうちの少なくとも１つを介して前記ＨＯＣへ送信される、請求項１１又は１３に記載の方法。
【請求項１５】
帯域内テレメトリを用いた仮想トランスポンダーのためのシステムであって、
暗号化されたホステッドコマンドをホスト宇宙船オペレーションセンター（ＳＯＣ）へ送信するホステッドペイロード（ＨｏＰ）オペレーションセンター（ＨＯＣ）と、
暗号化されたホストコマンドと前記暗号化されたホステッドコマンドをビークルへ送信する前記ホストＳＯＣであって、前記暗号化されたホストコマンドは、第１の通信保全（ＣＯＭＳＥＣ）多様性を用いて暗号化され、前記暗号化されたホステッドコマンドは、第２のＣＯＭＳＥＣ多様性を用いて暗号化される、ホストＳＯＣと、
暗号化されていないホストコマンドを生成するために、前記第１のＣＯＭＳＥＣ多様性を用いて前記暗号化されたホストコマンドを復号する、前記ビークルの第１の通信保全モジュールと、
暗号化されていないホステッドコマンドを生成するために、前記第２のＣＯＭＳＥＣ多様性を用いて、前記暗号化されたホステッドコマンドを復号する、前記ビークルの第２の通信保全モジュールと、
前記暗号化されていないホストコマンド又は前記暗号化されていないホステッドコマンドのうちの少なくとも１つに従って再構成される、前記ビークルのペイロードと、
ペイロードデータをホスト受信アンテナ又はホステッド受信アンテナのうちの少なくとも１つへ送信する、前記ビークルのペイロードアンテナと、
暗号化されたホストテレメトリを生成するために、前記第１のＣＯＭＳＥＣ多様性を用いることによって、前記ペイロードからの暗号化されていないホストテレメトリを暗号化する、前記第１の通信保全モジュールと、
暗号化されたホステッドテレメトリを生成するために、前記第２のＣＯＭＳＥＣ多様性を用いることによって、前記ペイロードからの暗号化されていないホステッドテレメトリを暗号化する、前記第２の通信保全モジュールと
を備え、
請求項１から１４に記載の方法のうちのいずれかを実施する、システム。
【発明の詳細な説明】
【技術分野】
【０００１】
本開示は、仮想トランスポンダーに関する。具体的には、本開示は帯域内テレメトリを用いた仮想トランスポンダーに関する。
【０００２】
現在、ビークル（例：衛星）の典型的なトランスポンダーは、ペイロードの入出力の切替えを行う能力を有する。ペイロードのこの切替えは全て、リソース割り当てプライバシーのない単一の衛星コントローラによってコマンド送信され制御される。例えば、デジタルトランスポンダーにおいては、特定の帯域幅とアンテナ特性を有するチャネルのユーザ要求が行われると、チャネルが構成され、使用され、その後停止される。
【０００３】
このため、ペイロードへのリソース割り当てにおいてプライバシーが保てる改善されたトランスポンダーの設計が必要である。
【発明の概要】
【０００４】
本開示は、帯域内テレメトリを用いた仮想トランスポンダーのための方法、システム、及び装置に関する。一または複数の実施形態では、帯域内テレメトリを用いた仮想トランスポンダーのための方法は、ホステッド（ｈｏｓｔｅｄ）ペイロード（ＨｏＰ）オペレーションセンター（ＨＯＣ）によって、暗号化されたホステッドコマンドをホスト宇宙船オペレーションセンター（ＳＯＣ）へ送信することを含む。本方法は更に、ホストＳＯＣによって、暗号化されたホストコマンドと、暗号化されたホステッドコマンドとをビークルへ送信することであって、ビークルにおいて暗号化されたホストコマンドが第１の通信保全（ＣＯＭＳＥＣ）多様性（ｖａｒｉｅｔｙ）を用いて暗号化され、暗号化されたホステッドコマンドが第２のＣＯＭＳＥＣ多様性を用いて暗号化される、送信することを含む。また、本方法は、暗号化されていないホストコマンドを生成するために、ビークルの第１の通信保全モジュールによって第１のＣＯＭＳＥＣ多様性を用いて、暗号化されたホストコマンドを復号することも含む。加えて、本方法は、暗号化されていないホステッドコマンドを生成するために、ビークルの第２の通信保全モジュールによって第２のＣＯＭＳＥＣ多様性を用いて、暗号化されたホストコマンドを復号することを含む。更に、本方法は、暗号化されていないホストコマンド及び／又は暗号化されていないホステッドコマンドに従って、ビークルのペイロードを再構成することを含む。また、本方法は、ビークルのペイロードアンテナによって、ホスト受信アンテナ及び／又はホステッド受信アンテナへペイロードデータを送信することを含む。更に、本方法は、暗号化されたホストテレメトリを生成するために、第１の通信保全モジュールによって第１のＣＯＭＳＥＣ多様性を用いることによって、ペイロードからの暗号化されていないホストテレメトリを暗号化することを含む。加えて、本方法は、暗号化されたホステッドテレメトリを生成するために、第２の通信保全モジュールによって第２のＣＯＭＳＥＣ多様性を用いることによって、ペイロードからの暗号化されていないホステッドテレメトリを暗号化することを含む。また、本方法は、ビークルのホストテレメトリ送信器によって、暗号化されたホストテレメトリをホストＳＯＣへ送信することを含む。更に、本方法は、ペイロードアンテナによって、暗号化されたホステッドテレメトリをホステッド受信アンテナへ送信することを含む。更に、本方法は、ホステッド受信アンテナによって、暗号化されたホステッドテレメトリをＨＯＣへ送信することを含む。
【０００５】
一または複数の実施形態では、暗号化されていないホストコマンド及び／又は暗号化されていないホステッドコマンドに従ってペイロードを再構成することは、トランスポンダーの電力、トランスポンダーのスペクトル監視、トランスポンダーの接続性、トランスポンダーの利得設定、トランスポンダーのリミッタ設定、トランスポンダーの自動レベル制御設定、トランスポンダーの位相設定、内部利得発生、少なくとも１つのビームの帯域幅、少なくとも１つのビームの少なくとも１つの周波数帯、トランスポンダーのビームフォーミング設定、少なくとも１つのビームの実効輻射電力（ＥＩＲＰ）、トランスポンダーのチャネル、及び／又はビームステアリングを調節することを含む。
【０００６】
少なくとも１つの実施形態では、暗号化されていないホストコマンド及び／又は暗号化されていないホステッドコマンドに従ってペイロードを再構成することは、少なくとも１つのアンテナ、少なくとも１つのアナログデジタル変換器、少なくとも１つのデジタルアナログ変換器、少なくとも１つのビームフォーマー、少なくとも１つのデジタルチャネライザ、少なくとも１つの復調器、少なくとも１つの変調器、少なくとも１つのデジタルスイッチマトリックス、少なくとも１つのデジタル結合器、及び／又は少なくとも１つのアナログスイッチマトリックスを再構成することを含む。
【０００７】
一または複数の実施形態では、ビークルは飛行ビークルである。少なくとも１つの実施形態では、飛行ビークルは衛星、飛行機、無人航空機（ＵＡＶ）、又は宇宙往還機である。
【０００８】
少なくとも１つの実施形態では、本方法は更に、暗号化されたホストコマンドを作成するために、ホストＳＯＣによって、第１のＣＯＭＳＥＣ多様性を用いることによって暗号化されていないホストコマンドを暗号化することを含む。加えて、本方法は、暗号化されたホステッドコマンドを作成するために、ＨＯＣによって、第２のＣＯＭＳＥＣ多様性を用いることによって暗号化されていないホステッドコマンドを暗号化することを含む。
【０００９】
少なくとも１つの実施形態では、本方法は更に、ビークルのホストコマンド受信器によって暗号化されたホストコマンドを受信することを含む。また、本方法は、ビークルのホステッドコマンド受信器によって暗号化されたホステッドコマンドを受信することも含む。加えて、本方法は、ホストコマンド受信器によって、暗号化されたホストコマンドを第１の通信保全モジュールへ送信することを含む。更に、本方法は、ホステッドコマンド受信器によって、暗号化されたホステッドコマンドを第２の通信保全モジュールへ送信することを含む。
【００１０】
一または複数の実施形態では、本方法は更に、第１の通信保全モジュールによって、暗号化されていないホストコマンドをペイロードへ送信することを含む。また、本方法は、第２の通信保全モジュールによって、暗号化されていないホステッドコマンドをペイロードへ送信することも含む。
【００１１】
一または複数の実施形態では、本方法は更に、ペイロードによって、暗号化されていないホストテレメトリを第１の通信保全モジュールへ送信することを含む。また、本方法は、ペイロードによって、暗号化されていないホステッドテレメトリを第２の通信保全モジュールへ送信することも含む。
【００１２】
一または複数の実施形態では、本方法は更に、第１の通信保全モジュールによって、暗号化されたホストテレメトリをホストテレメトリ送信器へ送信することを含む。加えて、本方法は、第２の通信保全モジュールによって、暗号化されたホステッドテレメトリをペイロードへ送信することを含む。
【００１３】
少なくとも１つの実施形態では、本方法は更に、暗号化されていないホストテレメトリを生成するために、ホストＳＯＣによって、第１のＣＯＭＳＥＣ多様性を用いて、暗号化されたホストテレメトリを復号することを含む。また、本方法は、暗号化されていないホステッドテレメトリを生成するために、ＨＯＣによって、第２のＣＯＭＳＥＣ多様性を用いて、暗号化されたホステッドテレメトリを復号することも含む。
【００１４】
少なくとも１つの実施形態では、帯域内テレメトリを用いた仮想トランスポンダーのためのシステムは、暗号化されたホステッドコマンドをホスト宇宙船オペレーションセンター（ＳＯＣ）へ送信するホステッドペイロード（ＨｏＰ）オペレーションセンター（ＨＯＣ）を備える。本システムは更に、暗号化されたホストコマンドと、暗号化されたホステッドコマンドとをビークルへ送信するホストＳＯＣを備え、暗号化されたホストコマンドは、第１の通信保全（ＣＯＭＳＥＣ）多様性を用いて暗号化され、暗号化されたホステッドコマンドは、第２のＣＯＭＳＥＣ多様性を用いて暗号化される。また、本システムは、暗号化されていないホストコマンドを生成するために、第１のＣＯＭＳＥＣ多様性を用いて、暗号化されたホストコマンドを復号する、ビークルの第１の通信保全モジュールを備える。加えて、本システムは、暗号化されていないホステッドコマンドを生成するために、第２のＣＯＭＳＥＣ多様性を用いて、暗号化されたホストコマンドを復号する、ビークルの第２の通信保全モジュールを備える。更に、本システムは、暗号化されていないホストコマンド及び／又は暗号化されていないホステッドコマンドに従って再構成されたビークルのペイロードを備える。また、本システムは、ホスト受信アンテナ及び／又はホステッド受信アンテナへペイロードデータを送信するビークルのペイロードアンテナも備える。更に、本システムは、暗号化されたホストテレメトリを生成するために、第１のＣＯＭＳＥＣ多様性を用いることによって、ペイロードからの復号されたホストテレメトリを暗号化する、第１の通信保全モジュールを備える。加えて、本システムは、暗号化されたホステッドテレメトリを生成するために、第２のＣＯＭＳＥＣ多様性を用いることによって、ペイロードからの復号されたホステッドテレメトリを暗号化する、第２の通信保全モジュールを備える。また、本システムは、暗号化されたホストテレメトリをホストＳＯＣへ送信する、ビークルのホストテレメトリ送信器を備える。更に、本システムは、暗号化されたホステッドテレメトリをホステッド受信アンテナへ送信するペイロードアンテナを備える。更に、本システムは、暗号化されたホステッドテレメトリをＨＯＣへ送信するホステッド受信アンテナを備える。
【００１５】
特徴、機能、及び利点は、本開示の種々の実施形態において単独で達成することができるか、又は更に他の実施形態において組み合わせることができる。
【００１６】
本開示のこれらの及び他の特徴、態様、及び利点は、下記の記載、特許請求の範囲、及び下記の添付図面によってより深く理解されるであろう。
【図面の簡単な説明】
【００１７】
【図１】本開示の少なくとも１つの実施形態に係る、仮想トランスポンダーのための開示のシステムの簡略化したアーキテクチャを示す図であり、図２Ａ〜９Ｈは、本開示の少なくとも１つの実施形態に係る、帯域内テレメトリを用いた仮想トランスポンダーのための例示のシステム及び方法を示す図である。
【図２Ａ】本開示の少なくとも１つの実施形態に係る、ホステッド受信アンテナへ送信される、ホステッドユーザの帯域内テレメトリを用いた仮想トランスポンダーのための開示のシステムを示す図である。
【図２Ｂ】本開示の少なくとも１つの実施形態に係る、ホスト受信アンテナへ送信される、ホステッドユーザの帯域内テレメトリを用いた仮想トランスポンダーのための開示のシステムを示す図である。
【図３Ａ】本開示の少なくとも１つの実施形態に係る、ホステッド受信アンテナへ送信される、ホステッドユーザの帯域内テレメトリを用いた仮想トランスポンダーのための開示の方法を示すフロー図である。
【図３Ｂ】本開示の少なくとも１つの実施形態に係る、ホステッド受信アンテナへ送信される、ホステッドユーザの帯域内テレメトリを用いた仮想トランスポンダーのための開示の方法を示すフロー図である。
【図３Ｃ】本開示の少なくとも１つの実施形態に係る、ホステッド受信アンテナへ送信される、ホステッドユーザの帯域内テレメトリを用いた仮想トランスポンダーのための開示の方法を示すフロー図である。
【図３Ｄ】本開示の少なくとも１つの実施形態に係る、ホステッド受信アンテナへ送信される、ホステッドユーザの帯域内テレメトリを用いた仮想トランスポンダーのための開示の方法を示すフロー図である。
【図３Ｅ】本開示の少なくとも１つの実施形態に係る、ホスト受信アンテナへ送信される、ホステッドユーザの帯域内テレメトリを用いた仮想トランスポンダーのための開示の方法を示すフロー図である。
【図３Ｆ】本開示の少なくとも１つの実施形態に係る、ホスト受信アンテナへ送信される、ホステッドユーザの帯域内テレメトリを用いた仮想トランスポンダーのための開示の方法を示すフロー図である。
【図３Ｇ】本開示の少なくとも１つの実施形態に係る、ホスト受信アンテナへ送信される、ホステッドユーザの帯域内テレメトリを用いた仮想トランスポンダーのための開示の方法を示すフロー図である。
【図３Ｈ】本開示の少なくとも１つの実施形態に係る、ホスト受信アンテナへ送信される、ホステッドユーザの帯域内テレメトリを用いた仮想トランスポンダーのための開示の方法を示すフロー図である。
【図４】本開示の少なくとも１つの実施形態に係る、ホストユーザの帯域内テレメトリを用いた仮想トランスポンダーのための開示のシステムを示す図である。
【図５Ａ】本開示の少なくとも１つの実施形態に係る、ホストユーザの帯域内テレメトリを用いた仮想トランスポンダーのための開示の方法を示すフロー図である。
【図５Ｂ】本開示の少なくとも１つの実施形態に係る、ホストユーザの帯域内テレメトリを用いた仮想トランスポンダーのための開示の方法を示すフロー図である。
【図５Ｃ】本開示の少なくとも１つの実施形態に係る、ホストユーザの帯域内テレメトリを用いた仮想トランスポンダーのための開示の方法を示すフロー図である。
【図５Ｄ】本開示の少なくとも１つの実施形態に係る、ホストユーザの帯域内テレメトリを用いた仮想トランスポンダーのための開示の方法を示すフロー図である。
【図６Ａ】本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示のシステムを示す図である。
【図６Ｂ】本開示の少なくとも１つの実施形態に係る、ホスト受信アンテナへ送信される、ホストユーザ及びホステッドユーザの帯域内テレメトリを用いた仮想トランスポンダーのための開示のシステムを示す図である。
【図７Ａ】本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示の方法を示すフロー図である。
【図７Ｂ】本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示の方法を示すフロー図である。
【図７Ｃ】本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示の方法を示すフロー図である。
【図７Ｄ】本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示の方法を示すフロー図である。
【図７Ｅ】本開示の少なくとも１つの実施形態に係る、ホスト受信アンテナへ送信される、ホストユーザ及びホステッドユーザの帯域内テレメトリを用いた仮想トランスポンダーのための開示の方法を示すフロー図である。
【図７Ｆ】本開示の少なくとも１つの実施形態に係る、ホスト受信アンテナへ送信される、ホストユーザ及びホステッドユーザの帯域内テレメトリを用いた仮想トランスポンダーのための開示の方法を示すフロー図である。
【図７Ｇ】本開示の少なくとも１つの実施形態に係る、ホスト受信アンテナへ送信される、ホストユーザ及びホステッドユーザの帯域内テレメトリを用いた仮想トランスポンダーのための開示の方法を示すフロー図である。
【図７Ｈ】本開示の少なくとも１つの実施形態に係る、ホスト受信アンテナへ送信される、ホストユーザ及びホステッドユーザの帯域内テレメトリを用いた仮想トランスポンダーのための開示の方法を示すフロー図である。
【図８Ａ】本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示の方法を示す図であり、テレメトリは単一の通信保全（ＣＯＭＳＥＣ）多様性を用いて暗号化される。
【図８Ｂ】本開示の少なくとも１つの実施形態に係る、ホスト受信アンテナへ送信される、ホストユーザ及びホステッドユーザの帯域内テレメトリを用いた仮想トランスポンダーのための開示の方法を示す図であり、テレメトリは単一の通信保全（ＣＯＭＳＥＣ）多様性を用いて暗号化される。
【図９Ａ】本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示の方法を示すフロー図であり、テレメトリは単一のＣＯＭＳＥＣ多様性を用いて暗号化される。
【図９Ｂ】本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示の方法を示すフロー図であり、テレメトリは単一のＣＯＭＳＥＣ多様性を用いて暗号化される。
【図９Ｃ】本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示の方法を示すフロー図であり、テレメトリは単一のＣＯＭＳＥＣ多様性を用いて暗号化される。
【図９Ｄ】本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示の方法を示すフロー図であり、テレメトリは単一のＣＯＭＳＥＣ多様性を用いて暗号化される。
【図９Ｅ】本開示の少なくとも１つの実施形態に係る、ホスト受信アンテナへ送信される、ホストユーザ及びホステッドユーザの帯域内テレメトリを用いた仮想トランスポンダーのための開示の方法を示すフロー図であり、テレメトリは単一のＣＯＭＳＥＣ多様性を用いて暗号化される。
【図９Ｆ】本開示の少なくとも１つの実施形態に係る、ホスト受信アンテナへ送信される、ホストユーザ及びホステッドユーザの帯域内テレメトリを用いた仮想トランスポンダーのための開示の方法を示すフロー図であり、テレメトリは単一のＣＯＭＳＥＣ多様性を用いて暗号化される。
【図９Ｇ】本開示の少なくとも１つの実施形態に係る、ホスト受信アンテナへ送信される、ホストユーザ及びホステッドユーザの帯域内テレメトリを用いた仮想トランスポンダーのための開示の方法を示すフロー図であり、テレメトリは単一のＣＯＭＳＥＣ多様性を用いて暗号化される。
【図９Ｈ】本開示の少なくとも１つの実施形態に係る、ホスト受信アンテナへ送信される、ホストユーザ及びホステッドユーザの帯域内テレメトリを用いた仮想トランスポンダーのための開示の方法を示すフロー図であり、テレメトリは単一のＣＯＭＳＥＣ多様性を用いて暗号化される。
【図１０】本開示の少なくとも１つの実施形態に係る、ビークルの仮想トランスポンダーのための開示のシステムを示す図である。
【図１１】本開示の少なくとも１つの実施形態に係る、開示の仮想トランスポンダーを用いたときの、複数のビームの内の例示の帯域幅のアロケーションを示す図である。
【図１２】本開示の少なくとも１つの実施形態に係る、開示の仮想トランスポンダーを用いたときの、複数のビームの内のフレキシブルな帯域幅のアロケーションの切替アーキテクチャを示す図である。
【図１３】本開示の少なくとも１つの実施形態に係る、図１２のデジタルチャネライザの詳細を示す図である。
【図１４】本開示の少なくとも１つの実施形態に係る、開示の仮想トランスポンダーによって用いられうるビークルの例示の構成要素を示す図である。
【図１５Ａ】本開示の少なくとも１つの実施形態に係る、ビークルの仮想トランスポンダーのための開示の方法を示すフロー図である。
【図１５Ｂ】本開示の少なくとも１つの実施形態に係る、ビークルの仮想トランスポンダーのための開示の方法を示すフロー図である。
【図１６】本開示の少なくとも１つの実施形態に係る、ホステッドユーザの帯域内テレメトリの例示のスクリプトを示す図である。
【図１７】本開示の少なくとも１つの実施形態に係る、ホストユーザの帯域内テレメトリの例示のスクリプトを示す図である。
【図１８】本開示の少なくとも１つの実施形態に係る、ホストユーザ及びホステッドユーザの帯域内テレメトリの例示のスクリプトを示す図である。
【図１９】本開示の少なくとも１つの実施形態に係る、ホストユーザ及びホステッドユーザの帯域内テレメトリの２つの例示のスクリプトを示す図である。
【発明を実施するための形態】
【００１８】
本書に開示の方法及び装置は、帯域内テレメトリを用いた仮想トランスポンダーのための作動システムを提供する。本開示のシステムにより、ビークルのオペレータがビークルのリソースをプライベートに共有することが可能になる。この開示では、一または複数の帯域内周波数帯は、ペイロードデータを送信するのに用いられるのと同じ一または複数の周波数帯である一または複数の周波数帯を指し、一または複数の帯域外周波数帯は、ペイロードデータを送信するのに用いられるのとは異なる一または複数の周波数帯である一または複数の周波数帯を指すことに留意すべきである。
【００１９】
前述したように、現在、ビークル（例：衛星）の典型的なトランスポンダーは、ペイロードの入出力の切替えを行う能力を有する。ペイロードのこの切替えは全て、リソース割り当てプライバシーを有さない単一の衛星コントローラによってコマンド送信され制御される。例えば、デジタルトランスポンダーにおいては、特定の帯域幅とアンテナ特性を有するチャネルのユーザ要求が行われると、チャネルが構成され、使用され、その後停止される。
【００２０】
開示のシステムにより、ビークルのユーザに、リソースを非公開で、動的にオンデマンドで割り当てる能力を提供する、非公開のビークルリソース割り当て及び制御が可能になる。具体的には、開示のシステムは、独立したコマンド及び制御を有する複数のトランスポンダーに分割されたトランスポンダーである、仮想トランスポンダーを採用する。一または複数の実施形態では、例示の仮想トランスポンダーは、デジタルチャネライザ、デジタルスイッチマトリックス、及びデジタルトランスポンダーを独立したコマンド及び制御を有する複数のトランスポンダーに分割するように構成されたデジタル結合器を有するデジタルトランスポンダーを含む。仮想トランスポンダーのコマンド及び制御は、オンデマンドで帯域幅におけるデジタルスイッチマトリックスの動的割り当て及び非公開化を提供する地上のソフトウェアを介して実現される。
【００２１】
非公開のビークルリソース割り当て及び制御のための開示のシステムは、仮想トランスポンダーの特定の開示の実施形態（例：図１２〜１４参照）以外の仮想トランスポンダーに対し、様々な異なる種類のトランスポンダーを採用することが可能であることに留意すべきである。例えば、さまざまな異なる種類のトランスポンダーは、非限定的に、さまざまな異なる種類のデジタルトランスポンダー、さまざまな異なる種類のアナログトランスポンダー（例：従来のリピータータイプのトランスポンダー）、及びさまざまな異なる種類のアナログ／デジタルトランスポンダーの組み合わせを含む仮想トランスポンダーにおいて採用することが可能である。
【００２２】
以下の説明において、より綿密なシステムの説明を提供するために多数の詳細が記載されている。しかしながら、開示のシステムがこれらの具体的な詳細なしに実施可能であることが当業者に明らかとなるであろう。他の場合には、システムを不必要にわかりにくくしないように、既知の特徴は詳細には説明されていない。
【００２３】
本開示の実施形態は、機能及び／または論理的構成要素、並びに様々な処理ステップを単位として、本書に記載され得る。こうした構成要素が、特定の機能を実施するように構成された任意の数のハードウェア、ソフトウェア、及び／またはファームウェア構成要素によって実現され得ることは、理解されるべきである。例えば、本開示の実施形態は、一または複数のプロセッサ、マイクロプロセッサ、又は他の制御デバイスの制御下で様々な機能を実施しうる、さまざまな集積回路の構成要素（例：メモリエレメント、デジタル信号処理エレメント、論理エレメント、ルックアップテーブル等）を採用しうる。加えて、本開示の実施形態が、他の構成要素と協働して実施され得ること、及び本書に記載のシステムが単に本開示の例示的な一実施形態に過ぎないことは、当業者に理解されるであろう。
【００２４】
簡略化のため、衛星通信システムに関する従来の技法及び構成要素、並びにシステム（及びシステムの個別の動作構成要素）の他の機能的態様は、本書では詳細には記載されない場合がある。更に、本書に含まれる様々な図面に示される接続線は、さまざまなエレメント間の例示の機能的関係及び／又は物理的結合を表すように意図される。本開示の実施形態において、多くの代替又は追加の機能的関係又は物理的接続が呈示されうることに留意すべきである。
【００２５】
図１は、本開示の少なくとも１つの実施形態に係る、仮想トランスポンダーの開示のシステムの簡略化したアーキテクチャを示す図１００である。この図では、複数の可能なホステッドペイロードの構成の簡略図が示される。具体的には、この図は、宇宙セグメント１１０と地上セグメント１２０とを示している。宇宙セグメント１１０はビークルを表す。非限定的に飛行ビークルを含む様々な異なる種類のビークルを、ビークルに採用することが可能である。非限定的に衛星、航空機、無人航空機（ＵＡＶ）、及び宇宙往還機を含む様々な異なる種類の飛行ビークルを、ビークルに採用することが可能である。
【００２６】
ビークルに採用されている衛星の場合、衛星は通常、コンピュータによって制御されたシステムを含むことに留意すべきである。衛星は一般に、バス１３０とペイロード１４０とを含む。バス１３０は、衛星を制御する（構成要素を含む）システムを含みうる。これらのシステムは、タスク、例えば電力生成及び制御、温度制御、テレメトリ、高度制御、軌道制御、及び他の適切な動作を実施する。
【００２７】
衛星のペイロード１４０は、衛星のユーザに機能を提供する。ペイロード１４０には、アンテナ、トランスポンダー、及び他の好適なデバイスが含まれうる。例えば、通信に関しては、衛星のペイロード１４０を使用して、インターネットアクセス、電話通信、ラジオ、テレビ、及び他の種類の通信を提供することができる。
【００２８】
衛星のペイロード１４０は、異なるエンティティによって使用されうる。例えば、ペイロード１４０は、衛星の所有者（すなわちホストユーザ）、一または複数の顧客（すなわち一または複数のホステッドユーザ）、又はこれらの幾つかの組み合わせによって使用されうる。
【００２９】
例えば、衛星の所有者は、異なる顧客にペイロード１４０の異なる部分をリースすることができる。一例として、衛星のペイロード１４０によって生成された一群のアンテナビームをある顧客にリースすることができ、その一方で第２の顧客に第２の群のアンテナビームをリースすることができる。別の実施例では、衛星の所有者が衛星のペイロード１４０によって生成された一群のアンテナビームを用いることができ、第２の群のアンテナビームを顧客にリースすることができる。更に別の実施例では、衛星のペイロード１４０によって生成されたアンテナビームの一部又は全部を、ある顧客と第２の顧客とで共有することができる。別の実施例では、衛星のペイロード１４０によって生成されたアンテナビームの一部又は全部を、衛星の所有者と顧客とで共有することができる。衛星が異なるユーザによって共有されるときは、ユーザは、衛星に対して共有の通信リンク（例：インターフェースＡ）を有することができる、あるいは各ユーザは、衛星に対して別々の通信リンク（例：インターフェースＡ及びＤ）を有することができる。
【００３０】
複数の顧客へ衛星をリースすることで、衛星の所有者が獲得できる収入を上げることができる。更に、顧客は、顧客が衛星を購入し運用する、衛星を建造し運用する、又は衛星全体をリースするための費用を下回る費用で、衛星の全リソースのサブセットを使用することができる。
【００３１】
図１を再び参照すると、地上セグメント１２０は、ホスト宇宙船オペレーションセンター（ＳＯＣ）（例：衛星の所有者と関係している地上局）１５０と、一または複数のホステッドペイロード（ＨｏＰ）オペレーションセンター（ＨＯＣ）（例：所有者から衛星のペイロードの少なくとも一部をリースしている一または複数の顧客と関係している一または複数の地上局）１６０とを含む。
【００３２】
図１に、幾つかの異なる可能な通信リンク（すなわちインターフェースＡ〜Ｅ）を示す。開示のシステムが、図示したこれらの通信リンクの幾つか又は全てを採用しうることに留意すべきである。複数のリンクを含みうるインターフェースＡは、衛星にコマンド送信するホストＳＯＣ１５０からの帯域外コマンド及びテレメトリリンクである。複数のリンクを含みうるインターフェースＢは、バス１３０とペイロード１４０との間の通信リンクである。インターフェースＢを使用して、例えば電力等の基本的なアイテムを制御することができる。インターフェースＢを介してバス１３０からペイロード１４０へ伝えられうる情報には、非限定的に、時間、天体歴、及びペイロードコマンドが含まれうる。インターフェースＢを介してペイロード１４０からバス１３０へ伝えられうる情報には、非限定的に、ペイロードテレメトリが含まれうる。
【００３３】
複数のリンクを含みうるインターフェースＣは、バス及び／又はペイロードのための帯域内コマンド及びテレメトリリンクである。複数のリンクを含みうるインターフェースＤは、衛星へコマンド送信する一または複数のＨＯＣ１６０からのコマンド及びテレメトリリンクである。ホストＳＯＣ１５０とＨＯＣ１６０との間の、複数のリンクを含みうるインターフェースＥにより、ＨＯＣからのペイロード１４０のリソース共有の要求が可能になる。
【００３４】
図２Ａ〜９Ｈは、本開示の少なくとも１つの実施形態に係る、帯域内テレメトリを用いた仮想トランスポンダーのための例示のシステム及び方法を示す図である。
【００３５】
図２Ａは、本開示の少なくとも１つの実施形態に係る、ホステッド受信アンテナ２９０へ送信される、ホステッドユーザ（すなわちＨＯＣ）２６０の帯域内テレメトリを用いた仮想トランスポンダーのための開示のシステムを示す図２００である。この図には、ビークル２１０、ホストＳＯＣ２５０、及びＨＯＣ２６０が示されている。ＨＯＣ２６０は、衛星の所有者（すなわちホストＳＯＣ）２５０からビークル２１０のペイロード２０５の少なくとも一部（例：一または複数の仮想トランスポンダー）をリースしている。ある実施形態では、ＨＯＣ２６０は、衛星の所有者（すなわちホストＳＯＣ）２５０からビークル２１０のペイロード２０５全部をリースしうることに留意すべきである。ある実施形態では、ＨＯＣ２６０は、ビークル２１０のペイロード２０５（例：可動アンテナ）を所有し、暗号化されたホステッドコマンドをビークル２１０へ送信するようにホストＳＯＣ２５０と契約しうることに留意すべきである。
【００３６】
動作中、ＨＯＣ２６０は、暗号化されたホステッドコマンド（すなわち、暗号化されたＨｏＰ  ＣＭＤ）を作成するために、第２の通信保全（ＣＯＭＳＥＣ）多様性を用いることによって、暗号化されていないホステッドコマンド（すなわち、暗号化されていないＨｏＰ  ＣＭＤ）を暗号化する。ホステッドコマンドは、ＨＯＣ２６０がホストＳＯＣ２５０からリースしているペイロード２０５の一部（すなわち、一または複数の仮想トランスポンダー）を構成するのに使用されるコマンドである。ホストＳＯＣ２５０は、暗号化されたホストコマンド（すなわち、暗号化されたホストＣＭＤ）を作成するために、第１のＣＯＭＳＥＣ多様性を用いることによって、暗号化されていないホストコマンド（すなわち、暗号化されていないホストＣＭＤ）を暗号化する。ホストコマンドは、ホストＳＯＣ２５０がそれ自体のために用いるペイロード２０５の一部（例えば、一又は複数のトランスポンダー）を構成するのに使用されるコマンドである。
【００３７】
図２Ａにおいては、それ自体の地上アンテナがそれ自体の業務ビルのすぐ隣に位置するホストＳＯＣ２５０を示したが、他の実施形態では、ホストＳＯＣ２５０は、それ自体の地上アンテナがそれ自体の業務ビルからかなり離れたところに位置していてよい（例えば、地上アンテナは業務ビルとは別の国に位置していてよい）ことに留意すべきである。
【００３８】
また、第１のＣＯＭＳＥＣ多様性は、少なくとも１つの暗号化キー及び／又は少なくとも１つのアルゴリズム（例：タイプ１暗号化アルゴリズム又はタイプ２暗号化アルゴリズム）を含みうることに留意すべきである。更に、第２のＣＯＭＳＥＣ多様性は、少なくとも１つの暗号化キー及び／又は少なくとも１つのアルゴリズム（例：タイプ１暗号化アルゴリズム又はタイプ２暗号化アルゴリズム）を含みうることに留意すべきである。
【００３９】
ＨＯＣ２６０は次に、暗号化されたホステッドコマンドをホストＳＯＣ２５０へ送信する２１５。ホストＳＯＣ２５０が暗号化されたホステッドコマンドを受信した後に、ホストＳＯＣ２５０はビークル２１０へ暗号化されたホストコマンドを送信し２２０、暗号化されたホステッドコマンドを送信する２２５。ホストＳＯＣ２５０は、一または複数の帯域外周波数帯（すなわち、ペイロードデータを送信するのに用いられる一または複数の周波数帯とは違う一または複数の周波数帯）を用いて、暗号化されたホストコマンドと暗号化されたホストテッドコマンドを送信する２２０、２２５。ビークル２１０のホストコマンド受信器２３５は、暗号化されたホストコマンドを受信する。加えて、ビークル２１０のホステッドコマンド受信器２４５は、暗号化されたホステッドコマンドを受信する。
【００４０】
他の実施形態では、帯域内テレメトリを用いた仮想トランスポンダーのための開示のシステムは、図２Ａに示すよりも多い又は少ない受信器２３５、２４５を採用しうることに留意すべきである。
【００４１】
ホストコマンド受信器２３５は次に、暗号化されたホストコマンドを第１の通信保全モジュール２６２へ送信する２５２。第１の通信保全モジュール２６２は、暗号化されていないホストコマンドを生成するために、第１のＣＯＭＳＥＣ多様性（すなわちＣＯＭＳＥＣ多様性１）を用いて、暗号化されたホストコマンドを復号する。
【００４２】
第１の通信保全モジュール２６２は、一または複数のモジュールを備えうることに留意すべきである。加えて、第１の通信保全モジュール２６２は、一または複数のプロセッサを備えうる。
【００４３】
ホステッドコマンド受信器２４５は次に、暗号化されたホステッドコマンドを第２の通信保全モジュール２６５へ送信する２５５。第２の通信保全モジュール２６５は、暗号化されていないホステッドコマンドを生成するために、第２のＣＯＭＳＥＣ多様性（すなわち、ＣＯＭＳＥＣ多様性２）を用いて、暗号化されたホステッドコマンドを復号する。
【００４４】
第２の通信保全モジュール２６５は、一または複数のモジュールを備えうることに留意すべきである。加えて、第２の通信保全モジュール２６５は、一または複数のプロセッサを備えうる。
【００４５】
第１の通信保全モジュール２６２は次に、暗号化されていないホストコマンドをペイロード（すなわち、共有のホスト／ホステッドペイロード）２０５へ送信する２７０。第２の通信保全モジュール２６５は、暗号化されていないホステッドコマンドをペイロード（すなわち、共有のホスト／ホステッドペイロード）２０５へ送信する２７５。ペイロード２０５は、暗号化されていないホストコマンド及び／又は暗号化されていないホステッドコマンドに従って再構成される。ペイロードアンテナ２８０は次に、ペイロードデータを（例えば一または複数のアンテナビーム２８１で）地上のホスト受信アンテナ２８５及び／又はホステッド受信アンテナ２９０へ送信する。ある実施形態では、ホステッド受信アンテナ２９０は、図２Ａに示すように、空上の、海上の、又は地上のアンテナであってよいことに留意すべきである。
【００４６】
また、図２Ａにおいて、図示したアンテナビーム２８１は、複数の円形スポットビームを含むが、他の実施形態では、アンテナビーム２８１は、図２Ａに示すよりも多くの又は少ない数のビームを含んでいてよく（例えばアンテナビーム２８１は、単一のビームのみを含みうる）、アンテナビーム２８１は、図２Ａに示す円形スポットビームとは異なる形状のビームを含みうる（例えば、アンテナビーム２８１は、楕円形のビーム及び／又は様々な異なる形状の成形ビームを含みうる）ことにも留意すべきである。
【００４７】
一または複数の実施形態では、ペイロードアンテナ２８０は、非限定的にパラボラリフレクタ及び／又は成形リフレクタを含む一または複数のリフレクタディッシュを含みうる。ある実施形態では、ペイロードアンテナ２８０は、一または複数のマルチフィード（ｍｕｌｔｉｆｅｅｄ）アンテナアレイを含みうることに留意すべきである。
【００４８】
ペイロード２０５は、暗号化されていないホストテレメトリ（すなわち、ホストＳＯＣ２５０によって用いられるペイロード２０５の一部に関するテレメトリデータである、暗号化されていないホストＴＬＭ）を第１の通信保全モジュール２６２へ送信する２９１。第１の通信保全モジュール２６２は次に、暗号化されたホストテレメトリ（すなわち、暗号化されたホストＴＬＭ）を生成するために、第１のＣＯＭＳＥＣ多様性を用いて、暗号化されていないホストテレメトリを暗号化する。
【００４９】
ペイロード２０５は、暗号化されていないホステッドテレメトリ（すなわち、ＨＯＣ２６０によってリースされているペイロード２０５の一部に関するテレメトリデータである、暗号化されていないＨｏＰ  ＴＬＭ）を第２の通信保全モジュール２６５へ送信する２９２。第２の通信保全モジュール２６５は次に、暗号化されたホステッドテレメトリ（すなわち、暗号化されたＨｏＰ  ＴＬＭ）を生成するために、第２のＣＯＭＳＥＣ多様性を用いて、暗号化されていないホステッドテレメトリを暗号化する。
【００５０】
第１の通信保全モジュール２６２は次に、暗号化されたホストテレメトリをホストテレメトリ送信器２９４へ送信する２９３。ホストテレメトリ送信器２９４は次に、暗号化されたホストテレメトリをホストＳＯＣ２５０へ送信する２９５。ホストＳＯＣ２５０は次に、暗号化されていないホストテレメトリを生成するために、第１のＣＯＭＳＥＣ多様性を用いて、暗号化されたホストテレメトリを復号する。
【００５１】
第２の通信保全モジュール２６５は次に、暗号化されたホステッドテレメトリをペイロード２０５へ送信する２９６。ペイロードアンテナ２８０は次に、暗号化されたホステッドテレメトリをホステッド受信アンテナ２９０へ送信する２９７。ペイロードアンテナ２８０は、一または複数の帯域内周波数帯（すなわち、ペイロードデータを送信するのに用いられる少なくとも１つの周波数帯と同じ少なくとも１つの周波数帯）を用いて、暗号化されたホステッドテレメトリを送信する２９７。ホステッド受信アンテナ２９０は次に、暗号化されたホステッドテレメトリをＨＯＣ２６０へ送信する２９８。ＨＯＣ２６０は次に、暗号化されていないホステッドテレメトリを生成するために、第２のＣＯＭＳＥＣ多様性を用いて、暗号化されたホステッドテレメトリを復号する。
【００５２】
図２Ｂは、本開示の少なくとも１つの実施形態に係る、ホスト受信アンテナ２０８５に送信される、ホステッドユーザ（すなわちＨＯＣ）２０６０の帯域内テレメトリを用いた仮想トランスポンダーのための開示のシステムを示す図２０００である。この図には、ビークル２０１０、ホストＳＯＣ２０５０、及びＨＯＣ２０６０が示されている。ＨＯＣ２０６０は、衛星（すなわちホストＳＯＣ）２０５０の所有者からビークル２０１０のペイロード２００５の少なくとも一部（例：一または複数の仮想トランスポンダー）をリースしている。ある実施形態では、ＨＯＣ２０６０は、衛星（すなわちホストＳＯＣ）２０５０の所有者からビークル２０１０のペイロード２００５の全部をリースしている場合があることに留意すべきである。また、ある実施形態では、ＨＯＣ２０６０は、ビークル２０１０のペイロード２００５（例：可動アンテナ）を所有し、ビークル２０１０へ暗号化されたホステッドコマンドを送信するようにホストＳＯＣ２０５０と契約している場合があることにも留意すべきである。
【００５３】
動作中、ＨＯＣ２０６０は、暗号化されたホステッドコマンド（すなわち、暗号化されたＨｏＰ  ＣＭＤ）を作成するために、第２の通信保全（ＣＯＭＳＥＣ）多様性を用いることによって暗号化されていないホステッドコマンド（すなわち、暗号化されていないＨｏＰ  ＣＭＤ）を暗号化する。ホステッドコマンドは、ＨＯＣ２０６０がホストＳＯＣ２０５０からリースしているペイロード２００５の一部（すなわち、一または複数の仮想トランスポンダー）を構成するのに使用されるコマンドである。ホストＳＯＣ２０５０は、暗号化されたホストコマンド（すなわち、暗号化されたホストＣＭＤ）を作成するために、第１のＣＯＭＳＥＣ多様性を用いることによって、暗号化されていないホストコマンド（すなわち、暗号化されていないホストＣＭＤ）を暗号化する。ホストコマンドは、ホストＳＯＣ２０５０がそれ自体のために用いる、ペイロード２００５の一部（例：一または複数のトランスポンダー）を構成するのに使用されるコマンドである。
【００５４】
図２Ｂに示すホストＳＯＣ２０５０は、それ自体の地上アンテナがそれ自体の業務ビルのすぐ隣に位置づけされているが、他の実施形態では、ホストＳＯＣ２０５０は、それ自体の地上アンテナを、それ自体の業務ビルから非常に離れたところに位置づけすることができる（例えば、地上アンテナは、業務ビルとは別の国に位置していてよい）ことに留意すべきである。
【００５５】
また、第１のＣＯＭＳＥＣ多様性は、少なくとも１つの暗号化キー及び／又は少なくとも１つのアルゴリズム（例えば、タイプ１暗号化アルゴリズム又はタイプ２暗号化アルゴリズム）を含みうることに留意すべきである。さらに、第２のＣＯＭＳＥＣ多様性は、少なくとも１つの暗号化キー及び／又は少なくとも１つの暗号化アルゴリズム（例えば、タイプ１暗号化アルゴリズム又はタイプ２暗号化アルゴリズム）を含みうることに留意すべきである。
【００５６】
ＨＯＣ２０６０は次に、暗号化されたホステッドコマンドをホストＳＯＣ２０５０へ送信する２０１５。ホストＳＯＣ２０５０が暗号化されたホステッドコマンドを受信した後に、ホストＳＯＣ２０５０は暗号化されたホストコマンドを送信し２０２０、暗号化されたホステッドコマンドをビークル２０１０へ送信する２０２５。ホストＳＯＣ２０５０は、一または複数の帯域外周波数帯（すなわち、ペイロードデータを送信するために用いられる一または複数の周波数帯とは異なる一または複数の周波数帯）を用いて、暗号化されたホストコマンドと暗号化されたホステッドコマンドを送信する２０２０、２０２５。ビークル２０１０のホストコマンド受信器２０３５は、暗号化されたホストコマンドを受信する。加えて、ビークル２０１０のホステッドコマンド受信器２０４５は、暗号化されたホステッドコマンドを受信する。
【００５７】
他の実施形態では、帯域内テレメトリを用いた仮想トランスポンダーのための開示のシステムは、図２Ｂに示すよりも多い又は少ない受信器２０３５、２０４５を採用しうることに留意すべきである。
【００５８】
ホストコマンド受信器２０３５は次に、暗号化されたホストコマンドを第１の通信保全モジュール２０６２へ送信する２０５２。第１の通信保全モジュール２０６２は、暗号化されていないホストコマンドを生成するために、第１のＣＯＭＳＥＣ多様性（すなわち、ＣＯＭＳＥＣ多様性１）を用いて、暗号化されたホストコマンドを復号する。
【００５９】
第１の通信保全モジュール２０６２は、一または複数のモジュールを含みうることに留意すべきである。加えて、第１の通信保全モジュール２０６２は、一または複数のプロセッサを含みうる。
【００６０】
ホステッドコマンド受信器２０４５は次に、暗号化されたホステッドコマンドを第２の通信保全モジュール２０６５へ送信する２０５５。第２の通信保全モジュール２０６５は、暗号化されていないホステッドコマンドを生成するために、第２のＣＯＭＳＥＣ多様性（すなわち、ＣＯＭＳＥＣ多様性２）を用いて、暗号化されたホステッドコマンドを復号する。
【００６１】
第２の通信保全モジュール２０６５は、一または複数のモジュールを含みうることに留意すべきである。加えて、第２の通信保全モジュール２０６５は、一または複数のプロセッサを含みうる。
【００６２】
第１の通信保全モジュール２０６２は次に、暗号化されていないホストコマンドをペイロード（すなわち、共有のホスト／ホステッドペイロード）２００５へ送信する２０７０。第２の通信保全モジュール２０６５は、暗号化されていないホステッドコマンドをペイロード（すなわち、共有のホスト／ホステッドペイロード）２００５へ送信する２０７５。ペイロード２００５は、暗号化されていないホストコマンド及び／又は暗号化されていないホステッドコマンドにしたがって再構成される。ペイロードアンテナ２０８０は次に、ペイロードデータを地上のホスト受信アンテナ２０８５及び／又はホステッド受信アンテナ２０９０へ（例えば一または複数のアンテナビーム２０８１で）送信する。ある実施形態では、図２Ｂに示すように、ホステッド受信アンテナ２０９０は、空上の、海上の、又は地上のアンテナであってよいことに留意すべきである。
【００６３】
また、図２Ｂにおいて、図示したアンテナビーム２０８１は、複数の円形スポットビームを含むが、他の実施形態では、アンテナビーム２０８１は、図２Ｂに示すよりも多くの又は少ない数のビームを含んでいてよく（例えばアンテナビーム２０８１は、単一のビームのみを含みうる）、アンテナビーム２０８１は、図２Ｂに示す円形スポットビームとは異なる形状のビームを含みうる（例えば、アンテナビーム２０８１は、楕円形のビーム及び／又は様々な異なる形状の成形ビームを含みうる）ことにも留意すべきである。
【００６４】
一または複数の実施形態では、ペイロードアンテナ２０８０は、非限定的にパラボラリフレクタ、及び／又は成形リフレクタを含む、一または複数のリフレクタディッシュを含みうる。ある実施形態では、ペイロードアンテナ２０８０は、一または複数のマルチフィードアンテナアレイを含みうることに留意すべきである。
【００６５】
ペイロード２００５は、暗号化されていないホストテレメトリ（すなわち、ホストＳＯＣ２０５０によって用いられるペイロード２００５の一部に関するテレメトリデータである、暗号化されていないホストＴＬＭ）を第１の通信保全モジュール２０６２へ送信する２０９１。第１の通信保全モジュール２０６２は次に、暗号化されたホストテレメトリ（すなわち、暗号化されたホストＴＬＭ）を生成するために、第１のＣＯＭＳＥＣ多様性を用いて、暗号化されていないホストテレメトリを暗号化する。
【００６６】
ペイロード２００５は、暗号化されていないホステッドテレメトリ（すなわち、ＨＯＣ２０６０によってリースされるペイロード２００５の一部に関するテレメトリデータである、暗号化されていないＨｏＰ  ＴＬＭ）を第２の通信保全モジュール２０６５へ送信する２０９２。第２の通信保全モジュール２０６５は次に、暗号化されたホステッドテレメトリ（すなわち、暗号化されたＨｏＰ  ＴＬＭ）を生成するために、第２のＣＯＭＳＥＣ多様性を用いて、暗号化されていないホステッドテレメトリを暗号化する。
【００６７】
第１の通信保全モジュール２０６２は次に、暗号化されたホストテレメトリをホストテレメトリ送信器  ２０９４へ送信する２０９３。ホストテレメトリ送信器  ２０９４は次に、暗号化されたホストテレメトリをホストＳＯＣ２０５０へ送信する２０９５。ホストＳＯＣ２０５０は次に、暗号化されていないホストテレメトリを生成するために、第１のＣＯＭＳＥＣ多様性を用いて、暗号化されたホストテレメトリを復号する。
【００６８】
第２の通信保全モジュール２０６５は次に、暗号化されたホステッドテレメトリをペイロード２００５へ送信する２０９６。ペイロードアンテナ２０８０は次に、暗号化されたホステッドテレメトリをホスト受信アンテナ２０８５へ送信する２０９７。ペイロードアンテナ２０８０は、一または複数の帯域内周波数帯（すなわち、ペイロードデータを送信するのに用いられる少なくとも１つの周波数帯と同じ少なくとも１つの周波数帯）を用いて、暗号化されたホステッドテレメトリを送信する２０９７。ホスト受信アンテナ２０８５は次に、暗号化されたホステッドテレメトリをホストＳＯＣ２０５０へ送信する２０９８。ホストＳＯＣ２０５０は、暗号化されたホステッドテレメトリをＨＯＣ２０６０へ送信する２０９９。ＨＯＣ２０６０は次に、暗号化されていないホステッドテレメトリを生成するために、第２のＣＯＭＳＥＣ多様性を用いて、暗号化されたホステッドテレメトリを復号する。
【００６９】
図３Ａ、３Ｂ、３Ｃ、及び３Ｄはともに、本開示の少なくとも１つの実施形態に係る、ホステッド受信アンテナへ送信される、ホステッドユーザの帯域内テレメトリを用いた仮想トランスポンダーのための開示の方法を示すフロー図である。本方法の開始３００において、ホステッドペイロード（ＨｏＰ）オペレーションセンター（ＨＯＣ）は、暗号化されたホステッドコマンドを作成するために、第２のＣＯＭＳＥＣ多様性を用いることによって、暗号化されていないホステッドコマンドを暗号化する３０５。次に、ＨＯＣは、暗号化されたホステッドコマンドをホスト宇宙船オペレーションセンター（ＳＯＣ）へ送信する３１０。ホストＳＯＣは、暗号化されたホストコマンドを作成するために、第１のＣＯＭＳＥＣ多様性を用いることによって、暗号化されていないホストコマンドを暗号化する３１５。次に、ホストＳＯＣは、暗号化されたホストコマンドと、暗号化されたホステッドコマンドをビークルへ（帯域外）送信する３２０。
【００７０】
次に、ビークルのホストコマンド受信器は、暗号化されたホストコマンドを受信する３２５。また、ビークルのホステッドコマンド受信器は、暗号化されたホステッドコマンドを受信する３３０。ホストコマンド受信器は、暗号化されたホストコマンドを第１の通信保全モジュールへ送信する３３５。ホステッドコマンド受信器は、暗号化されたホステッドコマンドを第２の通信保全モジュールへ送信する３４０。第１の通信保全モジュールは次に、暗号化されていないホストコマンドを生成するために、暗号化されたホストコマンドを第１のＣＯＭＳＥＣ多様性を用いて復号する３４５。第２の通信保全モジュールは次に、暗号化されていないホステッドコマンドを生成するために、暗号化されたホステッドコマンドを第２のＣＯＭＳＥＣ多様性を用いて復号する３５０。
【００７１】
第１の通信保全モジュールは次に、暗号化されていないホストコマンドをペイロードへ送信する３５５。第２の通信保全モジュールは次に、暗号化されていないホステッドコマンドをペイロードへ送信する３６０。次に、暗号化されていないホストコマンド及び／又は暗号化されていないホステッドコマンドに従ってペイロードが再構成される３６５。ビークルのペイロードアンテナは次に、ペイロードデータをホスト受信アンテナ及び／又はホステッド受信アンテナへ送信する３７０。
【００７２】
次に、ペイロードは、暗号化されていないホストテレメトリを第１の通信保全モジュールへ送信する３７５。また、ペイロードは、暗号化されていないホステッドテレメトリを第２の通信保全モジュールへ送信する３８０。第１の通信保全モジュールは、暗号化されたホストテレメトリを生成するために、第１のＣＯＭＳＥＣ多様性を用いて、暗号化されていないホストテレメトリを暗号化する３８５。また、第２の通信保全モジュールは、暗号化されたホステッドテレメトリを生成するために、第２のＣＯＭＳＥＣ多様性を用いて、暗号化されていないホステッドテレメトリを暗号化する３９０。
【００７３】
第１の通信保全モジュールは次に、暗号化されたホストテレメトリをホストテレメトリ送信器へ送信する３９１。次に、ホストテレメトリ送信器は、暗号化されたホストテレメトリをホストＳＯＣへ送信する３９２。ホストＳＯＣは次に、暗号化されていないホストテレメトリを生成するために、第１のＣＯＭＳＥＣ多様性を用いて、暗号化されたホストテレメトリを復号する３９３。
【００７４】
第２の通信保全モジュールは、暗号化されたホステッドテレメトリをペイロードへ送信する３９４。次に、ペイロードアンテナは、暗号化されたホステッドテレメトリをホステッド受信アンテナへ送信する３９５。ホステッド受信アンテナは次に、暗号化されたホステッドテレメトリをＨＯＣへ送信する３９６。次に、ＨＯＣは、暗号化されていないホステッドテレメトリを生成するために、第２のＣＯＭＳＥＣ多様性を用いて、暗号化されたホステッドテレメトリを復号する３９７。その後、本方法は終了する３９８。
【００７５】
図３Ｅ、３Ｆ、３Ｇ、及び３Ｈはともに、本開示の少なくとも１つの実施形態に係る、ホスト受信アンテナへ送信される、ホステッドユーザの帯域内テレメトリを用いた仮想トランスポンダーのための開示の方法を示すフロー図である。本方法の開始３０００において、ホステッドペイロード（ＨｏＰ）オペレーションセンター（ＨＯＣ）は、暗号化されたホステッドコマンドを作成するために、第２のＣＯＭＳＥＣ多様性を用いることによって、暗号化されていないホステッドコマンドを暗号化する３００５。次に、ＨＯＣは、暗号化されたホステッドコマンドをホスト宇宙船オペレーションセンター（ＳＯＣ）へ送信する３０１０。ホストＳＯＣは、暗号化されたホストコマンドを作成するために、第１のＣＯＭＳＥＣ多様性を用いることによって、暗号化されていないホストコマンドを暗号化する３０１５。次に、ホストＳＯＣは、暗号化されたホストコマンドと暗号化されたホステッドコマンドとをビークルへ（帯域外）送信する３０２０。
【００７６】
次に、ビークルのホストコマンド受信器は、暗号化されたホストコマンドを受信する３０２５。また、ビークルのホステッドコマンド受信器は、暗号化されたホステッドコマンドを受信する３０３０。ホストコマンド受信器は、暗号化されたホストコマンドを第１の通信保全モジュールへ送信する３０３５。ホステッドコマンド受信器は、暗号化されたホステッドコマンドを第２の通信保全モジュールへ送信する３０４０。第１の通信保全モジュールは次に、暗号化されていないホストコマンドを生成するために、第１のＣＯＭＳＥＣ多様性を用いて、暗号化されたホストコマンドを復号する３０４５。第２の通信保全モジュールは次に、暗号化されていないホステッドコマンドを生成するために、第２のＣＯＭＳＥＣ多様性を用いて、暗号化されたホステッドコマンドを復号する３０５０。
【００７７】
第１の通信保全モジュールは次に、暗号化されていないホストコマンドをペイロードへ送信する３０５５。第２の通信保全モジュールは次に、暗号化されていないホステッドコマンドをペイロードへ送信する３０６０。次に、ペイロードが、暗号化されていないホストコマンド及び／又は暗号化されていないホステッドコマンドに従って再構成される３０６５。ビークルのペイロードアンテナは次に、ペイロードデータをホスト受信アンテナ及び／又はホステッド受信アンテナへ送信する３０７０。
【００７８】
次に、ペイロードは、暗号化されていないホストテレメトリを第１の通信保全モジュールへ送信する３０７５。また、ペイロードは、暗号化されていないホステッドテレメトリを第２の通信保全モジュールへ送信する３０８０。第１の通信保全モジュールは、暗号化されたホストテレメトリを生成するために、第１のＣＯＭＳＥＣ多様性を用いて、暗号化されていないホストテレメトリを暗号化する３０８５。また、第２の通信保全モジュールは、暗号化されたホステッドテレメトリを生成するために、第２のＣＯＭＳＥＣ多様性を用いて、暗号化されていないホステッドテレメトリを暗号化する３０９０。
【００７９】
第１の通信保全モジュールは次に、暗号化されたホストテレメトリをホストテレメトリ送信器へ送信する３０９１。次に、ホストテレメトリ送信器は、暗号化されたホストテレメトリをホストＳＯＣへ送信する３０９２。ホストＳＯＣは次に、暗号化されていないホストテレメトリを生成するために、第１のＣＯＭＳＥＣ多様性を用いて、暗号化されたホストテレメトリを復号する３０９３。
【００８０】
第２の通信保全モジュールは、暗号化されたホステッドテレメトリをペイロードへ送信する３０９４。次に、ペイロードアンテナは、暗号化されたホステッドテレメトリをホスト受信アンテナへ送信する３０９５。ホスト受信アンテナは次に、暗号化されたホステッドテレメトリをホストＳＯＣへ送信する３０９６。ホストＳＯＣは、暗号化されたホステッドテレメトリをＨＯＣへ送信する３０９７。次に、ＨＯＣは、暗号化されていないホステッドテレメトリを生成するために、第２のＣＯＭＳＥＣ多様性を用いて、暗号化されたホステッドテレメトリを復号する３０９８。その後、本方法は終了する３０９９。
【００８１】
図４は、本開示の少なくとも１つの実施形態に係る、ホストユーザ（すなわち、ホストＳＯＣ）４５０の帯域内テレメトリを用いた仮想トランスポンダーのための開示のシステムを示す図４００である。この図において、ビークル４１０、ホストＳＯＣ４５０、及びＨＯＣ４６０が示される。ＨＯＣ４６０は、衛星（すなわち、ホストＳＯＣ）４５０の所有者から、ビークル４１０のペイロード４０５の少なくとも一部（すなわち、一または複数の仮想トランスポンダー）をリースしている。ある実施形態では、ＨＯＣ４６０は、衛星（すなわち、ホストＳＯＣ）４５０の所有者からビークル４１０のペイロード４０５の全部をリースしている場合があることに留意すべきである。また、ある実施形態では、ＨＯＣ４６０は、ビークル４１０のペイロード４０５（例：可動アンテナ）を所有し、暗号化されたホステッドコマンドをビークル４１０へ送信するようにホストＳＯＣ４５０と契約している場合があることに留意すべきである。
【００８２】
動作中、ＨＯＣ４６０は、暗号化されたホステッドコマンド（すなわち暗号化されたＨｏＰ  ＣＭＤ）を作成するために、第２のＣＯＭＳＥＣ多様性を用いることによって、暗号化されていないホステッドコマンド（すなわち暗号化されていないＨｏＰ  ＣＭＤ）を暗号化する。ホステッドコマンドは、ＨＯＣ４６０がホストＳＯＣ４５０からリースしているペイロード４０５の一部（すなわち、一または複数の仮想トランスポンダー）を構成するのに使用されるコマンドである。ホストＳＯＣ４５０は、暗号化されたホストコマンド（すなわち、暗号化されたホストＣＭＤ）を作成するために、第１のＣＯＭＳＥＣ多様性を用いることによって、暗号化されていないホストコマンド（すなわち、暗号化されていないホストＣＭＤ）を暗号化する。ホストコマンドは、ホストＳＯＣ４５０がそれ自体のために用いるペイロード４０５の一部（例えば、一または複数のトランスポンダー）を構成するのに使用されるコマンドである。
【００８３】
図４においては、それ自体の地上アンテナがそれ自体の業務ビルのすぐ隣に位置するホストＳＯＣ４５０を示したが、他の実施形態では、ホストＳＯＣ４５０は、それ自体の地上アンテナがそれ自体の業務ビルからかなり離れたところに位置していてよい（例えば地上アンテナは業務ビルとは別の国に位置していてよい）ことに留意すべきである。
【００８４】
また、第１のＣＯＭＳＥＣ多様性は、少なくとも１つの暗号化キー及び／又は少なくとも１つのアルゴリズム（例えば、タイプ１暗号化アルゴリズム又はタイプ２暗号化アルゴリズム）を含みうることに留意すべきである。加えて、第２のＣＯＭＳＥＣ多様性は、少なくとも１つの暗号化キー及び／又は少なくとも１つの暗号化アルゴリズム（例えば、タイプ１暗号化アルゴリズム又はタイプ２暗号化アルゴリズム）を含みうることに留意すべきである。
【００８５】
ＨＯＣ４６０は次に、暗号化されたホステッドコマンドをホストＳＯＣ４５０へ送信する４１５。ホストＳＯＣ４５０が暗号化されたホステッドコマンドを受信した後に、ホストＳＯＣ４５０はビークル４１０へ、暗号化されたホストコマンドを送信し４２０、暗号化されたホステッドコマンドを送信する４２５。ホストＳＯＣ４５０は、一または複数の帯域外周波数帯（すなわち、ペイロードデータを送信するのに用いられる一または複数の周波数帯とは異なる一または複数の周波数帯）を用いて、暗号化されたホストコマンドと暗号化されたホステッドコマンドとを送信する４２０、４２５。ビークル４１０のホストコマンド受信器４３５は、暗号化されたホストコマンドを受信する。加えて、ビークル４１０のホステッドコマンド受信器４４５は、暗号化されたホステッドコマンドを受信する。
【００８６】
他の実施形態では、帯域内テレメトリを用いた仮想トランスポンダーのための開示のシステムは、図４に示すよりも多い又は少ない受信器４３５、４４５を採用しうることに留意すべきである。
【００８７】
ホストコマンド受信器４３５は次に、暗号化されたホストコマンドを第１の通信保全モジュール４６２へ送信する４５２。第１の通信保全モジュール４６２は、暗号化されていないホストコマンドを生成するために、第１のＣＯＭＳＥＣ多様性（すなわち、ＣＯＭＳＥＣ多様性１）を用いて、暗号化されたホストコマンドを復号する。
【００８８】
第１の通信保全モジュール４６２は一または複数のモジュールを含みうることに留意すべきである。加えて、第１の通信保全モジュール４６２は、一または複数のプロセッサを含みうる。
【００８９】
ホステッドコマンド受信器４４５は次に、暗号化されたホステッドコマンドを第２の通信保全モジュール４６５へ送信する４５５。第２の通信保全モジュール４６５は、暗号化されていないホステッドコマンドを生成するために、第２のＣＯＭＳＥＣ多様性（すなわち、ＣＯＭＳＥＣ多様性２）を用いて、暗号化されたホステッドコマンドを復号する。
【００９０】
第２の通信保全モジュール４６５は一または複数のモジュールを含みうることに留意すべきである。加えて、第２の通信保全モジュール４６５は、一または複数のプロセッサを含みうる。
【００９１】
第１の通信保全モジュール４６２は次に、暗号化されていないホストコマンドをペイロード（すなわち、共有のホスト／ホステッドペイロード）４０５へ送信する４７０。第２の通信保全モジュール４６５は、暗号化されていないホステッドコマンドをペイロード（すなわち、共有のホスト／ホステッドペイロード）４０５へ送信する４７５。ペイロード４０５は、暗号化されていないホストコマンド及び／又は暗号化されていないホステッドコマンドに従って再構成される。ペイロードアンテナ４８０は次に、（例えば一または複数のアンテナビーム４８１において）ペイロードデータを地上のホスト受信アンテナ４８５及び／又はホステッド受信アンテナ４９０へ送信する。ある実施形態では、ホステッド受信アンテナ４９０は、図４に示すように、空上の、海上の、又は地上のアンテナであってよいことに留意すべきである。
【００９２】
また、図４において、図示したアンテナビーム４８１は、複数の円形スポットビームを含むが、他の実施形態では、アンテナビーム４８１は、図４に示すよりも多くの又は少ない数のビームを含んでいてよく（例えばアンテナビーム４８１は、単一のビームのみを含みうる）、アンテナビーム４８１は、図４に示す円形スポットビームとは異なる形状のビームを含みうる（例えば、アンテナビーム４８１は、楕円形のビーム及び／又は様々な異なる形状の成形ビームを含みうる）ことにも留意すべきである。
【００９３】
一または複数の実施形態では、ペイロードアンテナ４８０は、非限定的にパラボラリフレクタ及び／又は成形リフレクタを含む一または複数のリフレクタディッシュを含みうる。ある実施形態では、ペイロードアンテナ４８０は、一または複数のマルチフィードアンテナアレイを含みうることに留意すべきである。
【００９４】
ペイロード４０５は、暗号化されていないホストテレメトリ（すなわち、ホストＳＯＣ４５０によって用いられるペイロード４０５の一部に関するテレメトリデータである、暗号化されていないホストＴＬＭ）を第１の通信保全モジュール４６２へ送信する４９１。第１の通信保全モジュール４６２は次に、、暗号化されたホストテレメトリ（すなわち暗号化されたホストＴＬＭ）を生成するために、第１のＣＯＭＳＥＣ多様性を用いて、暗号化されていないホストテレメトリを暗号化する。
【００９５】
ペイロード４０５は、暗号化されていないホステッドテレメトリ（すなわち、ＨＯＣ４６０によってリースされるペイロード４０５の一部に関するテレメトリデータである、暗号化されていないＨｏＰ  ＴＬＭ）を第２の通信保全モジュール４６５へ送信する４９２。第２の通信保全モジュール４６５は次に、暗号化されたホステッドテレメトリ（すなわち、暗号化されたＨｏＰ  ＴＬＭ）を生成するために、第２のＣＯＭＳＥＣ多様性を用いて、暗号化されていないホステッドテレメトリを暗号化する。
【００９６】
第１の通信保全モジュール４６２は次に、暗号化されたホストテレメトリをペイロード４０５へ送信する４９３。ペイロードアンテナ４８０は次に、暗号化されたホストテレメトリをホスト受信アンテナ４８５へ送信する４９７。ペイロードアンテナ４８０は、一または複数の帯域内周波数帯（すなわち、ペイロードデータを送信するのに用いられる少なくとも１つの周波数帯と同じ少なくとも１つの周波数帯）を用いて、暗号化されたホストテレメトリを送信する４９７。ホスト受信アンテナ４８５は次に、暗号化されたホストテレメトリをホストＳＯＣ４５０へ送信する４９８。ホストＳＯＣ４５０は次に、暗号化されていないホストテレメトリを生成するために、第１のＣＯＭＳＥＣ多様性を用いて、暗号化されたホストテレメトリを復号する。
【００９７】
第２の通信保全モジュール４６５は次に、暗号化されたホステッドテレメトリをホステッドテレメトリ送信器４９４へ送信する４９６。ホステッドテレメトリ送信器４９４は次に、暗号化されたホステッドテレメトリをホストＳＯＣ４５０へ送信する４９５。ホストＳＯＣ４５０は次に、暗号化されたホステッドテレメトリをＨＯＣ４６０へ送信する４９９。ＨＯＣ４６０は次に、暗号化されていないホステッドテレメトリを生成するために、第２のＣＯＭＳＥＣ多様性を用いて、暗号化されたホステッドテレメトリを復号する。
【００９８】
図５Ａ、５Ｂ、５Ｃ、及び５Ｄはともに、本開示の少なくとも１つの実施形態に係る、ホストユーザ向け帯域内テレメトリを用いた仮想トランスポンダーのための開示の方法を示すフロー図である。本方法の開始５００において、ホステッドペイロード（ＨｏＰ）オペレーションセンター（ＨＯＣ）は、暗号化されたホステッドコマンドを作成するために、第２のＣＯＭＳＥＣ多様性を用いることによって、暗号化されていないホステッドコマンドを暗号化する５０５。次に、ＨＯＣは、暗号化されたホステッドコマンドをホスト宇宙船オペレーションセンター（ＳＯＣ）へ送信する５１０。ホストＳＯＣは、暗号化されたホストコマンドを作成するために、第１のＣＯＭＳＥＣ多様性を用いることによって、暗号化されていないホストコマンドを暗号化する５１５。次に、ホストＳＯＣは、暗号化されたホストコマンドと、暗号化されたホステッドコマンドをビークルへ（帯域外）送信する５２０。
【００９９】
次に、ビークルのホストコマンド受信器は、暗号化されたホストコマンドを受信する５２５。また、ビークルのホステッドコマンド受信器は、暗号化されたホステッドコマンドを受信する５３０。ホストコマンド受信器は、暗号化されたホストコマンドを第１の通信保全モジュールへ送信する５３５。ホステッドコマンド受信器は、暗号化されたホステッドコマンドを第２の通信保全モジュールへ送信する５４０。第１の通信保全モジュールは次に、暗号化されていないホストコマンドを生成するために、第１のＣＯＭＳＥＣ多様性を用いて、暗号化されたホストコマンドを復号する５４５。第２の通信保全モジュールは次に、暗号化されていないホステッドコマンドを生成するために、第２のＣＯＭＳＥＣ多様性を用いて、暗号化されたホステッドコマンドを復号する５５０。
【０１００】
第１の通信保全モジュールは次に、暗号化されていないホストコマンドをペイロードへ送信する５５５。第２の通信保全モジュールは次に、暗号化されていないホステッドコマンドをペイロードへ送信する５６０。次に、ペイロードは、暗号化されていないホストコマンド及び／又は暗号化されていないホステッドコマンドに従って再構成される５６５。ビークルのペイロードアンテナは次に、ペイロードデータを、ホスト受信アンテナ及び／又はホステッド受信アンテナへ送信する５７０。
【０１０１】
次に、ペイロードは、暗号化されていないホストテレメトリを第１の通信保全モジュールへ送信する５７５。また、ペイロードは、暗号化されていないホステッドテレメトリを第２の通信保全モジュールへ送信する５８０。第１の通信保全モジュールは、暗号化されたホストテレメトリを生成するために、第１のＣＯＭＳＥＣ多様性を用いて、暗号化されていないホストテレメトリを暗号化する５８５。また、第２の通信保全モジュールは、暗号化されたホステッドテレメトリを生成するために、第２のＣＯＭＳＥＣ多様性を用いて、暗号化されていないホステッドテレメトリを暗号化する５９０。
【０１０２】
第１の通信保全モジュールは次に、暗号化されたホストテレメトリをペイロードへ送信する５９１。次に、ペイロードアンテナは、暗号化されたホストテレメトリをホスト受信アンテナへ送信する５９２。ホスト受信アンテナは、暗号化されたホストテレメトリをホストＳＯＣへ送信する５９３。次に、ホストＳＯＣは、暗号化されていないホストテレメトリを生成するために、第１のＣＯＭＳＥＣ多様性を用いて、暗号化されたホストテレメトリを復号する５９４。
【０１０３】
第２の通信保全モジュールは次に、暗号化されたホステッドテレメトリをホステッドテレメトリ送信器へ送信する５９５。次に、ホステッドテレメトリ送信器は、暗号化されたホステッドテレメトリをホストＳＯＣへ送信する５９６。ホストＳＯＣは、暗号化されたホステッドテレメトリをＨＯＣへ送信する５９７。次に、ＨＯＣは、暗号化されていないホステッドテレメトリを生成するために、第２のＣＯＭＳＥＣ多様性を用いて、暗号化されたホステッドテレメトリを復号する５９８。その後、本方法は終了する５９９。
【０１０４】
図６Ａは、本開示の少なくとも１つの実施形態に係る、ホスト受信アンテナ６８５とホステッド受信アンテナ６９０へ送信される、ホストユーザ（すなわち、ホストＳＯＣ）６５０とホステッドユーザ（すなわち、ＨＯＣ）６６０の帯域内テレメトリを用いた仮想トランスポンダーのための開示のシステムを示す図６００である。この図には、ビークル６１０、ホストＳＯＣ６５０、及びＨＯＣ６６０が示されている。ＨＯＣ６６０は、衛星の所有者（すなわち、ホストＳＯＣ）６５０からビークル６１０のペイロード６０５の少なくとも一部（すなわち、一または複数の仮想トランスポンダー）をリースしている。ある実施形態では、ＨＯＣ６６０は、衛星（すなわちホストＳＯＣ）６５０の所有者からビークル６１０のペイロード６０５の全部をリースしている場合があることに留意すべきである。ある実施形態では、ＨＯＣ６６０は、ビークル６１０のペイロード６０５（例：可動アンテナ）を所有し、暗号化されたホステッドコマンドをビークル６１０へ送信するようにホストＳＯＣ６５０と契約している場合があることに留意すべきである。
【０１０５】
動作中、ＨＯＣ６６０は、暗号化されたホステッドコマンド（すなわち暗号化されたＨｏＰ  ＣＭＤ）を作成するために、第２の通信保全（ＣＯＭＳＥＣ）多様性を用いることによって暗号化されていないホステッドコマンド（すなわち暗号化されていないＨｏＰ  ＣＭＤ）を暗号化する。ホステッドコマンドは、ＨＯＣ６６０がホストＳＯＣ６５０からリースしているペイロード６０５の一部（すなわち一または複数の仮想トランスポンダー）を構成するのに使用されるコマンドである。ホストＳＯＣ６５０は、暗号化されたホストコマンド（すなわち暗号化されたホストＣＭＤ）を作成するために、第１のＣＯＭＳＥＣ多様性を用いることによって、暗号化されていないホストコマンド（すなわち暗号化されていないホストＣＭＤ）を暗号化する。ホストコマンドは、ホストＳＯＣ６５０がそれ自体のために用いるペイロード６０５の一部（例：一または複数のトランスポンダー）を構成するのに使用されるコマンドである。
【０１０６】
図６Ａにおいては、それ自体の地上アンテナがそれ自体の業務ビルのすぐ隣に位置するホストＳＯＣ６５０を示したが、他の実施形態では、ホストＳＯＣ６５０は、それ自体の地上アンテナがそれ自体の業務ビルからかなり離れたところに位置していてよい（例えば地上アンテナは業務ビルとは別の国に位置していてよい）ことに留意すべきである。
【０１０７】
また、第１のＣＯＭＳＥＣ多様性は、少なくとも１つの暗号化キー、及び／又は少なくとも１つのアルゴリズム（例：タイプ１暗号化アルゴリズム又はタイプ２暗号化アルゴリズム）を含みうることに留意すべきである。更に、第２のＣＯＭＳＥＣ多様性は、少なくとも１つの暗号化キー、及び／又は少なくとも１つの暗号化アルゴリズム（例：タイプ１暗号化アルゴリズム又はタイプ２暗号化アルゴリズム）を含みうることに留意すべきである。
【０１０８】
ＨＯＣ６６０は次に、暗号化されたホステッドコマンドをホストＳＯＣ６５０へ送信する６１５。ホストＳＯＣ６５０が暗号化されたホステッドコマンドを受信した後に、ホストＳＯＣ６５０はビークル６１０へ、暗号化されたホストコマンドを送信し６２０、暗号化されたホステッドコマンドを送信する６２５。ホストＳＯＣ６５０は、一または複数の帯域外周波数帯（すなわち、ペイロードデータを送信するのに用いられる一または複数の周波数帯とは異なる一または複数の周波数帯）を用いて、暗号化されたホストコマンドと暗号化されたホステッドコマンドを送信する６２０、６２５。ビークル６１０のホストコマンド受信器６３５は、暗号化されたホストコマンドを受信する。加えて、ビークル６１０のホステッドコマンド受信器６４５は、暗号化されたホステッドコマンドを受信する。
【０１０９】
他の実施形態では、帯域内テレメトリを用いた仮想トランスポンダーのための開示のシステムは、図６Ａに示すよりも多いあるいは少ない受信器６３５、６４５を採用しうることに留意すべきである。
【０１１０】
ホストコマンド受信器６３５は次に、暗号化されたホストコマンドを第１の通信保全モジュール６６２へ送信する６５２。第１の通信保全モジュール６６２は、暗号化されていないホストコマンドを生成するために、第１のＣＯＭＳＥＣ多様性（すなわち、ＣＯＭＳＥＣ多様性１）を用いて、暗号化されたホストコマンドを復号する。
【０１１１】
第１の通信保全モジュール６６２は、一または複数のモジュールを含みうることに留意すべきである。加えて、第１の通信保全モジュール６６２は、一または複数のプロセッサを含みうる。
【０１１２】
ホステッドコマンド受信器６４５は次に、暗号化されたホステッドコマンドを第２の通信保全モジュール６６５へ送信する６５５。第２の通信保全モジュール６６５は、暗号化されていないホステッドコマンドを生成するために、第２のＣＯＭＳＥＣ多様性（すなわち、ＣＯＭＳＥＣ多様性２）を用いて、暗号化されたホステッドコマンドを復号する。
【０１１３】
第２の通信保全モジュール６６５は、一または複数のモジュールを含みうることに留意すべきである。加えて、第２の通信保全モジュール６６５は、一または複数のプロセッサを含みうる。
【０１１４】
第１の通信保全モジュール６６２は次に、暗号化されていないホストコマンドをペイロード（すなわち、共有のホスト／ホステッドペイロード）６０５へ送信する６７０。第２の通信保全モジュール６６５は、暗号化されていないホステッドコマンドをペイロード（すなわち、共有のホスト／ホステッドペイロード）６０５へ送信する６７５。ペイロード６０５は、暗号化されていないホストコマンド及び／又は暗号化されていないホステッドコマンドに従って再構成される。ペイロードアンテナ６８０は次に、ペイロードデータを（例えば一または複数のアンテナビーム６８１で）、地上のホスト受信アンテナ６８５及び／又はホステッド受信アンテナ６９０へ送信する。ある実施形態では、ホステッド受信アンテナ６９０は、図６Ａに示すように、空上の、海上の、又は地上のアンテナであってよいことに留意すべきである。
【０１１５】
また、図６Ａにおいて、図示したアンテナビーム６８１は、複数の円形スポットビームを含むが、他の実施形態では、アンテナビーム６８１は、図６Ａに示すよりも多くの又は少ない数のビームを含んでいてよく（例えばアンテナビーム６８１は、単一のビームのみを含みうる）、アンテナビーム６８１は、図６Ａに示す円形スポットビームとは異なる形状のビームを含みうる（例えば、アンテナビーム６８１は、楕円形のビーム及び／又は様々な異なる形状の成形ビームを含みうる）ことにも留意すべきである。
【０１１６】
一または複数の実施形態では、ペイロードアンテナ６８０は、非限定的にパラボラリフレクタ及び／又は成形リフレクタを含む一または複数のリフレクタディッシュを含みうることに留意すべきである。ある実施形態では、ペイロードアンテナ６８０は、一または複数のマルチフィードアンテナアレイを含みうる。
【０１１７】
ペイロード６０５は、暗号化されていないホストテレメトリ（すなわち、ホストＳＯＣ６５０によって用いられるペイロード６０５の一部に関するテレメトリデータである、暗号化されていないホストＴＬＭ）を第１の通信保全モジュール６６２へ送信する６９１。第１の通信保全モジュール６６２は次に、暗号化されたホストテレメトリ（すなわち、暗号化されたホストＴＬＭ）を生成するために、第１のＣＯＭＳＥＣ多様性を用いて、暗号化されていないホストテレメトリを暗号化する。
【０１１８】
ペイロード６０５は、暗号化されていないホステッドテレメトリ（すなわち、ＨＯＣ６６０によってリースされるペイロード６０５の一部に関するテレメトリデータである、暗号化されていないＨｏＰ  ＴＬＭ）を第２の通信保全モジュール６６５へ送信する６９２。第２の通信保全モジュール６６５は次に、暗号化されたホステッドテレメトリ（すなわち、暗号化されたＨｏＰ  ＴＬＭ）を生成するために、第２のＣＯＭＳＥＣ多様性を用いて、暗号化されていないホステッドテレメトリを暗号化する。
【０１１９】
第１の通信保全モジュール６６２は次に、暗号化されたホストテレメトリをペイロード６０５へ送信する６９３。ペイロードアンテナ６８０は次に、暗号化されたホストテレメトリをホスト受信アンテナ６８５へ送信する６９７。ペイロードアンテナ６８０は、一または複数の帯域内周波数帯（すなわち、ペイロードデータを送信するのに用いられる少なくとも１つの周波数帯と同じ少なくとも１つの周波数帯）を用いて、暗号化されたホストテレメトリを送信する６９７。ホスト受信アンテナ６８５は次に、暗号化されたホストテレメトリをホストＳＯＣ６５０へ送信する６９８。ホストＳＯＣ６５０は次に、暗号化されていないホストテレメトリを生成するために、第１のＣＯＭＳＥＣ多様性を用いて、暗号化されたホストテレメトリを復号する。
【０１２０】
第２の通信保全モジュール６６５は次に、暗号化されたホステッドテレメトリをペイロード６０５へ送信する６９６。ペイロードアンテナ６８０は次に、暗号化されたホステッドテレメトリをホステッド受信アンテナ６９０へ送信する６９６。ペイロードアンテナ６８０は、一または複数の帯域内周波数帯（すなわち、ペイロードデータを送信するのに用いられる少なくとも１つの周波数帯と同じ少なくとも１つの周波数帯）を用いて、暗号化されたホステッドテレメトリを送信する６９６。ホステッド受信アンテナ６９０は次に、暗号化されたホステッドテレメトリをＨＯＣ６６０へ送信する６９９。ＨＯＣ６６０は次に、暗号化されていないホステッドテレメトリを生成するために、第２のＣＯＭＳＥＣ多様性を用いて、暗号化されたホステッドテレメトリを復号する。
【０１２１】
図６Ｂは、本開示の少なくとも１つの実施形態に係る、ホスト受信アンテナ６０８５へ送信される、ホストユーザ（すなわち、ホストＳＯＣ）６０５０及びホステッドユーザ（すなわち、ＨＯＣ）６０６０の帯域内テレメトリを用いた仮想トランスポンダーのための開示のシステムを示す図６０００である。この図では、ビークル６０１０、ホストＳＯＣ６０５０、及びＨＯＣ６０６０が示されている。ある実施形態では、ＨＯＣ６０６０は、衛星（すなわちホストＳＯＣ）６０５０の所有者から、ビークル６０１０のペイロード６００５の少なくとも一部（すなわち、一または複数の仮想トランスポンダー）をリースしている場合がある。また、ある実施形態では、ＨＯＣ６０６０は、ビークル６０１０のペイロード６００５（例：可動アンテナ）を所有し、暗号化されたホステッドコマンドをビークル６０１０へ送信するようにホストＳＯＣ６０５０と契約している場合があることにも留意すべきである。
【０１２２】
動作中、ＨＯＣ６０６０は、暗号化されたホステッドコマンド（すなわち、暗号化されたＨｏＰ  ＣＭＤ）を作成するために、第２のＣＯＭＳＥＣ多様性を用いることによって暗号化されていないホステッドコマンド（すなわち、暗号化されていないＨｏＰ  ＣＭＤ）を暗号化する。ホステッドコマンドは、ＨＯＣ６０６０がホストＳＯＣ６０５０からリースしているペイロード６００５の一部（すなわち、一または複数の仮想トランスポンダー）を構成するのに使用されるコマンドである。ホストＳＯＣ６０５０は、暗号化されたホストコマンド（すなわち、暗号化されたホストＣＭＤ）を作成するために、第１のＣＯＭＳＥＣ多様性を用いることによって、暗号化されていないホストコマンド（すなわち、暗号化されていないホストＣＭＤ）を暗号化する。ホストコマンドは、ホストＳＯＣ６０５０がそれ自体のために用いるペイロード６００５の一部（例：一または複数のトランスポンダー）を構成するのに使用されるコマンドである。
【０１２３】
図６Ｂにおいては、それ自体の地上アンテナがそれ自体の業務ビルのすぐ隣に位置するホストＳＯＣ６０５０を示したが、他の実施形態では、ホストＳＯＣ６０５０は、それ自体の地上アンテナがそれ自体の業務ビルからかなり離れたところに位置していてよい（例えば、地上アンテナは業務ビルとは別の国に位置していてよい）ことに留意すべきである。
【０１２４】
また、第１のＣＯＭＳＥＣ多様性は、少なくとも１つの暗号化キー及び／又は少なくとも１つのアルゴリズム（例えば、タイプ１暗号化アルゴリズム又はタイプ２暗号化アルゴリズム）を含みうることに留意すべきである。さらに、第２のＣＯＭＳＥＣ多様性は、少なくとも１つの暗号化キー及び／又は少なくとも１つの暗号化アルゴリズム（例えば、タイプ１暗号化アルゴリズム又はタイプ２暗号化アルゴリズム）を含みうることに留意すべきである。
【０１２５】
ＨＯＣ６０６０は次に、暗号化されたホステッドコマンドをホストＳＯＣ６０５０へ送信する６０１５。ホストＳＯＣ６０５０が暗号化されたホステッドコマンドを受信した後に、ホストＳＯＣ６０５０は、ビークル６０１０へ暗号化されたホストコマンドを送信し６０２０、暗号化されたホステッドコマンドを送信する６０２５。ホストＳＯＣ６０５０は、一または複数の帯域外周波数帯（すなわち、ペイロードデータを送信するのに用いられる一または複数の周波数帯とは違う一または複数の周波数帯）を用いて、暗号化されたホストコマンドを送信し６０２０、暗号化されたホステッドコマンドを送信する６０２５。ビークル６０１０のホストコマンド受信器６０３５は、暗号化されたホストコマンドを受信する。加えて、ビークル６０１０のホステッドコマンド受信器６０４５は、暗号化されたホステッドコマンドを受信する。
【０１２６】
他の実施形態では、帯域内テレメトリを用いた仮想トランスポンダーのための開示のシステムは、図６Ｂに示すよりも多い又は少ない受信器６０３５、６０４５を採用しうることに留意すべきである。
【０１２７】
ホストコマンド受信器６０３５は次に、暗号化されたホストコマンドを第１の通信保全モジュール６０６２へ送信する６０５２。第１の通信保全モジュール６０６２は、暗号化されていないホストコマンドを生成するために、第１のＣＯＭＳＥＣ多様性（すなわち、ＣＯＭＳＥＣ多様性１）を用いて、暗号化されたホストコマンドを復号する。
【０１２８】
第１の通信保全モジュール６０６２は、一または複数のモジュールを含みうることに留意すべきである。加えて、第１の通信保全モジュール６０６２は、一または複数のプロセッサを含みうる。
【０１２９】
ホステッドコマンド受信器６０４５は次に、暗号化されたホステッドコマンドを第２の通信保全モジュール６０６５へ送信する６０５５。第２の通信保全モジュール６０６５は、暗号化されていないホステッドコマンドを生成するために、第２のＣＯＭＳＥＣ多様性（すなわち、ＣＯＭＳＥＣ多様性２）を用いて、暗号化されたホステッドコマンドを復号する。
【０１３０】
第２の通信保全モジュール６０６５は、一または複数のモジュールを含みうることに留意すべきである。加えて、第２の通信保全モジュール６０６５は、一または複数のプロセッサを含みうる。
【０１３１】
第１の通信保全モジュール６０６２は次に、暗号化されていないホストコマンドをペイロード（すなわち、共有のホスト／ホステッドペイロード）６００５へ送信する６０７０。第２の通信保全モジュール６０６５は、暗号化されていないホステッドコマンドをペイロード（すなわち、共有のホスト／ホステッドペイロード）６００５へ送信する６０７５。ペイロード６００５は、暗号化されていないホストコマンド及び／又は暗号化されていないホステッドコマンドにしたがって再構成される。ペイロードアンテナ６０８０は次に、ペイロードデータを（例えば、一又は複数のアンテナビーム６０８１において）地上のホスト受信アンテナ６０８５及び／又はホステッド受信アンテナ６０９０へ送信する。図６Ｂに示すように、ある実施形態では、ホステッド受信アンテナ６０９０は、空上の、海上の、又は地上のアンテナであってよいことに留意すべきである。
【０１３２】
また、図６Ｂにおいて、図示したアンテナビーム６０８１は、複数の円形スポットビームを含むが、他の実施形態では、アンテナビーム６０８１は、図６Ｂに示すよりも多くの又は少ない数のビームを含んでいてよく（例えばアンテナビーム６０８１は、単一のビームのみを含みうる）、アンテナビーム６０８１は、図６Ｂに示す円形スポットビームとは異なる形状のビームを含みうる（例えば、アンテナビーム６０８１は、楕円形のビーム及び／又は様々な異なる形状の成形ビームを含みうる）ことにも留意すべきである。
【０１３３】
一または複数の実施形態では、ペイロードアンテナ６０８０は、非限定的にパラボラリフレクタ、及び／又は成形リフレクタを含む、一または複数のリフレクタディッシュを含みうる。ある実施形態では、ペイロードアンテナ６８０は、一または複数のマルチフィードアンテナアレイを含みうることに留意すべきである。
【０１３４】
ペイロード６００５は、暗号化されていないホストテレメトリ（すなわち、ホストＳＯＣ６０５０によって用いられるペイロード６００５の一部に関するテレメトリデータである、暗号化されていないホストＴＬＭ）を第１の通信保全モジュール６０６２へ送信する６０９１。第１の通信保全モジュール６０６２は次に、暗号化されたホストテレメトリ（すなわち、暗号化されたホストＴＬＭ）を生成するために、第１のＣＯＭＳＥＣ多様性を用いて、暗号化されていないホストテレメトリを暗号化する。
【０１３５】
ペイロード６００５は、暗号化されていないホステッドテレメトリ（すなわち、ＨＯＣ６０６０によってリースされるペイロード６００５の一部に関するテレメトリデータである、暗号化されていないＨｏＰ  ＴＬＭ）を第２の通信保全モジュール６０６５へ送信する６０９２。第２の通信保全モジュール６０６５は次に、暗号化されたホステッドテレメトリ（すなわち、暗号化されたＨｏＰ  ＴＬＭ）を生成するために、第２のＣＯＭＳＥＣ多様性を用いて暗号化されていないホステッドテレメトリを暗号化する。
【０１３６】
第１の通信保全モジュール６０６２は次に、暗号化されたホストテレメトリをペイロード６００５へ送信する６０９３。ペイロードアンテナ６０８０は次に、暗号化されたホストテレメトリをホスト受信アンテナ６０８５へ送信する６０９７。ペイロードアンテナ６０８０は、一または複数の帯域内周波数帯（すなわち、ペイロードデータを送信するのに用いられる少なくとも１つの周波数帯と同じ少なくとも１つの周波数帯）を用いて、暗号化されたホストテレメトリを送信する６０９７。ホスト受信アンテナ６０８５は次に、暗号化されたホストテレメトリをホストＳＯＣ６０５０へ送信する６０９８。ホストＳＯＣ６０５０は次に、暗号化されていないホストテレメトリを生成するために、第１のＣＯＭＳＥＣ多様性を用いて、暗号化されたホストテレメトリを復号する。
【０１３７】
第２の通信保全モジュール６０６５は次に、暗号化されたホステッドテレメトリをペイロード６００５へ送信する６０９６。ペイロードアンテナ６０８０は次に、暗号化されたホステッドテレメトリをホスト受信アンテナ６０８５へ送信する６０９６。ペイロードアンテナ６０８０は、一または複数の帯域内周波数帯（すなわち、ペイロードデータを送信するのに用いられる少なくとも１つの周波数帯と同じ少なくとも１つの周波数帯）を用いて、暗号化されたホステッドテレメトリを送信する６０９６。ホスト受信アンテナ６０８５は次に、暗号化されたホステッドテレメトリをホストＳＯＣ６０５０へ送信する６０９９。ホストＳＯＣ６０５０は、暗号化されたホステッドテレメトリをＨＯＣ６０６０へ送信する６０９０。ＨＯＣ６０６０は次に、暗号化されていないホステッドテレメトリを生成するために、第２のＣＯＭＳＥＣ多様性を用いて、暗号化されたホステッドテレメトリを復号する。
【０１３８】
図７Ａ、７Ｂ、７Ｃ、及び７Ｄはともに、本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示の方法を示すフロー図である。本方法の開始７００において、ホステッドペイロード（ＨｏＰ）オペレーションセンター（ＨＯＣ）は、暗号化されたホステッドコマンドを作成するために、第２のＣＯＭＳＥＣ多様性を用いることによって、暗号化されていないホステッドコマンドを暗号化する７０５。次に、ＨＯＣは、暗号化されたホステッドコマンドをホスト宇宙船オペレーションセンター（ＳＯＣ）へ送信する７１０。ホストＳＯＣは、暗号化されたホストコマンドを作成するために、第１のＣＯＭＳＥＣ多様性を用いることによって、暗号化されていないホストコマンドを暗号化する７１５。次に、ホストＳＯＣは、暗号化されたホストコマンドと、暗号化されたホステッドコマンドをビークルへ（帯域外）送信する７２０。
【０１３９】
次に、ビークルのホストコマンド受信器は、暗号化されたホストコマンドを受信する７２５。また、ビークルのホステッドコマンド受信器は、暗号化されたホステッドコマンドを受信する７３０。ホストコマンド受信器は、暗号化されたホストコマンドを第１の通信保全モジュールへ送信する７３５。ホステッドコマンド受信器は、暗号化されたホステッドコマンドを第２の通信保全モジュールへ送信する７４０。第１の通信保全モジュールは次に、暗号化されていないホストコマンドを生成するために、第１のＣＯＭＳＥＣ多様性を用いて、暗号化されたホストコマンドを復号する７４５。第２の通信保全モジュールは次に、暗号化されていないホステッドコマンドを生成するために、第２のＣＯＭＳＥＣ多様性を用いて、暗号化されたホステッドコマンドを復号する７５０。
【０１４０】
第１の通信保全モジュールは次に、暗号化されていないホストコマンドをペイロードへ送信する７５５。第２の通信保全モジュールは次に、暗号化されていないホステッドコマンドをペイロードへ送信する７６０。次に、ペイロードは、暗号化されていないホストコマンド及び／又は暗号化されていないホステッドコマンドにしたがって再構成される７６５。ビークルのペイロードアンテナは次に、ペイロードデータをホスト受信アンテナ及び／又はホステッド受信アンテナへ送信する７７０。
【０１４１】
次に、ペイロードは、暗号化されていないホストテレメトリを第１の通信保全モジュールへ送信する７７５。また、ペイロードは、暗号化されていないホステッドテレメトリを第２の通信保全モジュールへ送信する７８０。第１の通信保全モジュールは、暗号化されたホストテレメトリを生成するために、第１のＣＯＭＳＥＣ多様性を用いて、暗号化されていないホストテレメトリを暗号化する７８５。また、第２の通信保全モジュールは、暗号化されたホステッドテレメトリを生成するために、第２のＣＯＭＳＥＣ多様性を用いて、暗号化されていないホステッドテレメトリを暗号化する７９０。
【０１４２】
次に、第１の通信保全モジュールは、暗号化されたホストテレメトリをペイロードへ送信する７９１。ペイロードアンテナは次に、暗号化されたホストテレメトリをホスト受信アンテナへ送信する７９２。次に、ホスト受信アンテナは、暗号化されたホストテレメトリをホストＳＯＣへ送信する７９３。ホストＳＯＣは次に、暗号化されていないホストテレメトリを生成するために、第１のＣＯＭＳＥＣ多様性を用いて、暗号化されたホストテレメトリを復号する７９４。
【０１４３】
第２の通信保全モジュールは、暗号化されたホステッドテレメトリをペイロードへ送信する７９５。ペイロードアンテナは次に、暗号化されたホステッドテレメトリをホステッド受信アンテナへ送信する７９６。ホステッド受信アンテナは次に、暗号化されたホステッドテレメトリをＨＯＣへ送信する７９７。次に、ＨＯＣは、暗号化されていないホステッドテレメトリを生成するために、第２のＣＯＭＳＥＣ多様性を用いて、暗号化されたホステッドテレメトリを復号する７９８。その後、本方法は終了する７９９。
【０１４４】
図７Ｅ、７Ｆ、７Ｇ、及び７Ｈはともに、本開示の少なくとも１つの実施形態に係る、ホスト受信アンテナへ送信される、ホストユーザ及びホステッドユーザの帯域内テレメトリを用いた仮想トランスポンダーのための開示の方法を示すフロー図である。本方法の開始７０００において、ホステッドペイロード（ＨｏＰ）オペレーションセンター（ＨＯＣ）は、暗号化されたホステッドコマンドを作成するために、第２のＣＯＭＳＥＣ多様性を用いることによって、暗号化されていないホステッドコマンドを暗号化する７００５。次に、ＨＯＣは、暗号化されたホステッドコマンドをホスト宇宙船オペレーションセンター（ＳＯＣ）へ送信する７０１０。ホストＳＯＣは、暗号化されたホストコマンドを作成するために、第１のＣＯＭＳＥＣ多様性を用いることによって、暗号化されていないホストコマンドを暗号化する７０１５。次に、ホストＳＯＣは、暗号化されたホストコマンドと暗号化されたホステッドコマンドとをビークルへ（帯域外）送信する７０２０。
【０１４５】
次に、ビークルのホストコマンド受信器は、暗号化されたホストコマンドを受信する７０２５。また、ビークルのホステッドコマンド受信器は次に、暗号化されたホステッドコマンドを受信する７０３０。ホストコマンド受信器は、暗号化されたホストコマンドを第１の通信保全モジュールへ送信する７０３５。ホステッドコマンド受信器は、暗号化されたホステッドコマンドを第２の通信保全モジュールへ送信する７０４０。第１の通信保全モジュールは次に、暗号化されていないホストコマンドを生成するために、第１のＣＯＭＳＥＣ多様性を用いて、暗号化されたホストコマンドを復号する７０４５。第２の通信保全モジュールは次に、暗号化されていないホステッドコマンドを生成するために、第２のＣＯＭＳＥＣ多様性を用いて、暗号化されたホステッドコマンドを復号する７０５０。
【０１４６】
第１の通信保全モジュールは次に、暗号化されていないホストコマンドをペイロードへ送信する７０５５。第２の通信保全モジュールは次に、暗号化されていないホステッドコマンドをペイロードへ送信する７０６０。次に、ペイロードは、暗号化されていないホストコマンド及び／又は暗号化されてないホステッドコマンドに従って再構成される７０６５。ビークルのペイロードアンテナは次に、ペイロードデータをホスト受信アンテナ及び／又はホステッド受信アンテナへ送信する７０７０。
【０１４７】
次に、ペイロードは、暗号化されていないホストテレメトリを第１の通信保全モジュールへ送信する７０７５。また、ペイロードは、暗号化されていないホステッドテレメトリを第２の通信保全モジュールへ送信する７０８０。第１の通信保全モジュールは、暗号化されたホストテレメトリを生成するために、第１のＣＯＭＳＥＣ多様性を用いて暗号化されていないホストテレメトリを暗号化する７０８５。また、第２の通信保全モジュールは、暗号化されたホステッドテレメトリを生成するために、第２のＣＯＭＳＥＣ多様性を用いて暗号化されていないホステッドテレメトリを暗号化する７０９０。
【０１４８】
次に、第１の通信保全モジュールは、暗号化されたホストテレメトリをペイロードへ送信する７０９１。次に、ペイロードアンテナは、暗号化されたホストテレメトリをホスト受信アンテナへ送信する７０９２。ホスト受信アンテナは次に、暗号化されたホストテレメトリをホストＳＯＣへ送信する７０９３。ホストＳＯＣは次に、暗号化されていないホストテレメトリを生成するために、第１のＣＯＭＳＥＣ多様性を用いて、暗号化されたホストテレメトリを復号する７０９４。
【０１４９】
第２の通信保全モジュールは、暗号化されたホステッドテレメトリをペイロードへ送信する７０９５。ペイロードアンテナは次に、暗号化されたホステッドテレメトリをホスト受信アンテナへ送信する７０９６。ホスト受信アンテナは次に、暗号化されたホステッドテレメトリをホストＳＯＣへ送信する７０９７。ホストＳＯＣは、暗号化されたホステッドテレメトリをＨＯＣへ送信する７０９８。次に、ＨＯＣは、暗号化されていないホステッドテレメトリを生成するために、第２のＣＯＭＳＥＣ多様性を用いて、暗号化されたホステッドテレメトリを復号する７０９９。その後、本方法は終了する７００１。
【０１５０】
図８Ａは、本開示の少なくとも１つの実施形態に係る、ホスト受信アンテナ８８５とホステッド受信アンテナ８９０へ送信される、ホストユーザ（すなわち、ホストＳＯＣ）８５０及びホステッドユーザ（すなわち、ＨＯＣ）８６０の帯域内テレメトリを用いた仮想トランスポンダーのための開示のシステムを示す図８００であり、テレメトリは単一の通信保全（ＣＯＭＳＥＣ）多様性を用いて暗号化される。この図において、ビークル８１０、ホストＳＯＣ８５０、及びＨＯＣ８６０が示される。ＨＯＣ８６０は、衛星（すなわち、ホストＳＯＣ）８５０の所有者から、ビークル８１０のペイロード８０５の少なくとも一部（すなわち、一または複数の仮想トランスポンダー）をリースしている。ある実施形態では、ＨＯＣ８６０は、衛星（すなわち、ホストＳＯＣ）８５０の所有者からビークル８１０のペイロード８０５の全部をリースしている場合があることに留意すべきである。また、ある実施形態では、ＨＯＣ８６０は、ビークル８１０のペイロード８０５（例：可動アンテナ）を所有し、暗号化されたホステッドコマンドをビークル８１０へ送信するようにホストＳＯＣ８５０と契約している場合があることに留意すべきである。
【０１５１】
動作中、ＨＯＣ８６０は、暗号化されたホステッドコマンド（すなわち、暗号化されたＨｏＰ  ＣＭＤ）を作成するために、第２のＣＯＭＳＥＣ多様性を用いることによって暗号化されていないホステッドコマンド（すなわち、暗号化されていないＨｏＰ  ＣＭＤ）を暗号化する。ホステッドコマンドは、ＨＯＣ８６０がホストＳＯＣ８５０からリースしているペイロード８０５の一部（すなわち、一または複数の仮想トランスポンダー）を構成するのに使用されるコマンドである。ホストＳＯＣ８５０は、暗号化されたホストコマンド（すなわち、暗号化されたホストＣＭＤ）を作成するために、第１のＣＯＭＳＥＣ多様性を用いることによって、暗号化されていないホストコマンド（すなわち、暗号化されていないホストＣＭＤ）を暗号化する。ホストコマンドは、ホストＳＯＣ８５０がそれ自体のために用いるペイロード８０５の一部（例えば、一または複数のトランスポンダー）を構成するのに使用されるコマンドである。
【０１５２】
図８Ａにおいては、それ自体の地上アンテナがそれ自体の業務ビルのすぐ隣に位置するホストＳＯＣ８５０を示したが、他の実施形態では、ホストＳＯＣ８５０は、それ自体の地上アンテナがそれ自体の業務ビルからかなり離れたところに位置していてよい（例えば、地上アンテナは業務ビルとは別の国に位置していてよい）ことに留意すべきである。
【０１５３】
また、第１のＣＯＭＳＥＣ多様性は、少なくとも１つの暗号化キー、及び／又は少なくとも１つのアルゴリズム（例：タイプ１暗号化アルゴリズム又はタイプ２暗号化アルゴリズム）を含みうることに留意すべきである。更に、第２のＣＯＭＳＥＣ多様性は、少なくとも１つの暗号化キー、及び／又は少なくとも１つの暗号化アルゴリズム（例：タイプ１暗号化アルゴリズム又はタイプ２暗号化アルゴリズム）を含みうることに留意すべきである。
【０１５４】
ＨＯＣ８６０は次に、暗号化されたホステッドコマンドをホストＳＯＣ８５０へ送信する８１５。ホストＳＯＣ８５０が暗号化されたホステッドコマンドを受信した後に、ホストＳＯＣ８５０は、ビークル８１０へ、暗号化されたホストコマンドを送信し８２０、暗号化されたホステッドコマンドを送信する８２５。ホストＳＯＣ８５０は、一または複数の帯域外周波数帯（すなわち、ペイロードデータを送信するのに用いられる一または複数の周波数帯とは異なる一または複数の周波数帯）を用いて、暗号化されたホストコマンドと暗号化されたホステッドコマンドとを送信する８２０、８２５。ビークル８１０のホストコマンド受信器８３５は、暗号化されたホストコマンドを受信する。加えて、ビークル８１０のホステッドコマンド受信器８４５は、暗号化されたホステッドコマンドを受信する。
【０１５５】
他の実施形態では、帯域内テレメトリを用いた仮想トランスポンダーのための開示のシステムは、図８Ａに示すものよりも多い又は少ない受信器８３５、８４５を採用しうることに留意すべきである。
【０１５６】
ホストコマンド受信器８３５は次に、暗号化されたホストコマンドを第１の通信保全モジュール８６２へ送信する８５２。第１の通信保全モジュール８６２は、暗号化されていないホストコマンドを生成するために、第１のＣＯＭＳＥＣ多様性（すなわち、ＣＯＭＳＥＣ多様性１）を用いて、暗号化されたホストコマンドを復号する。
【０１５７】
第１の通信保全モジュール８６２は、一または複数のモジュールを含みうることに留意すべきである。加えて、第１の通信保全モジュール８６２は、一または複数のプロセッサを含みうる。
【０１５８】
ホステッドコマンド受信器８４５は次に、暗号化されたホステッドコマンドを第２の通信保全モジュール８６５へ送信する８５５。第２の通信保全モジュール８６５は、暗号化されていないホステッドコマンドを生成するために、第２のＣＯＭＳＥＣ多様性（すなわちＣＯＭＳＥＣ多様性２）を用いて、暗号化されたホステッドコマンドを復号する。
【０１５９】
第２の通信保全モジュール８６５は、一または複数のモジュールを含みうることに留意すべきである。加えて、第２の通信保全モジュール８６５は、一または複数のプロセッサを含みうる。
【０１６０】
第１の通信保全モジュール８６２は次に、暗号化されていないホストコマンドをペイロード（すなわち、共有のホスト／ホステッドペイロード）８０５へ送信する８７０。第２の通信保全モジュール８６５は、暗号化されていないホステッドコマンドをペイロード（すなわち、共有のホスト／ホステッドペイロード）８０５へ送信する８７５。ペイロード８０５は、暗号化されていないホストコマンド及び／又は暗号化されていないホステッドコマンドに従って再構成される。ペイロードアンテナ８８０は次に、ペイロードデータを（例えば一または複数のアンテナビーム８８１で）地上のホスト受信アンテナ８８５及び／又はホステッド受信アンテナ８９０へ送信する。ある実施形態では、ホステッド受信アンテナ８９０は、図８Ａに示すように、空上の、海上の、又は地上のアンテナであってよいことに留意すべきである。
【０１６１】
図８Ａでは、図示したアンテナビーム８８１は、複数の円形スポットビームを含むが、他の実施形態では、アンテナビーム８８１は、図８Ａに示すよりも多くの又は少ない数のビームを含んでいてよく（例えば、アンテナビーム８８１は、単一のビームのみを含みうる）、アンテナビーム８８１は、図８Ａに示す円形スポットビームとは異なる形状のビームを含みうる（例えば、アンテナビーム８８１は、楕円形のビーム及び／又は様々な異なる形状の成形ビームを含みうる）ことにも留意すべきである。
【０１６２】
一または複数の実施形態では、ペイロードアンテナ８８０は、非限定的に、パラボラリフレクタ及び／又は成形リフレクタを含む一または複数のリフレクタディッシュを含みうることに留意すべきである。ある実施形態では、ペイロードアンテナ８８０は、一または複数のマルチフィードアンテナアレイを含みうる。
【０１６３】
ペイロードアンテナ８０５は、暗号化されていないテレメトリを第１の通信保全モジュール８６２へ送信する８９１。暗号化されていないテレメトリは、暗号化されていないホストテレメトリ（すなわち、ホストＳＯＣ８５０によって用いられるペイロード８０５の一部に関するテレメトリデータである、暗号化されていないホストＴＬＭ）と、暗号化されていないホステッドテレメトリ（すなわち、ＨＯＣ８６０によってリースされるペイロード８０５の一部に関するテレメトリデータである、暗号化されていないＨｏＰ  ＴＬＭ）とを含む。第１の通信保全モジュール８６２は次に、暗号化されたテレメトリ（すなわち、暗号化されたＴＬＭ）を生成するために、第１のＣＯＭＳＥＣ多様性を用いて暗号化されていないテレメトリを暗号化する。
【０１６４】
第１の通信保全モジュール８６２は次に、暗号化されたテレメトリをペイロード８０５へ送信する８９３。ペイロードアンテナ８８０は次に、暗号化されたテレメトリをホスト受信アンテナ８８５へ送信する８９７。ペイロードアンテナ８８０は、一または複数の帯域内周波数帯（ペイロードデータを送信するのに用いられる少なくとも１つの周波数帯と同じ少なくとも１つの周波数帯）を用いて、暗号化されたテレメトリをホスト受信アンテナ８８５へ送信する８９７。ホスト受信アンテナ８８５は次に、暗号化されたテレメトリをホストＳＯＣ８５０へ送信する８９８。ホストＳＯＣ８５０は次に、暗号化されていないテレメトリを生成するために、第１のＣＯＭＳＥＣ多様性を用いて、暗号化されたテレメトリを復号する。ホストＳＯＣ８５０は次に、ホストペイロードのデコミュテート情報を含み、ホステッドペイロードのデコミュケート情報は含まないデータベース（すなわち、ホステッドペイロードのデコミュケート情報を含まないデータベース）を用いて、暗号化されていないテレメトリを読み取って、ホストＳＯＣ８５０によって用いられるペイロード８０５の一部に関するテレメトリデータを決定する。
【０１６５】
ペイロードアンテナ８８０は次に、暗号化されたテレメトリをホステッド受信アンテナ８９０へ送信する８９６。ペイロードアンテナ８８０は、一または複数の帯域内周波数帯（ペイロードデータを送信するのに用いられる少なくとも１つの周波数帯と同じ少なくとも１つの周波数帯）を用いて、暗号化されたテレメトリをホステッド受信アンテナ８９０へ送信する８９６。ホステッド受信アンテナ８９０は次に、暗号化されたテレメトリをＨＯＣ８６０へ送信する８９９。ＨＯＣ８６０は次に、暗号化されていないテレメトリを生成するために、第１のＣＯＭＳＥＣ多様性を用いて、暗号化されたテレメトリを復号する。ＨＯＣ８６０は次に、ホステッドペイロードのデコミュテートされた情報を含み、ホストペイロードのデコミュケートされた情報は含まないデータベース（すなわち、ホストペイロードのデコミュケートされた情報を含まないデータベース）を用いて、暗号化されていないテレメトリを読み取って、ＨＯＣ８６０によって用いられるペイロード８０５の一部に関するテレメトリデータを決定する。
【０１６６】
図８Ｂは、本開示の少なくとも１つの実施形態に係る、ホスト受信アンテナ８０８５に送信される、ホストユーザ（すなわち、ホストＨＯＣ）８０５０及びホステッドユーザ（すなわち、ＨＯＣ）８０６０の帯域内テレメトリを用いた仮想トランスポンダーのための開示のシステムを示す図８０００であり、テレメトリは単一の通信保全（ＣＯＭＳＥＣ）多様性を用いて暗号化される。この図には、ビークル８０１０、ホストＳＯＣ８０５０、及びＨＯＣ８０６０が示されている。ＨＯＣ８０６０は、衛星（すなわち、ホストＳＯＣ）８０５０の所有者からビークル８０１０のペイロード８００５の少なくとも一部（例：一または複数の仮想トランスポンダー）をリースしている。ある実施形態では、ＨＯＣ８０６０は、衛星（すなわちホストＳＯＣ）８０５０の所有者からビークル８０１０のペイロード８００５の全部をリースしている場合があることに留意すべきである。また、ある実施形態では、ＨＯＣ８０６０は、ビークル８０１０のペイロード８００５（例：可動アンテナ）を所有し、ビークル８０１０へ暗号化されたホステッドコマンドを送信するようにホストＳＯＣ８０５０と契約している場合があることにも留意すべきである。
【０１６７】
動作中、ＨＯＣ８０６０は、暗号化されたホステッドコマンド（すなわち、暗号化されたＨｏＰ  ＣＭＤ）を作成するために、第２のＣＯＭＳＥＣ多様性を用いることによって暗号化されていないホステッドコマンド（すなわち、暗号化されていないＨｏＰ  ＣＭＤ）を暗号化する。ホステッドコマンドは、ＨＯＣ８０６０がホストＳＯＣ８０５０からリースしているペイロード８００５の一部（すなわち、一または複数の仮想トランスポンダー）を構成するのに使用されるコマンドである。ホストＳＯＣ８０５０は、暗号化されたホストコマンド（すなわち、暗号化されたホストＣＭＤ）を作成するために、第１のＣＯＭＳＥＣ多様性を用いることによって、暗号化されていないホストコマンド（すなわち、暗号化されていないホストＣＭＤ）を暗号化する。ホストコマンドは、ホストＳＯＣ８０５０がそれ自体のために用いる、ペイロード８００５の一部（例：一または複数のトランスポンダー）を構成するのに使用されるコマンドである。
【０１６８】
図８Ｂに示すホストＳＯＣ８０５０は、それ自体の地上アンテナがそれ自体の業務ビルのすぐ隣に位置づけされているが、他の実施形態では、ホストＳＯＣ８０５０は、それ自体の地上アンテナを、それ自体の業務ビルから非常に離れたところに位置づけすることができる（例えば、地上アンテナは、業務ビルとは別の国に位置していてよい）ことに留意すべきである。
【０１６９】
また、第１のＣＯＭＳＥＣ多様性は、少なくとも１つの暗号化キー及び／又は少なくとも１つのアルゴリズム（例えば、タイプ１暗号化アルゴリズム又はタイプ２暗号化アルゴリズム）を含みうることに留意すべきである。さらに、第２のＣＯＭＳＥＣ多様性は、少なくとも１つの暗号化キー及び／又は少なくとも１つの暗号化アルゴリズム（例えば、タイプ１暗号化アルゴリズム又はタイプ２暗号化アルゴリズム）を含みうることに留意すべきである。
【０１７０】
ＨＯＣ８０６０は次に、暗号化されたホステッドコマンドをホストＳＯＣ８０５０へ送信する８０１５。ホストＳＯＣ８０５０が暗号化されたホステッドコマンドを受信した後に、ホストＳＯＣ８０５０は、ビークル８０１０へ暗号化されたホストコマンドを送信し８０２０、暗号化されたホステッドコマンドを送信する８０２５。ホストＳＯＣ８０５０は、一または複数の帯域外周波数帯（すなわち、ペイロードデータを送信するために用いられる一または複数の周波数帯とは異なる一または複数の周波数帯）を用いて、暗号化されたホストコマンドと暗号化されたホステッドコマンドを送信する８０２０、８０２５。ビークル８０１０のホストコマンド受信器８０３５は、暗号化されたホストコマンドを受信する。加えて、ビークル８０１０のホステッドコマンド受信器８０４５は、暗号化されたホステッドコマンドを受信する。
【０１７１】
他の実施形態では、帯域内テレメトリを用いた仮想トランスポンダーのための開示のシステムは、図８Ｂに示すよりも多い又は少ない受信器８０３５、８０４５を採用しうることに留意すべきである。
【０１７２】
ホストコマンド受信器８０３５は次に、暗号化されたホストコマンドを第１の通信保全モジュール８０６２へ送信する８０５２。第１の通信保全モジュール８０６２は、暗号化されていないホストコマンドを生成するために、第１のＣＯＭＳＥＣ多様性（すなわち、ＣＯＭＳＥＣ多様性１）を用いて、暗号化されたホストコマンドを復号する。
【０１７３】
第１の通信保全モジュール８０６２は、一または複数のモジュールを含みうることに留意すべきである。加えて、第１の通信保全モジュール８０６２は、一または複数のプロセッサを含みうる。
【０１７４】
ホステッドコマンド受信器８０４５は次に、暗号化されたホステッドコマンドを第２の通信保全モジュール８０６５へ送信する８０５５。第２の通信保全モジュール８０６５は、暗号化されていないホステッドコマンドを生成するために、第２のＣＯＭＳＥＣ多様性（すなわち、ＣＯＭＳＥＣ多様性２）を用いて、暗号化されたホステッドコマンドを復号する。
【０１７５】
第２の通信保全モジュール８０６５は、一または複数のモジュールを含みうることに留意すべきである。加えて、第２の通信保全モジュール８０６５は、一または複数のプロセッサを含みうる。
【０１７６】
第１の通信保全モジュール８０６２は次に、暗号化されていないホストコマンドをペイロード（すなわち、共有のホスト／ホステッドペイロード）８００５へ送信する８０７０。第２の通信保全モジュール８０６５は、暗号化されていないホステッドコマンドをペイロード（すなわち、共有のホスト／ホステッドペイロード）８００５へ送信する８０７５。ペイロード８００５は、暗号化されていないホストコマンド及び／又は暗号化されていないホステッドコマンドにしたがって再構成される。ペイロードアンテナ８０８０は次に、ペイロードデータを地上のホスト受信アンテナ８０８５及び／又はホステッド受信アンテナ８０９０へ（例えば一または複数のアンテナビーム８０８１で）送信する。ある実施形態では、図８Ｂに示すように、ホステッド受信アンテナ８０９０は、空上の、海上の、又は地上のアンテナであってよいことに留意すべきである。
【０１７７】
また、図８Ｂにおいて、図示したアンテナビーム８０８１は、複数の円形スポットビームを含むが、他の実施形態では、アンテナビーム８０８１は、図８Ｂに示すよりも多くの又は少ない数のビームを含んでいてよく（例えばアンテナビーム８０８１は、単一のビームのみを含みうる）、アンテナビーム８０８１は、図８Ｂに示す円形スポットビームとは異なる形状のビームを含みうる（例えば、アンテナビーム８０８１は、楕円形のビーム及び／又は様々な異なる形状の成形ビームを含みうる）ことにも留意すべきである。
【０１７８】
一または複数の実施形態では、ペイロードアンテナ８０８０は、非限定的にパラボラリフレクタ及び／又は成形リフレクタを含む一または複数のリフレクタディッシュを含みうることに留意すべきである。ある実施形態では、ペイロードアンテナ８０８０は、一または複数のマルチフィードアンテナアレイを含みうる。
【０１７９】
ペイロード８００５は、暗号化されていないテレメトリを第１の通信保全モジュール８０６２へ送信する８０９１。暗号化されていないテレメトリは、暗号化されていないホストテレメトリ（すなわち、ホストＨＯＣ８０５０によって用いられるペイロード８００５の一部に関するテレメトリデータである暗号化されていないホストＴＬＭ）と、暗号化されていないホステッドテレメトリ（すなわち、ＨＯＣ８０６０によってリースされるペイロード８００５の一部に関するテレメトリデータである暗号化されていないＨｏＰ  ＴＬＭ）第１の通信保全モジュール８０６２は次に、暗号化されたテレメトリ（すなわち、暗号化されたＴＬＭ）を生成するために、第１のＣＯＭＳＥＣ多様性を用いて暗号化されていないテレメトリを暗号化する。
【０１８０】
第１の通信保全モジュール８０６２は次に、暗号化されたテレメトリをペイロード８００５へ送信する８０９３。ペイロードアンテナ８０８０は次に、暗号化されたテレメトリをホスト受信アンテナ８０８５へ送信する８０９７。ペイロードアンテナ８０８０は、暗号化されたテレメトリを、一または複数の帯域内周波数帯（すなわち、ペイロードデータを送信するのに用いられる少なくとも１つの周波数帯と同じ少なくとも１つの周波数帯）を用いて送信する８０９７。ホスト受信アンテナ８０８５は次に、暗号化されたテレメトリをホストＳＯＣ８０５０へ送信する８０９８。ホストＳＯＣ８０５０は次に、暗号化されていないテレメトリを生成するために、第１のＣＯＭＳＥＣ多様性を用いて、暗号化されたテレメトリを復号する。ホストＨＯＣ８０５０は次に、ホストペイロードのデコミュテートされた情報を含み、ホステッドペイロードのデコミュテートされた情報は含まないデータベース（すなわち、ホステッドペイロードのデコミュテートされた情報を含まないデータベース）を用いて、暗号化されていないテレメトリを読み取って、ホストＳＯＣ８０５０によって用いられるペイロード８００５の一部に関するテレメトリデータを決定する。
【０１８１】
ホストＳＯＣ８０５０は、暗号化されたテレメトリをＨＯＣ８０６０へ送信する８０９９。ＨＯＣ８０６０は次に、暗号化されていないテレメトリを生成するために、第１のＣＯＭＳＥＣ多様性を用いて、暗号化されたテレメトリを復号する。ＨＯＣ８０６０は次に、ホステッドペイロードのデコミュテートされた情報を含み、ホストペイロードのデコミュテートされた情報は含まないデータベース（すなわち、ホストペイロードのデコミュテートされた情報を含まないデータベース）を用いて、暗号化されていないテレメトリを読み取って、ＨＯＣ８０６０によって用いられるペイロード８００５の一部に関するテレメトリデータを決定する。
【０１８２】
図９Ａ、９Ｂ、９Ｃ、及び９Ｄはともに、本開示の少なくとも１つの実施形態に係る、ホスト受信アンテナ及びホステッド受信アンテナへ送信される、ホストユーザ及びホステッドユーザの帯域内テレメトリを用いた仮想トランスポンダーのための開示の方法を示すフロー図であり、テレメトリは単一のＣＯＭＳＥＣ多様性を用いて暗号化される。本方法の開始９００において、ホステッドペイロード（ＨｏＰ）オペレーションセンター（ＨＯＣ）は、暗号化されたホステッドコマンドを生成するために、第２のＣＯＭＳＥＣ多様性を用いることによって、暗号化されていないホステッドコマンドを暗号化する９０５。次に、ＨＯＣは、暗号化されたホステッドコマンドをホスト宇宙船オペレーションセンター（ＳＯＣ）へ送信する９１０。ホストＳＯＣは、暗号化されたホストコマンドを生成するために、第１のＣＯＭＳＥＣ多様性を用いることによって、暗号化されていないホストコマンドを暗号化する９１５。次に、ホストＳＯＣは、暗号化されたホストコマンドと暗号化されたホステッドコマンドをビークルへ（帯域外）送信する９２０。
【０１８３】
次に、ビークルのホストコマンド受信器は、暗号化されたホストコマンドを受信する９２５。ビークルのホステッドコマンド受信器は、暗号化されたホステッドコマンドを受信する９３０。ホストコマンド受信器は、暗号化されたホストコマンドを第１の通信保全モジュールへ送信する９３５。ホステッドコマンド受信器は、暗号化されたホステッドコマンドを第２の通信保全モジュールへ送信する９４０。第１の通信保全モジュールは次に、暗号化されていないホストコマンドを生成するために、第１のＣＯＭＳＥＣ多様性を用いて、暗号化されたホストコマンドを復号する９４５。第２の通信保全モジュールは次に、暗号化されていないホステッドコマンドを生成するために、第２のＣＯＭＳＥＣ多様性を用いて、暗号化されたホステッドコマンドを復号する９５０。
【０１８４】
第１の通信保全モジュールは次に、暗号化されていないホストコマンドをペイロードへ送信する９５５。第２の通信保全モジュールは次に、暗号化されていないホステッドコマンドをペイロードへ送信する９６０。次に、ペイロードは、暗号化されていないホストコマンド、及び／又は暗号化されていないホステッドコマンドに従って再構成される９６５。ビークルのペイロードアンテナは次に、ペイロードデータをホスト受信アンテナ及び／又はホステッド受信アンテナへ送信する９７０。
【０１８５】
次に、ペイロードは、暗号化されていないテレメトリを第１の通信保全モジュールへ送信する９７５。第１の通信保全モジュールは、暗号化されたテレメトリを生成するために、第１のＣＯＭＳＥＣ多様性を用いて暗号化されていないテレメトリを暗号化する９８０。
【０１８６】
次に、第１の通信保全モジュールは、暗号化されたテレメトリをペイロードへ送信する９８５。ペイロードアンテナは次に、暗号化されたテレメトリをホスト受信アンテナへ送信する９９０。次に、ホスト受信アンテナは、暗号化されたテレメトリをホストＳＯＣへ送信する９９１。ホストＳＯＣは次に、暗号化されていないテレメトリを生成するために、第１のＣＯＭＳＥＣ多様性を用いて、暗号化されたテレメトリを復号する９９２。次に、ホストＳＯＣは、暗号化されたテレメトリを読み取るために、ホステッドのデコミュテートされた情報を含まないデータベースを使用することによって、ホストＨＯＣによって用いられるペイロードの一部に関するテレメトリデータを決定する９９３。
【０１８７】
ペイロードアンテナは、暗号化されたテレメトリをホステッド受信アンテナへ送信する９９４。ホステッド受信アンテナは次に、暗号化されたテレメトリをＨＯＣへ送信する９９５。次に、ＨＯＣは、暗号化されていないテレメトリを生成するために、第１のＣＯＭＳＥＣ多様性を用いて、暗号化されたテレメトリを復号する９９６。次に、ＨＯＣは、暗号化されたテレメトリを読み取るために、ホストのデコミュテートされた情報を含まないデータベースを使用することによって、ＨＯＣによって用いられるペイロードの一部に関するテレメトリデータを決定する９９７。次に、本方法は終了する９９８。
【０１８８】
図９Ｅ、９Ｆ、９Ｇ、及び９Ｈはともに、本開示の少なくとも１つの実施形態に係る、ホスト受信アンテナへ送信される、ホストユーザ及びホステッドユーザの帯域内テレメトリを用いた仮想トランスポンダーのための開示の方法を示すフロー図であり、テレメトリは単一のＣＯＭＳＥＣ多様性を用いて暗号化される。本方法の開始９０００において、ホステッドペイロード（ＨｏＰ）オペレーションセンター（ＨＯＣ）は、暗号化されたホステッドコマンドを生成するために、第２のＣＯＭＳＥＣ多様性を用いることによって、暗号化されていないホステッドコマンドを暗号化する９００５。次に、ＨＯＣは、暗号化されたホステッドコマンドをホスト宇宙船オペレーションセンター（ＳＯＣ）へ送信する９０１０。ホストＳＯＣは、暗号化されたホストコマンドを生成するために、第１のＣＯＭＳＥＣ多様性を用いることによって、暗号化されていないホストコマンドを暗号化する９０１５。次に、ホストＳＯＣは、暗号化されたホストコマンドと暗号化されたホステッドコマンドをビークルへ（帯域外）送信する９０２０。
【０１８９】
次に、ビークルのホストコマンド受信器は、暗号化されたホストコマンドを受信する９０２５。また、ビークルのホステッドコマンド受信器は、暗号化されたホステッドコマンドを受信する９０３０。ホストコマンド受信器は、暗号化されたホストコマンドを第１の通信保全モジュールへ送信する９０３５。ホステッドコマンド受信器は、暗号化されたホステッドコマンドを第２の通信保全モジュールへ送信する９０４０。第１の通信保全モジュールは次に、暗号化されていないホストコマンドを生成するために、第１のＣＯＭＳＥＣ多様性を用いて、暗号化されたホストコマンドを復号する９０４５。第２の通信保全モジュールは次に、暗号化されていないホステッドコマンドを生成するために、第２のＣＯＭＳＥＣ多様性を用いて、暗号化されたホステッドコマンドを復号する９０５０。
【０１９０】
第１の通信保全モジュールは次に、暗号化されていないホストコマンドをペイロードへ送信する９０５５。第２の通信保全モジュールは次に、暗号化されていないホステッドコマンドをペイロードへ送信する９０６０。次に、ペイロードは、暗号化されていないホストコマンド、及び／又は暗号化されていないホステッドコマンドに従って再構成される９０６５。ビークルのペイロードアンテナは次に、ペイロードデータをホスト受信アンテナ及び／又はホステッド受信アンテナへ送信する９０７０。
【０１９１】
次に、ペイロードは、暗号化されていないテレメトリを第１の通信保全モジュールへ送信する９０７５。第１の通信保全モジュールは、暗号化されたテレメトリを生成するために、第１のＣＯＭＳＥＣ多様性を用いて暗号化されていないテレメトリを暗号化する９０８０。
【０１９２】
次に、第１の通信保全モジュールは、暗号化されたテレメトリをペイロードへ送信する９０８５。ペイロードアンテナは次に、暗号化されたテレメトリをホスト受信アンテナへ送信する９０９０。次に、ホスト受信アンテナは、暗号化されたテレメトリをホストＳＯＣへ送信する９０９１。ホストＳＯＣは次に、暗号化されていないテレメトリを生成するために、第１のＣＯＭＳＥＣ多様性を用いて、暗号化されたテレメトリを復号する９０９２。次に、ホストＳＯＣは、暗号化されたテレメトリを読み取るために、ホステッドのデコミュテートされた情報を含まないデータベースを使用することによって、ホストＳＯＣによって用いられるペイロードの一部に関するテレメトリデータを決定する９０９３。
【０１９３】
ホストＳＯＣは次に、暗号化されたテレメトリをＨＯＣへ送信する９０９５。次に、ＨＯＣは、暗号化されていないテレメトリを生成するために、第１のＣＯＭＳＥＣ多様性を用いて、暗号化されたテレメトリを復号する９０９６。次に、ＨＯＣは、暗号化されたテレメトリを読み取るために、ホストのデコミュテートされた情報を含まないデータベースを使用することによって、ＨＯＣによって用いられるペイロードの一部に関するテレメトリデータを決定する９０９７。次に、本方法は終了する９０９８。
【０１９４】
図１０は、本開示の少なくとも１つの実施形態に係る、ビークル１２１０の仮想トランスポンダーのための開示の方法を示す図１０００である。この図では、コンピュータ装置１０１０が示される。コンピュータ装置１０１０は、ステーション（例：ホストステーション、又はホステッドステーション）に位置していてよい。コンピュータ装置１０１０がホストステーション（すなわち、ホストユーザによって操作されるステーション（ホストＳＯＣ））に位置している場合、コンピュータ装置１０１０はホストコンピュータ装置と称される。また、コンピュータ装置１０１０がホステッドステーション（すなわち、ホステッドユーザによって操作されるステーション（ＨＯＣ））に位置している場合、コンピュータ装置１０１０はホステッドコンピュータ装置と称される。一または複数の実施形態では、ステーションは地上局１０１５、陸上ビークル（例：軍用ジープ）１０２０、飛行ビークル（例：航空機）１０２５、又は海上ビークル（例：船）１０３０である。
【０１９５】
動作中、ユーザ（例えば、ホストユーザ又はホステッドユーザ）１００５は、コンピュータ装置１０１０（例：ホストコンピュータ装置又はホステッドコンピュータ装置）のスクリーンに表示されたグラフィカルユーザインターフェース（ＧＵＩ）（例えば、ホストＧＵＩ又はホステッドＧＵＩ）１０３５を介して、ユーザ１００５によって用いられるビークル１２１０のペイロード１２８０の一部における少なくとも１つの異なる変数の各オプション（例：値）を選択する。図１２に示すペイロード１２８０の詳細は、コンピュータ装置１０１０のスクリーンに表示されるＧＵＩ１０３５を示すものであることに留意すべきである。
【０１９６】
ユーザ１００５に表示されるＧＵＩ１０３５を使用することによって、ユーザ１００５によって選択されうる、ビークル１２１０のペイロード１２８０の異なる変数を示す図１２を参照する。また、ユーザ１００５に表示されるＧＵＩ１０３５を使用することによって、ユーザ１００５によって選択されうる、ペイロード１２８０のデジタルチャネライザ１２７０の異なる変数を示す図１３も参照する。一または複数の実施形態では、ＧＵＩ１０３５によって様々な異なる変数が選択のために提示され得、これには、非限定的に、少なくとも１つのトランスポンダーの電力、少なくとも１つのトランスポンダーのスペクトル、少なくとも１つのトランスポンダーの利得設定、少なくとも１つのトランスポンダーのリミッタ設定、少なくとも１つのトランスポンダーの自動レベル制御設定、少なくとも１つのトランスポンダーの位相設定、少なくとも１つのトランスポンダーの内部利得発生、少なくとも１つのビームの帯域幅、少なくとも１つのビームの少なくとも１つの周波数帯、少なくとも１つのトランスポンダーのビーム成形設定、少なくとも１つのビームの実効等方放射電力（ＥＩＲＰ）、少なくとも１つのトランスポンダーのチャネル、及び／又は少なくとも１つのビームのビームステアリングを含む。ユーザ１００５は、ＧＵＩ１０３５を使用することによって、また値を打ち込むことによって、又はドロップダウンメニューから値を選択することによって（例えば、関連の送信アンテナ１２５５の所望の送信周波数帯を打ち込むことによって）ペイロード１２８０の関連変数をクリックすることによって（例えば、ミキサに関連する送信アンテナ１２５５の周波数帯を変えるために、ミキサ１２６５のうちの１つをクリックすることによって）オプションを選択することができることに留意すべきである。図１２に示すペイロード１２８０は例示のペイロードであり、この図は、ＧＵＩ１０３５を使用することによって、ユーザ１００５が選択できる全ての可能な異なる値を示すものではないことに留意すべきである。
【０１９７】
ユーザ１００５が、コンピュータ装置１０１０上に表示されたＧＵＩ１０３５を介して、ユーザ１００５によって用いられるビークル１２１０のペイロード１２８０の一部における少なくとも１つの変数各々のオプションを選択した後に、その一または複数のオプションは、構成アルゴリズム（ＣＡ）１０４５（例えば、ＣＡＣｏｎｆｉｇ．ｘｍｌ１０５０等のＸＭＬファイルに含まれるアルゴリズム）に送信される１０４０。ＣＡ１０４５は次に、一または複数のオプションを使用することによって、ユーザ１００５によって用いられるビークル１２１０のペイロード１２８０の一部の構成を生成する。次に、ＣＡ１０４５は、この構成をコマンド生成器（例えば、ホストコマンド生成器又はホステッドコマンド生成器）１０６０へ送信する１０５５。オプションとして、ＣＡ１０４５は、この構成をレポートファイル１０６５にも保存する。
【０１９８】
コマンド生成器１０６０が構成を受信した後に、コマンド生成器１０６０は、その構成を使用することによって、ユーザ１００５によって用いられるビークル１２１０のペイロード１２８０の一部を再構成するためのコマンド（例：ホストコマンド又はホステッドコマンド）を生成する。次に、コマンドは、暗号化モジュール１０７５へ送信される１０７０。コマンドを受信した後に、暗号化モジュール１０７５は次に、暗号化されたコマンド（例えば、ホストの暗号化されたコマンド又はホステッドの暗号化されたコマンド）を生成するために、（例えば、第１のＣＯＭＳＥＣ多様性又は第２のＣＯＭＳＥＣ多様性を用いることによって）コマンドを暗号化する。
【０１９９】
次に、暗号化されたコマンドは、ステーション（例：地上局１０１５）、陸上ビークル（例：軍用ジープ）１０２０、飛行ビークル（例：航空機）１０２５、又は海上ビークル（例：船）１０３０からビークル１２１０へ送信される１０８０。一または複数の実施形態では、コンピュータ装置１０１０、ＣＡ１０４５、コマンド生成器１０６０、及び暗号化モジュール１０７５は全てステーション（例：ホストステーション又はホステッドステーション）に位置していることに留意すべきである。他の実施形態では、これらのアイテムの一部又はそれ以上が異なる場所に位置していてよい。加えて、一または複数の実施形態では、ビークル１２１０は、飛行ビークル（例：衛星、航空機、無人機（ＵＡＶ）、又は宇宙往還機）である。
【０２００】
ビークル１２１０が暗号化されたコマンドを受信した後に、ビークルは、暗号化されていないコマンド（例：ホストの暗号化されていないコマンド又はホステッドの暗号化されていないコマンド）を生成するために、コマンドを復号する。次に、ユーザ１００５によって用いられるビークル１２１０のペイロード１２８０の一部が、暗号化されていないコマンドを使用することによって再構成される。一または複数の実施形態では、ペイロード１２８０を再構成することは、少なくとも１つのアンテナ１２１５、１２５５（図１２参照）、少なくとも１つのアナログデジタル変換器、少なくとも１つのデジタルアナログ変換器、少なくとも１つのビームフォーマー、少なくとも１つのデジタルチャネライザ１３１０（図１３参照）、少なくとも１つの復調器、少なくとも１つの変調器、少なくとも１つのデジタルスイッチマトリックス１３２０（図１３参照）、及び／又は少なくとも１つのデジタル結合器１３３０（図１３参照）を再構成することを含みうる。他の実施形態では、ペイロード１２８０を再構成することは、少なくとも１つのアナログスイッチマトリックスを再構成することを含みうることに留意すべきである。
【０２０１】
図１１は、本開示の少なくとも１つの実施形態に係る、開示の仮想トランスポンダーを用いたときの、複数のビーム（Ｕ１−Ｕ４５）間への帯域幅の例示的な割り当てを示す図１１００である。この図において、各ビーム（Ｕ１−Ｕ４５）の帯域幅は、棒で示されている。
【０２０２】
図１１００の左側１１１０に示す各ビーム（Ｕ１−Ｕ４５）の帯域幅の一部は、ホストユーザ（すなわち、ビークルの所有者）によってのみ用いられる。この実施例において、ホストユーザは、ペイロードのいかなる部分もホステッドユーザ（すなわち、顧客）にリースしていない。
【０２０３】
図１１００の右側１１２０に示す各ビームの帯域幅の一部は、ホストユーザ（すなわち、ビークルの所有者）によって用いられる。また、図示した各ビーム（Ｕ１−Ｕ４５）の帯域幅の、ホストユーザによって用いられない（全部とはいかなくても）少なくとも一部は、ホステッドユーザ（すなわち、顧客）によって用いられる。この実施例において、ホストユーザは、ペイロードの一部をホステッドユーザ（すなわち、顧客）にリースしている。具体的には、ホストユーザは、各ビーム（Ｕ１−Ｕ４５）の帯域幅の一部をホステッドユーザにリースしている。
【０２０４】
他の実施形態では、ホストユーザは、一または複数のビームの（全部とはいかなくても）一部の全帯域幅をホステッドユーザにリースしていてよい。これらの実施形態において、ホステッドユーザだけが、これらのリースされた一または複数のビームの帯域幅を使用することに留意すべきである。
【０２０５】
図１２は、本開示の少なくとも１つの実施形態に係る、開示の仮想トランスポンダーを用いたときの、（すなわち、アップリンク及びダウンリンクビームを含む）複数のビーム（Ｕ１−ＵＮ）間への帯域幅の柔軟な割り当てにおけるスイッチアーキテクチャを示す図１２００である。この図では、ビークル１２１０のペイロード１２８０の詳細が示される。具体的には、図示したビークル１２１０の複数の（すなわち、Ｎ数の）受信アンテナ１２１５は各々、アップリンクビーム（Ｕ１−ＵＮ）のうちの１つを受信する。このため、例えば、入力ポート１に接続された受信アンテナ１２１５はアップリンクビームＵ６を受信し、入力ポート２に接続された受信アンテナ１２１５はアップリンクビームＵ１４を受信し、入力ポートＮに接続された受信アンテナ１２１５はアップリンクビームＵ３４を受信する。図示した各受信アンテナ１２１５では、偏光子（すなわち、ｐｏｌ）１２２０、及び導波管フィルタ（すなわち、ＷＧフィルタ）１２２５が後ろにある。
【０２０６】
また、この図において、図示したビークル１２１０の複数の（すなわち、Ｎ数の）送信アンテナ１２５５は各々、ダウンリンクビーム（Ｕ１−ＵＮ）のうちの１つを受信する。このため、例えば、出力ポート１に接続された送信アンテナ１２５５はダウンリンクビームＵ１９を受信し、出力ポート２に接続された送信アンテナ１２５５はダウンリンクビームＵ６を受信し、出力ポートＮに接続された送信アンテナ１２５５はダウンリンクビームＵ１を受信する。図示した各送信アンテナ１２５５では、偏光子（すなわち、ｐｏｌ）１２４５、及び導波管フィルタ（すなわち、ＷＧフィルタ）１２５０が前にある。
【０２０７】
一または複数の実施形態では、受信アンテナ１２１５と送信アンテナ１２５５には、非限定的に、パラボラリフレクタアンテナ、成形リフレクタアンテナ、マルチフィードアレイアンテナ、フェーズアレイアンテナ、及び／又はこれらのいずれかの組み合わせを含む様々な異なる種類のアンテナを採用しうることに留意すべきである。
【０２０８】
動作中、ホストユーザ１２０５は、暗号化されたホストコマンドを作成するために、暗号化されていないホストコマンドを暗号化する。また、ホステッドユーザ１２３０は、暗号化されたホステッドコマンドを作成するために、暗号化されていないホステッドコマンドを暗号化する。ホステッドユーザ１２３０は、暗号化されたホステッドコマンドをホストユーザ１２０５へ送信する１２３５。ホストユーザ１２０５は、暗号化されたホストコマンドと暗号化されたホステッドコマンドをビークル１２１０へ送信する１２４０。ビークル１２１０において暗号化されたホストコマンドと、暗号化されたホステッドコマンドが復号されて、暗号化されていないホストコマンドと暗号化されていないホステッドコマンドが作成される。
【０２０９】
次に、ビークル１２１０のペイロードは、暗号化されていないホストコマンドと暗号化されていないホステッドコマンドを受信する。デジタルチャネライザ１２７０は次に、暗号化されていないホストコマンドと、暗号化されていないホステッドコマンドに従って、アップリンクビーム（Ｕ１  -  ＵＮ）とダウンリンクビーム（Ｕ１  -  ＵＮ）のチャネルを再構成する。チャネルの構成により、アップリンクビーム（Ｕ１  -  ＵＮ）とダウンリンクビーム（Ｕ１  -  ＵＮ）の帯域幅が、ホストユーザ１２０５とホステッドユーザ１２３０との間で割り当てられる。
【０２１０】
また、送信アンテナ１２５５と受信アンテナ１２１５は、暗号化されていないホストコマンドと暗号化されていないホステッドコマンドにしたがって構成される。例えば、送信アンテナ１２５５及び／又は受信アンテナ１２１５の全部ではなくとも幾つかをジンバル式にして、これらのビームを地上の異なる場所に投影することができる。また、例えば、送信アンテナ１２５５及び／又は受信アンテナ１２１５の全部ではなくとも幾つかの位相は、（１）ビームの形状が変化する（例えば、ビームのカバレージエリアを変える、ビームの一または複数のピーク振幅を変える、及び／又は地上の一または複数のピーク振幅の場所を変える効果を有する）、及び／又は（２）ビームが地上の異なる場所に投影される（すなわち、アンテナ１２１５、１２５５をジンバル式にするのと同じ効果を有する）ように、変えることができる。
【０２１１】
更に、入力ポートのミキサ１２６０及び／又は出力ポートのミキサ１２６５は、暗号化されていないホストコマンド及び／又は暗号化されていないホステッドコマンドに従って構成される。例えば、入力ポートのミキサ１２６０及び／又は出力ポートのミキサ１２６５の全部ではなくとも幾つかを異なる周波数帯において混合して、ビーム（Ｕ１-ＵＮ）の一または複数の周波数帯を変えることができる。
【０２１２】
図１３は、本開示の少なくとも１つの実施形態に係る、図１２のデジタルチャネライザ１２７０の詳細を示す図１３００である。この図において、図示したデジタルチャネライザ１２７０は、チャネライザ１３１０、スイッチマトリックス１３２０、及び結合器１３３０である、３つの主なパーツを含む。デジタルチャネライザ１３１０は、各入力ポートからの入力ビームスペクトル（例：周波数帯）を入力サブチャネル（すなわち、周波数スライス）に分割する。この図において、図示した各ビームスペクトル（すなわち、周波数帯）は、１２の入力サブチャネル（すなわち、周波数スライス）に分割される。他の実施形態では、各入力ビームスペクトルは、図１３に示すように、１２よりも多い又は少ない入力サブチャネルに分割されうることに留意すべきである。
【０２１３】
スイッチマトリックス１３２０は、入力ポートからの入力サブチャネルを、これらに割り当てられたそれぞれの出力ポートへルーティングし、出力ポートにおいてこれらは出力サブチャネルと称される。この図では、スイッチマトリックス１３２０によって用いることができる、直接マッピング１３４０、インビームマルチキャスト１３５０、クロスビームマルチキャスト１３６０、クロスビームマッピング１３７０、及びクロスビームポイントツーポイントルーティング１３８０を含む、５つの例示的な種類のルーティングが示されている。結合器１３３０は、出力サブチャネルを結合させて、各出力ポートの出力ビームスペクトルを生成する。前述したように、ペイロード１２８０の再構成の間、デジタルチャネライザ１２７０のチャネライザ１３１０、スイッチマトリックス１３２０、及び／又は結合器１３３０は、さまざまな異なる数の方法（例：入力ビームスペクトルの入力サブチャネルへの分割を変更すること、入力サブチャネルのルーティングを変更すること、及び／又は出力サブチャネルの結合を変更して、出力ビームスペクトルを生成すること）で再構成されうる。
【０２１４】
図１４は、本開示の少なくとも１つの実施形態に係る、本開示の仮想トランスポンダーによって用いられうるビークル（例：衛星）１４１０の例示の構成要素を示す図１４００である。この図に図示したビークル１４１０の様々な構成要素は、暗号化されていないホストコマンド（例：ホストチャネル１４３０）及び／又は暗号化されていないホステッドコマンド（例：ホステッドチャネル１４２０）に従って、構成されうる。
【０２１５】
この図では、暗号化されていないホストコマンド（例えば、ホストチャネル１４３０）及び／又は暗号化されていないホステッドコマンド（例えば、ホステッドチャネル１４２０）にしたがって構成されうる、アップリンクアンテナ１４４０、ダウンリンクアンテナ１４５０、及びオールデジタルペイロード１４６０の様々な構成要素（アナログデジタル（Ａ／Ｄ）変換器１４６５、デジタルチャネライザ１４７５、デジタルスイッチマトリックス１４９５、デジタル結合器１４１５、及びデジタルアナログ（Ｄ／Ａ）変換器１４３５を含む）が示される。加えて、オールデジタルペイロード１４６０の幾つかの他の構成要素（アップリンクビーム成形器１４７０、復調器１４８０、変調器１４９０、及びダウンリンクビーム成形器１４２５を含む）がオプションとして、暗号化されていないホストコマンド（例えば、ホストチャネル１４３０）及び／又は暗号化されていないホステッドコマンド（例えば、ホステッドチャネル１４２０）にしたがって構成されうる。
【０２１６】
図１５Ａ及び図１５Ｂはともに、本開示の少なくとも１つの実施形態に係る、ビークルの仮想トランスポンダーのための開示の方法を示すフロー図である。本方法の開始１５００において、ホストユーザは、ホストコンピュータ装置のホストＧＵＩで、ホストユーザによって用いられるビークルのペイロードの一部における少なくとも１つの変数の各オプションを選択する１５０５。また、ホステッドユーザは、ホステッドコンピュータ装置のホステッドグラフィカルユーザインターフェース（ＧＵＩ）で、ホステッドユーザによって用いられるビークルのペイロードの一部における少なくとも１つの変数の各オプションを選択する１５１０。次に、構成アルゴリズム（ＣＡ）は、ホストユーザによって用いられるビークルのペイロードの一部における少なくとも１つの変数の各オプションを使用することによって、ホストユーザによって用いられるビークルのペイロードの一部の構成を生成する１５１５。また、ＣＡは、ホステッドユーザによって用いられるビークルのペイロードの一部における少なくとも１つの変数の各オプションを使用することによって、ホステッドユーザによって用いられるビークルのペイロードの一部の構成を生成する１５２０。
【０２１７】
ホストコマンド生成器は次に、ホストユーザによって用いられるビークルのペイロードの一部の構成を使用することによって、ホストユーザによって用いられるビークルのペイロードの一部を再構成するためのホストコマンドを生成する１５２５。また、ホステッドコマンド生成器は、ホステッドユーザによって用いられるビークルのペイロードの一部の構成を使用することによって、ホステッドユーザによって用いられるビークルのペイロードの一部を再構成するためのホステッドコマンドを生成する１５３０。次に、ホストコマンド及びホステッドコマンドがビークルに送信される１５３５。ホストユーザによって用いられるビークルのペイロードの一部は次に、ホストコマンドを使用することによって再構成される１５４０。また、ホステッドユーザによって用いられるビークルのペイロードの一部は、ホステッドコマンドを使用することによって再構成される１５４５。その後、本方法は終了する１５５０。
【０２１８】
図１６は、本開示の少なくとも１つの実施形態に係る、ホステッドユーザの帯域内テレメトリの例示のスクリプト１６００を示す図である。特に、この例示のスクリプト１６００は、図２のシステム、及び図３Ａ〜３Ｄの方法に示すように、ホステッドユーザの帯域内テレメトリにおいて使用されうる（例えば、帯域内テレメトリは、ペイロードアンテナ２８０によって、一または複数の帯域内周波数帯を用いて、ホステッドテレメトリ信号内でホステッド受信アンテナ２９０へ送信される２９７暗号化されたホステッドテレメトリである）。
【０２１９】
この図において、図示したスクリプト１６００は、Ｎミリ秒（ｍｓｅｃ）のマスターサイクル時間に等しい時間の間、実行され、スクリプト１６００は、ホステッドテレメトリ信号内で繰り返される。スクリプト１６００は、スペクトル監視システム１（ＳＭＳ１）信号上に変調された単一ストリームで送信されうる。帯域内テレメトリデータは、安全保護のためにコード化されうる。
【０２２０】
スクリプト１６００を参照する。スクリプト１６００は、開始／同期信号マイナーフレームの開始とともに開始される１６１０。次に、ＳＭＳ１マスタースクリプト１６２０が開始される。次に、ホステッドユーザ向けに構成されたペイロードの様々な部分を監視するＳＭＳ１スペクトル監視構成スクリプト１６３０が実行される。次に、一定時間の間、ホステッドユーザ向けに構成されたペイロードの様々な部分からテレメトリを収集する、ホステッド一定時間収集スクリプト１６４０が実行される。
【０２２１】
次に、ホステッドストリームスイッチ、サブチャネル電力（ＳＣＰ）、リミッタ、サブチャネル自動レベル制御（ＳＡＬＣ）、サブチャネル利得（ＳＣＧ）収集スクリプト１６５０が実行される。これらのスクリプト１６５０は、切替構成、ＳＣＰ、リミッタ構成、ＳＡＬＣ、及びＳＣＧに関するテレメトリデータを収集する。これらのスクリプト１６５０は、Ｙ数回のループで繰り返される。
【０２２２】
次に、アナログスペクトル監視構成（ＡＳＭＳ）／アナログランダムアクセスメモリ（ＡＮＡＲＡＭ）収集スクリプトが実行される１６６０。これらのスクリプト１６６０は、ＡＳＭＳ及びＡＮＡＲＡＭに関するテレメトリデータを収集する。
【０２２３】
その後、ＳＭＳ１収集スクリプト開始／同期信号マイナーフレームは終了する１６７０。各々異なる種類のテレメトリデータ（例えば、切替構成、ＳＣＰ、リミッタ構成、ＳＡＬＣ、ＳＣＧ、ＡＳＭＳ、及びＡＮＡＲＡＭ）の監視は、関連のリフレッシュ速度を有していてよく、Ｎミリ秒のスクリプトマスターサイクル時間の間、関連回数だけ繰り返されうることに留意すべきである。
【０２２４】
図１７は、本開示の少なくとも１つの実施形態に係る、ホストユーザの帯域内テレメトリの例示のスクリプト１７００を示す図である。特に、この例示のスクリプト１７００は、図４のシステム、及び図５Ａ〜５Ｄの方法に示すように、ホストユーザの帯域内テレメトリにおいて使用されうる（例えば、帯域内テレメトリは、ペイロードアンテナ４８０によって、一または複数の帯域内周波数帯を用いて、ホストテレメトリ信号内でホステッド受信アンテナ４８５へ送信される４９７暗号化されたホストテレメトリである）。
【０２２５】
この図において、図示したスクリプト１７００は、Ｍミリ秒（ｍｓｅｃ）のマスターサイクル時間に等しい時間の間、実行され、スクリプト１７００は、ホストテレメトリ信号内で繰り返される。スクリプト１７００は、スペクトル監視システム１（ＳＭＳ１）信号上に変調された単一ストリームで送信されうる。帯域内テレメトリデータは、安全保護のためにコード化されうる。
【０２２６】
スクリプト１７００を参照する。スクリプト１７００は、開始／同期信号マイナーフレームの開始とともに開始される１７１０。次に、ＳＭＳ１マスタースクリプト１７２０が開始される。次に、ホストユーザ向けに構成されたペイロードの様々な部分を監視するＳＭＳ１スペクトル監視構成スクリプト１７３０が実行される。次に、一定時間の間、ホストユーザ向けに構成されたペイロードの様々な部分からテレメトリを収集する、ホスト一定時間収集スクリプト１７４０が実行される。
【０２２７】
次に、ホストストリームスイッチ、ＳＣＰ、リミッタ、ＳＡＬＣ、ＳＣＧ収集スクリプト１７５０が実行される。これらのスクリプト１７５０は、切替構成、ＳＣＰ、リミッタ構成、ＳＡＬＣ、及びＳＣＧに関するテレメトリデータを収集する。これらのスクリプト１７５０は、Ｘ数の回数のループで繰り返される。
【０２２８】
次に、ＡＳＭＳ／ＡＮＡＲＡＭ収集スクリプトが実行される１７６０。これらのスクリプト１７６０は、ＡＳＭＳ及びＡＮＡＲＡＭに関するテレメトリデータを収集する。
【０２２９】
その後、ＳＭＳ１収集スクリプト開始／同期信号マイナーフレームは終了する１７７０。各々異なる種類のテレメトリデータ（例えば、切替構成、ＳＣＰ、リミッタ構成、ＳＡＬＣ、ＳＣＧ、ＡＳＭＳ、及びＡＮＡＲＡＭ）の監視は、関連のリフレッシュ速度を有していてよく、Ｍミリ秒のスクリプトマスターサイクル時間の間に、関連回数だけ繰り返されうることに留意すべきである。
【０２３０】
図１８は、本開示の少なくとも１つの実施形態に係る、ホストユーザ及びホステッドユーザの帯域内テレメトリの例示のスクリプト１８００を示す図である。特に、この例示のスクリプト１８００は、図６のシステム、及び図７Ａ〜７Ｄの方法に示すように、ホストユーザ及びホステッドユーザの帯域内テレメトリにおいて使用されうる（例えば、帯域内テレメトリは、（１）ペイロードアンテナ６８０によって、一または複数の帯域内周波数帯を用いて、ホスト／ホステッドテレメトリ信号内でホスト受信アンテナ６８５へ送信される６９７暗号化されたホストテレメトリ、及び２）ペイロードアンテナ６８０によって、一または複数の帯域内周波数帯を用いて、ホスト／ホステッドテレメトリ信号内でホステッド受信アンテナ６９０へ送信される６９６暗号化されたホステッドテレメトリである）。
【０２３１】
この図において、図示したスクリプト１８００は、Ｚミリ秒（ｍｓｅｃ）のマスターサイクル時間に等しい時間の間、実行され、スクリプト１８００は、ホスト／ホステッドテレメトリ信号内で繰り返される。スクリプト１８００は、スペクトル監視システム１（ＳＭＳ１）信号上に変調された単一ストリームで送信されうる。帯域内テレメトリデータは、安全保護のためにコード化されうる。スクリプト１８００を参照する。スクリプト１８００は、開始／同期信号マイナーフレームの開始とともに開始される１８１０。次に、ホストユーザ及びホステッドユーザ向けに構成されたペイロードの様々な部分を監視するＳＭＳスペクトル監視構成スクリプト１８３０が実行される。次に、一定時間の間、ホストユーザ向けに構成されたペイロードの様々な部分からテレメトリを収集する、ホスト一定時間収集スクリプト１８４０が実行される。
【０２３２】
次に、ホストストリームスイッチ、ＳＣＰ、リミッタ、ＳＡＬＣ、ＳＣＧ収集スクリプト１８５０が実行される。これらのスクリプト１８５０は、切替構成、ＳＣＰ、リミッタ構成、ＳＡＬＣ、及びＳＣＧに関するテレメトリデータを収集する。これらのスクリプト１８５０は、Ｘ数の回数のループで繰り返される。
【０２３３】
次に、一定時間の間、ホステッドユーザ向けに構成されたペイロードの様々な部分からテレメトリを収集する、ホステッド一定時間収集スクリプト１８６０が実行される。
【０２３４】
次に、ホステッドストリームスイッチ、ＳＣＰ、リミッタ、ＳＡＬＣ、ＳＣＧ収集スクリプト１８７０が実行される。これらのスクリプト１８７０は、切替構成、ＳＣＰ、リミッタ構成、ＳＡＬＣ、及びＳＣＧに関するテレメトリデータを収集する。これらのスクリプト１８７０は、Ｙ数の回数のループで繰り返される。
【０２３５】
次に、アナログスペクトル監視構成（ＡＳＭＳ）／アナログランダムアクセスメモリ（ＡＮＡＲＡＭ）収集スクリプトが実行される１８８０。これらのスクリプト１８８０は、ＡＳＭＳ及びＡＮＡＲＡＭに関するテレメトリデータを収集する。
【０２３６】
その後、ＳＭＳ１収集スクリプト開始／同期信号マイナーフレームは終了する１８９０。各々異なる種類のテレメトリデータ（例えば、切替構成、ＳＣＰ、リミッタ構成、ＳＡＬＣ、ＳＣＧ、ＡＳＭＳ、及びＡＮＡＲＡＭ）の監視は、関連のリフレッシュ速度を有していてよく、Ｚミリ秒のスクリプトマスターサイクル時間の間に、関連回数だけ繰り返されうることに留意すべきである。
【０２３７】
図１９は、本開示の少なくとも１つの実施形態に係る、ホストユーザ及びホステッドユーザの帯域内テレメトリの２つの例示のスクリプト（スクリプト１及びスクリプト２）を示す図１９００である。特に、例示のスクリプト１は、図６のシステム、及び図７Ａ〜７Ｄの方法に示すように、ホストユーザの帯域内テレメトリ（例えば、帯域内テレメトリは、ペイロードアンテナ６８０によって、一または複数の帯域内周波数帯を用いて、ホストテレメトリ信号内でホスト受信アンテナ６８５へ送信される６９７暗号化されたホストテレメトリ）において使用されうる。そして、例示のスクリプト２は、図６のシステム、及び図７Ａ〜７Ｄの方法に示すように、ホステッドユーザの帯域内テレメトリ（例えば、帯域内テレメトリは、ペイロードアンテナ６８０によって、一または複数の帯域内周波数帯を用いて、ホステッドテレメトリ信号内でホステッド受信アンテナ６９０へ送信される６９６暗号化されたホステッドテレメトリ）において使用されうる。
【０２３８】
この図において、図示したスクリプト１は、Ｎミリ秒（ｍｓｅｃ）のマスターサイクル時間に等しい時間の間、実行され、スクリプト１は、ホストテレメトリ信号内で繰り返される。スクリプト１は、スペクトル監視システム１（ＳＭＳ１）信号上に変調された単一ストリームで送信されうる。帯域内テレメトリデータは、安全保護のためにコード化されうる。
【０２３９】
また、この図において、図示したスクリプト２は、Ｍミリ秒（ｍｓｅｃ）のマスターサイクル時間に等しい時間の間、実行され、スクリプト２は、ホステッドテレメトリ信号内で繰り返される。スクリプト２は、スペクトル監視システム２（ＳＭＳ２）信号上に変調された単一ストリームで送信されうる。帯域内テレメトリデータは、安全保護のためにコード化されうる。
【０２４０】
スクリプト１を参照する。スクリプト１が開始される１９１０。次に、ホストユーザ向けに構成されたペイロードの様々な部分を監視する、スペクトル監視構成スクリプト１９２０が実行される。次に、ホストユーザ向けに構成されたペイロードの様々な部分からテレメトリを収集するホストテレメトリ収集スクリプト１９３０が実行される。これらのスクリプト１９３０は、切替構成、ＳＣＰ、リミッタ構成、ＳＡＬＣ、ＳＣＧ、ＡＳＭＳ、及びＡＮＡＲＡＭに関するテレメトリを収集しうる。これらのスクリプト１９３０は、Ｘ回数だけループで繰り返されうる。その後、スクリプト１は終了する１９４０。各々異なる種類のテレメトリデータ（例えば、切替構成、ＳＣＰ、リミッタ構成、ＳＡＬＣ、ＳＣＧ、ＡＳＭＳ、及びＡＮＡＲＡＭ）の監視は、関連のリフレッシュ速度を有していてよく、Ｎミリ秒のスクリプトマスターサイクル時間の間に、関連回数だけ繰り返されうることに留意すべきである。
【０２４１】
スクリプト２を参照する。スクリプト２が開始される１９５０。次に、ホステッドユーザ向けに構成されたペイロードの様々な部分を監視する、スペクトル監視構成スクリプト１９６０が実行される。次に、ホステッドユーザ向けに構成されたペイロードの様々な部分からテレメトリを収集するホステッドテレメトリ収集スクリプト１９７０が実行される。これらのスクリプト１９７０は、切替構成、ＳＣＰ、リミッタ構成、ＳＡＬＣ、ＳＣＧ、ＡＳＭＳ、及びＡＮＡＲＡＭに関するテレメトリを収集しうる。これらのスクリプト１９７０は、Ｙ回数だけループで繰り返されうる。その後、スクリプト２は終了する１９８０。各々異なる種類のテレメトリデータ（例えば、切替構成、ＳＣＰ、リミッタ構成、ＳＡＬＣ、ＳＣＧ、ＡＳＭＳ、及びＡＮＡＲＡＭ）の監視は、関連のリフレッシュ速度を有していてよく、Ｍミリ秒のスクリプトマスターサイクル時間の間に、関連回数だけ繰り返されうることに留意すべきである。
【０２４２】
更に、本開示は以下の条項による実施形態を含む。
【０２４３】
１．帯域内テレメトリを用いた仮想トランスポンダーのための方法であって、
ホステッドペイロード（ＨｏＰ）オペレーションセンター（ＨＯＣ）によって、暗号化されたホステッドコマンドをホスト宇宙船オペレーションセンター（ＳＯＣ）へ送信することと、
ホストＳＯＣによって、暗号化されたホストコマンドと、暗号化されたホステッドコマンドとをビークルへ送信することであって、暗号化されたホストコマンドが第１の通信保全（ＣＯＭＳＥＣ）多様性を用いて暗号化され、暗号化されたホステッドコマンドが第２のＣＯＭＳＥＣ多様性を用いて暗号化される、送信することと、
暗号化されていないホストコマンドを生成するために、ビークルの第１の通信保全モジュールによって、第１のＣＯＭＳＥＣ多様性を用いて暗号化されたホストコマンドを復号することと、
暗号化されていないホステッドコマンドを生成するために、ビークルの第２の通信保全モジュールによって、第２のＣＯＭＳＥＣ多様性を用いて、暗号化されたホステッドコマンドを復号することと、
暗号化されていないホストコマンド又は暗号化されていないホステッドコマンドのうちの少なくとも１つに従って、ビークルのペイロードを再構成することと、
ビークルのペイロードアンテナによって、ペイロードデータを、ホスト受信アンテナ又はホステッド受信アンテナのうちの少なくとも１つへ送信することと、
暗号化されたホストテレメトリを生成するために、第１の通信保全モジュールによって、第１のＣＯＭＳＥＣ多様性を用いることによってペイロードからの暗号化されていないホストテレメトリを暗号化することと、
暗号化されたホステッドテレメトリを生成するために、第２の通信保全モジュールによって、第２のＣＯＭＳＥＣ多様性を用いることによってペイロードからの暗号化されていないホステッドテレメトリを暗号化することと、
ビークルのホストテレメトリ送信器によって、暗号化されたホストテレメトリをホストＳＯＣへ送信することと、
ペイロードアンテナによって、暗号化されたホステッドテレメトリをホステッド受信アンテナへ送信することと、
ホステッド受信アンテナによって、暗号化されたホステッドテレメトリをＨＯＣへ送信することと
を含む方法。
【０２４４】
２．暗号化されていないホストコマンド又は暗号化されていないホステッドコマンドのうちの少なくとも１つに従ってペイロードを再構成することは、トランスポンダーの電力、トランスポンダーのスペクトル監視、トランスポンダーの接続性、トランスポンダーの利得設定、トランスポンダーのリミッタ設定、トランスポンダーの自動レベル制御設定、トランスポンダーの位相設定、内部利得発生、少なくとも１つのビームの帯域幅、少なくとも１つのビームのうちの少なくとも１つにおける少なくとも１つの周波数帯、トランスポンダーのビームフォーミング設定、少なくとも１つのビームのうちの少なくとも１つにおける実効輻射電力（ＥＩＲＰ）、トランスポンダーのチャネル、又はビームステアリングのうちの少なくとも１つを調節することを含む、条項１に記載の方法。
【０２４５】
３．暗号化されていないホストコマンド又は暗号化されていないホステッドコマンドの少なくとも１つに従ってペイロードを再構成することは、少なくとも１つのアンテナ、少なくとも１つのアナログデジタル変換器、少なくとも１つのデジタルアナログ変換器、少なくとも１つのビームフォーマー、少なくとも１つのデジタルチャネライザ、少なくとも１つの復調器、少なくとも１つの変調器、少なくとも１つのデジタルスイッチマトリックス、少なくとも１つのデジタル結合器、又は少なくとも１つのアナログスイッチマトリックスのうちの少なくとも１つを再構成することを含む、条項１又は２に記載の方法。
【０２４６】
４．ビークルは飛行ビークルである、条項１から３のいずれか一項に記載方法。
【０２４７】
５．飛行ビークルは、衛星、航空機、無人航空機（ＵＡＶ）、又は宇宙往還機のうちの１つである、条項４に記載の方法。
【０２４８】
６．更に、暗号化されたホストコマンドを作成するために、ホストＳＯＣによって、第１のＣＯＭＳＥＣ多様性を用いることによって暗号化されていないホストコマンドを暗号化することと、
暗号化されたホステッドコマンドを作成するために、ＨＯＣによって、第２のＣＯＭＳＥＣ多様性を用いることによって暗号化されていないホステッドコマンドを暗号化することと
を含む、条項１から５のいずれか一項に記載の方法。
【０２４９】
７．更に、ビークルのホストコマンド受信器によって、暗号化されたホストコマンドを受信することと、
ビークルのホステッドコマンド受信器によって、暗号化されたホステッドコマンドを受信することと、
ホストコマンド受信器によって、暗号化されたホストコマンドを第１の通信保全モジュールへ送信することと、
ホステッドコマンド受信器によって、暗号化されたホステッドコマンドを第２の通信保全モジュールへ送信することと
を含む、条項１から６のいずれか一項に記載の方法。
【０２５０】
８．更に、第１の通信保全モジュールによって、暗号化されていないホストコマンドをペイロードへ送信することと、
第２の通信保全モジュールによって、暗号化されていないホステッドコマンドをペイロードへ送信することと
を含む、条項１から７のいずれか一項に記載の方法。
【０２５１】
９．更に、ペイロードによって、暗号化されていないホストテレメトリを第１の通信保全モジュールへ送信することと、
ペイロードによって、暗号化されていないホステッドテレメトリを第２の通信保全モジュールへ送信することと
を含む、条項１から８のいずれか一項に記載の方法。
【０２５２】
１０．更に、第１の通信保全モジュールによって、暗号化されたホストテレメトリをホストテレメトリ送信器へ送信することと、
第２の通信保全モジュールによって、暗号化されたホステッドテレメトリをペイロードへ送信することと
を含む、条項１から９のいずれか一項に記載の方法。
【０２５３】
１１．更に、暗号化されていないホストテレメトリを生成するために、ホストＳＯＣによって、第１のＣＯＭＳＥＣ多様性を用いて、暗号化されたホストテレメトリを復号することと、
暗号化されていないホステッドテレメトリを生成するために、ＨＯＣによって、第２のＣＯＭＳＥＣ多様性を用いて、暗号化されたホステッドテレメトリを復号することと
を含む、条項１から１０のいずれか一項に記載の方法。
【０２５４】
１２．帯域内テレメトリを用いた仮想トランスポンダーのための方法であって、
ホステッドペイロード（ＨｏＰ）オペレーションセンター（ＨＯＣ）によって、暗号化されたホステッドコマンドをホスト宇宙船オペレーションセンター（ＳＯＣ）へ送信することと、
ホストＳＯＣによって、暗号化されたホストコマンドと、暗号化されたホステッドコマンドとをビークルへ送信することであって、暗号化されたホストコマンドが第１の通信保全（ＣＯＭＳＥＣ）多様性を用いて暗号化され、暗号化されたホステッドコマンドが第２のＣＯＭＳＥＣ多様性を用いて暗号化される、送信することと、
暗号化されていないホストコマンドを生成するために、ビークルの第１の通信保全モジュールによって第１のＣＯＭＳＥＣ多様性を用いて、暗号化されたホストコマンドを復号することと、
暗号化されていないホステッドコマンドを生成するために、ビークルの第２の通信保全モジュールによって第２のＣＯＭＳＥＣ多様性を用いて、暗号化されたホステッドコマンドを復号することと、
暗号化されていないホストコマンド又は暗号化されていないホステッドコマンドのうちの少なくとも１つに従って、ビークルのペイロードを再構成することと、
ビークルのペイロードアンテナによって、ペイロードデータを、ホスト受信アンテナ又はホステッド受信アンテナのうちの少なくとも１つへ送信することと、
暗号化されたホストテレメトリを生成するために、第１の通信保全モジュールによって、第１のＣＯＭＳＥＣ多様性を用いることによってペイロードからの暗号化されていないホストテレメトリを暗号化することと、
暗号化されたホステッドテレメトリを生成するために、第２の通信保全モジュールによって、第２のＣＯＭＳＥＣ多様性を用いることによってペイロードからの暗号化されていないホステッドテレメトリを暗号化することと、
ペイロードアンテナによって、暗号化されたホストテレメトリをホスト受信アンテナへ送信することと、
ホスト受信アンテナによって、暗号化されたホストテレメトリをホストＳＯＣへ送信することと、
ビークルのホステッドテレメトリ送信器によって、暗号化されたホステッドテレメトリをホストＳＯＣへ送信することと
ホストＳＯＣによって、暗号化されたホステッドテレメトリをＨＯＣへ送信することと
を含む方法。
【０２５５】
１３．暗号化されていないホストコマンド又は暗号化されていないホステッドコマンドのうちの少なくとも１つに従ってペイロードを再構成することは、トランスポンダーの電力、トランスポンダーのスペクトル監視、トランスポンダーの接続性、トランスポンダーの利得設定、トランスポンダーのリミッタ設定、トランスポンダーの自動レベル制御設定、トランスポンダーの位相設定、内部利得発生、少なくとも１つのビームの帯域幅、少なくとも１つのビームのうちの少なくとも１つにおける少なくとも１つの周波数帯、トランスポンダーのビームフォーミング設定、少なくとも１つのビームのうちの少なくとも１つにおける実効輻射電力（ＥＩＲＰ）、トランスポンダーのチャネル、又はビームステアリングのうちの少なくとも１つを調節することを含む、条項１２に記載の方法。
【０２５６】
１４．暗号化されていないホストコマンド又は暗号化されていないホステッドコマンドのうちの少なくとも１つに従ってペイロードを再構成することは、少なくとも１つのアンテナ、少なくとも１つのアナログデジタル変換器、少なくとも１つのデジタルアナログ変換器、少なくとも１つのビームフォーマー、少なくとも１つのデジタルチャネライザ、少なくとも１つの復調器、少なくとも１つの変調器、少なくとも１つのデジタルスイッチマトリックス、少なくとも１つのデジタル結合器、又は少なくとも１つのアナログスイッチマトリックスのうちの少なくとも１つを再構成することを含む、条項１２又は１３に記載の方法。
【０２５７】
１５．ビークルは飛行ビークルである、条項１２から１４のいずれか一項に記載の方法。
【０２５８】
１６．飛行ビークルは、衛星、航空機、無人航空機（ＵＡＶ）、又は宇宙往還機のうちの１つである、条項１５に記載の方法。
【０２５９】
１７．帯域内テレメトリを用いた仮想トランスポンダーのための方法であって、
ホステッドペイロード（ＨｏＰ）オペレーションセンター（ＨＯＣ）によって、暗号化されたホステッドコマンドをホスト宇宙船オペレーションセンター（ＳＯＣ）へ送信することと、
ホストＳＯＣによって、暗号化されたホストコマンドと、暗号化されたホステッドコマンドとをビークルへ送信することであって、暗号化されたホストコマンドが第１の通信保全（ＣＯＭＳＥＣ）多様性を用いて暗号化され、暗号化されたホステッドコマンドが第２のＣＯＭＳＥＣ多様性を用いて暗号化される、送信することと、
暗号化されていないホストコマンドを生成するために、ビークルの第１の通信保全モジュールによって第１のＣＯＭＳＥＣ多様性を用いて、暗号化されたホストコマンドを復号することと、
暗号化されていないホステッドコマンドを生成するために、ビークルの第２の通信保全モジュールによって第２のＣＯＭＳＥＣ多様性を用いて、暗号化されたホステッドコマンドを復号することと、
暗号化されていないホストコマンド又は暗号化されていないホステッドコマンドのうちの少なくとも１つに従って、ビークルのペイロードを再構成することと、
ビークルのペイロードアンテナによって、ペイロードデータを、ホスト受信アンテナ又はホステッド受信アンテナのうちの少なくとも１つへ送信することと、
暗号化されたホストテレメトリを生成するために、第１の通信保全モジュールによって、第１のＣＯＭＳＥＣ多様性を用いることによってペイロードからの暗号化されていないホストテレメトリを暗号化することと、
暗号化されたホステッドテレメトリを生成するために、第２の通信保全モジュールによって、第２のＣＯＭＳＥＣ多様性を用いることによってペイロードからの暗号化されていないホステッドテレメトリを暗号化することと、
ペイロードアンテナによって、暗号化されたホストテレメトリをホスト受信アンテナへ送信することと、
ホスト受信アンテナによって、暗号化されたホストテレメトリをホストＳＯＣへ送信することと
ペイロードアンテナによって、暗号化されたホステッドテレメトリをホステッド受信アンテナへ送信することと、
ホステッド受信アンテナによって、暗号化されたホステッドテレメトリをＨＯＣへ送信することと
を含む方法。
【０２６０】
１８．暗号化されていないホストコマンド又は暗号化されていないホステッドコマンドのうちの少なくとも１つに従ってペイロードを再構成することは、トランスポンダーの電力、トランスポンダーのスペクトル監視、トランスポンダーの接続性、トランスポンダーの利得設定、トランスポンダーのリミッタ設定、トランスポンダーの自動レベル制御設定、トランスポンダーの位相設定、内部利得発生、少なくとも１つのビームの帯域幅、少なくとも１つのビームのうちの少なくとも１つにおける少なくとも１つの周波数帯、トランスポンダーのビームフォーミング設定、少なくとも１つのビームのうちの少なくとも１つにおける実効輻射電力（ＥＩＲＰ）、トランスポンダーのチャネル、又はビームステアリングのうちの少なくとも１つを調節することを含む、条項１７に記載の方法。
【０２６１】
１９．暗号化されていないホストコマンド又は暗号化されていないホステッドコマンドのうちの少なくとも１つに従ってペイロードを再構成することは、少なくとも１つのアンテナ、少なくとも１つのアナログデジタル変換器、少なくとも１つのデジタルアナログ変換器、少なくとも１つのビームフォーマー、少なくとも１つのデジタルチャネライザ、少なくとも１つの復調器、少なくとも１つの変調器、少なくとも１つのデジタルスイッチマトリックス、少なくとも１つのデジタル結合器、又は少なくとも１つのアナログスイッチマトリックスのうちの少なくとも１つを再構成することを含む、条項１７又は１８に記載の方法。
【０２６２】
２０．ビークルは飛行ビークルである、条項１７から１９のいずれか一項に記載の方法。
【０２６３】
２１．帯域内テレメトリを用いた仮想トランスポンダーのための方法であって、
ホステッドペイロード（ＨｏＰ）オペレーションセンター（ＨＯＣ）によって、暗号化されたホステッドコマンドをホスト宇宙船オペレーションセンター（ＳＯＣ）へ送信することと、
ホストＳＯＣによって、暗号化されたホストコマンドと、暗号化されたホステッドコマンドとをビークルへ送信することと、
暗号化されていないホストコマンドを生成するために、第１の通信保全モジュールによって、第１の通信保全（ＣＯＭＳＥＣ）多様性を用いて、暗号化されたホストコマンドを復号することと、
暗号化されていないホステッドコマンドを生成するために、第２の通信保全モジュールによって、第２のＣＯＭＳＥＣ多様性を用いて、暗号化されたホステッドコマンドを復号することと、
暗号化されていないホストコマンド又は暗号化されていないホステッドコマンドのうちの少なくとも１つに従って、ペイロードを再構成することと、
ビークルのペイロードアンテナによって、ペイロードデータを、ホスト受信アンテナ又はホステッド受信アンテナのうちの少なくとも１つへ送信することと、
暗号化されたテレメトリを生成するために、第１の通信保全モジュールによって、第１のＣＯＭＳＥＣ多様性を用いることによって暗号化されていないテレメトリを暗号化することと、
ペイロードアンテナによって、暗号化されたテレメトリをホスト受信アンテナへ送信することと、
ホスト受信アンテナによって、暗号化されたテレメトリをホストＳＯＣへ送信することと
ペイロードアンテナによって、暗号化されたテレメトリをホステッド受信アンテナへ送信することと、
ホステッド受信アンテナによって、暗号化されたテレメトリをＨＯＣへ送信することと
を含む方法。
【０２６４】
２２．暗号化されていないホストコマンド又は暗号化されていないホステッドコマンドのうちの少なくとも１つに従ってペイロードを再構成することは、トランスポンダーの電力、トランスポンダーのスペクトル監視、トランスポンダーの接続性、トランスポンダーの利得設定、トランスポンダーのリミッタ設定、トランスポンダーの自動レベル制御設定、トランスポンダーの位相設定、内部利得発生、少なくとも１つのビームの帯域幅、少なくとも１つのビームのうちの少なくとも１つにおける少なくとも１つの周波数帯、トランスポンダーのビームフォーミング設定、少なくとも１つのビームのうちの少なくとも１つにおける実効輻射電力（ＥＩＲＰ）、トランスポンダーのチャネル、又はビームステアリングのうちの少なくとも１つを調節することを含む、条項２１に記載の方法。
【０２６５】
２３．暗号化されていないホストコマンド又は暗号化されていないホステッドコマンドのうちの少なくとも１つに従ってペイロードを再構成することは、少なくとも１つのアンテナ、少なくとも１つのアナログデジタル変換器、少なくとも１つのデジタルアナログ変換器、少なくとも１つのビームフォーマー、少なくとも１つのデジタルチャネライザ、少なくとも１つの復調器、少なくとも１つの変調器、少なくとも１つのデジタルスイッチマトリックス、少なくとも１つのデジタル結合器、又は少なくとも１つのアナログスイッチマトリックスのうちの少なくとも１つを再構成することを含む、条項２１又は２２に記載の方法。
【０２６６】
２４．ビークルは飛行ビークルである、条項２１から２３のいずれか一項に記載の方法。
【０２６７】
２５．帯域内テレメトリを用いた仮想トランスポンダーのためのシステムであって、
暗号化されたホステッドコマンドをホスト宇宙船オペレーションセンター（ＳＯＣ）へ送信するホステッドペイロード（ＨｏＰ）オペレーションセンター（ＨＯＣ）と、
暗号化されたホストコマンドと暗号化されたホステッドコマンドをビークルへ送信するホストＳＯＣであって、暗号化されたホストコマンドは、第１の通信保全（ＣＯＭＳＥＣ）多様性を用いて暗号化され、暗号化されたホステッドコマンドは、第２のＣＯＭＳＥＣ多様性を用いて暗号化される、ホストＳＯＣと、
暗号化されていないホストコマンドを生成するために、第１のＣＯＭＳＥＣ多様性を用いて暗号化されたホストコマンドを復号する、ビークルの第１の通信保全モジュールと、
暗号化されていないホステッドコマンドを生成するために、第２のＣＯＭＳＥＣ多様性を用いて、暗号化されたホステッドコマンドを復号する、ビークルの第２の通信保全モジュールと、
暗号化されていないホストコマンド又は暗号化されていないホステッドコマンドのうちの少なくとも１つに従って再構成される、ビークルのペイロードと、
ペイロードデータをホスト受信アンテナ又はホステッド受信アンテナのうちの少なくとも１つへ送信する、ビークルのペイロードアンテナと、
暗号化されたホストテレメトリを生成するために、第１のＣＯＭＳＥＣ多様性を用いることによって、ペイロードからの暗号化されていないホストテレメトリを暗号化する、第１の通信保全モジュールと、
暗号化されたホステッドテレメトリを生成するために、第２のＣＯＭＳＥＣ多様性を用いることによって、ペイロードからの暗号化されていないホステッドテレメトリを暗号化する、第２の通信保全モジュールと、
暗号化されたホストテレメトリをホストＳＯＣへ送信する、ビークルのホストテレメトリ送信器と、
暗号化されたホステッドテレメトリをホステッド受信アンテナへ送信するペイロードアンテナと、
暗号化されたホステッドテレメトリをＨＯＣへ送信する、ホステッド受信アンテナと
を備えるシステム。
【０２６８】
２６．暗号化されていないホストコマンド又は暗号化されていないホステッドコマンドのうちの少なくとも１つに従ってペイロードを再構成することは、トランスポンダーの電力、トランスポンダーのスペクトル監視、トランスポンダーの接続性、トランスポンダーの利得設定、トランスポンダーのリミッタ設定、トランスポンダーの自動レベル制御設定、トランスポンダーの位相設定、内部利得発生、少なくとも１つのビームの帯域幅、少なくとも１つのビームのうちの少なくとも１つにおける少なくとも１つの周波数帯、トランスポンダーのビームフォーミング設定、少なくとも１つのビームのうちの少なくとも１つにおける実効輻射電力（ＥＩＲＰ）、トランスポンダーのチャネル、又はビームステアリングのうちの少なくとも１つを調節することを含む、条項２５に記載のシステム。
【０２６９】
２７．暗号化されていないホストコマンド又は暗号化されていないホステッドコマンドのうちの少なくとも１つに従ってペイロードを再構成することは、少なくとも１つのアンテナ、少なくとも１つのアナログデジタル変換器、少なくとも１つのデジタルアナログ変換器、少なくとも１つのビームフォーマー、少なくとも１つのデジタルチャネライザ、少なくとも１つの復調器、少なくとも１つの変調器、少なくとも１つのデジタルスイッチマトリックス、少なくとも１つのデジタル結合器、又は少なくとも１つのアナログスイッチマトリックスのうちの少なくとも１つを再構成することを含む、条項２５又は２６に記載のシステム。
【０２７０】
２８．ビークルは飛行ビークルである、条項２５から２７のいずれか一項に記載のシステム。
【０２７１】
２９．飛行ビークルは、衛星、航空機、無人航空機（ＵＡＶ）、又は宇宙往還機のうちの１つである、条項２８に記載のシステム。
【０２７２】
３０．帯域内テレメトリを用いた仮想トランスポンダーのためのシステムであって、
暗号化されたホステッドコマンドをホスト宇宙船オペレーションセンター（ＳＯＣ）へ送信するホステッドペイロード（ＨｏＰ）オペレーションセンター（ＨＯＣ）と、
暗号化されたホストコマンドと暗号化されたホステッドコマンドをビークルへ送信するホストＳＯＣであって、暗号化されたホストコマンドは、第１の通信保全（ＣＯＭＳＥＣ）多様性を用いて暗号化され、暗号化されたホステッドコマンドは、第２のＣＯＭＳＥＣ多様性を用いて暗号化される、ホストＳＯＣと、
暗号化されていないホストコマンドを生成するために、第１のＣＯＭＳＥＣ多様性を用いて、暗号化されたホストコマンドを復号する、ビークルの第１の通信保全モジュールと、
暗号化されていないホステッドコマンドを生成するために、第２のＣＯＭＳＥＣ多様性を用いて、暗号化されたホステッドコマンドを復号する、ビークルの第２の通信保全モジュールと、
暗号化されていないホストコマンド又は暗号化されていないホステッドコマンドのうちの少なくとも１つに従って再構成される、ビークルのペイロードと、
ペイロードデータをホスト受信アンテナ又はホステッド受信アンテナのうちの少なくとも１つへ送信する、ビークルのペイロードアンテナと、
暗号化されたホストテレメトリを生成するために、第１のＣＯＭＳＥＣ多様性を用いることによって、ペイロードからの暗号化されていないホストテレメトリを暗号化する、第１の通信保全モジュールと、
暗号化されたホステッドテレメトリを生成するために、第２のＣＯＭＳＥＣ多様性を用いることによって、ペイロードからの暗号化されていないホステッドテレメトリを暗号化する、第２の通信保全モジュールと、
暗号化されたホストテレメトリをホスト受信アンテナへ送信するペイロードアンテナと、
暗号化されたホストテレメトリをホストＳＯＣへ送信するホスト受信アンテナと、
暗号化されたホステッドテレメトリをホストＳＯＣへ送信する、ビークルのホステッドテレメトリ送信器と、
暗号化されたホステッドテレメトリをＨＯＣへ送信するホストＳＯＣと
を備えるシステム。
【０２７３】
３１．暗号化されていないホストコマンド又は暗号化されていないホステッドコマンドのうちの少なくとも１つに従ってペイロードを再構成することは、トランスポンダーの電力、トランスポンダーのスペクトル監視、トランスポンダーの接続性、トランスポンダーの利得設定、トランスポンダーのリミッタ設定、トランスポンダーの自動レベル制御設定、トランスポンダーの位相設定、内部利得発生、少なくとも１つのビームの帯域幅、少なくとも１つのビームのうちの少なくとも１つにおける少なくとも１つの周波数帯、トランスポンダーのビームフォーミング設定、少なくとも１つのビームのうちの少なくとも１つにおける実効輻射電力（ＥＩＲＰ）、トランスポンダーのチャネル、又はビームステアリングのうちの少なくとも１つを調節することを含む、条項３０に記載のシステム。
【０２７４】
３２．暗号化されていないホストコマンド又は暗号化されていないホステッドコマンドのうちの少なくとも１つに従ってペイロードを再構成することは、少なくとも１つのアンテナ、少なくとも１つのアナログデジタル変換器、少なくとも１つのデジタルアナログ変換器、少なくとも１つのビームフォーマー、少なくとも１つのデジタルチャネライザ、少なくとも１つの復調器、少なくとも１つの変調器、少なくとも１つのデジタルスイッチマトリックス、少なくとも１つのデジタル結合器、又は少なくとも１つのアナログスイッチマトリックスのうちの少なくとも１つを再構成することを含む、条項３０又は３１に記載のシステム。
【０２７５】
３３．ビークルは飛行ビークルである、条項３０から３２のいずれか一項に記載のシステム。
【０２７６】
３４．飛行ビークルは、衛星、航空機、無人航空機（ＵＡＶ）、又は宇宙往還機のうちの１つである、条項３３に記載のシステム。
【０２７７】
３５．帯域内テレメトリを用いた仮想トランスポンダーのためのシステムであって、
暗号化されたホステッドコマンドをホスト宇宙船オペレーションセンター（ＳＯＣ）へ送信するホステッドペイロード（ＨｏＰ）オペレーションセンター（ＨＯＣ）と、
暗号化されたホストコマンドと暗号化されたホステッドコマンドをビークルへ送信するホストＳＯＣであって、暗号化されたホストコマンドは、第１の通信保全（ＣＯＭＳＥＣ）多様性を用いて暗号化され、暗号化されたホステッドコマンドは、第２のＣＯＭＳＥＣ多様性を用いて暗号化される、ホストＳＯＣと、
暗号化されていないホストコマンドを生成するために、第１のＣＯＭＳＥＣ多様性を用いて、暗号化されたホストコマンドを復号する、ビークルの第１の通信保全モジュールと、
暗号化されていないホステッドコマンドを生成するために、第２のＣＯＭＳＥＣ多様性を用いて、暗号化されたホステッドコマンドを復号する、ビークルの第２の通信保全モジュールと、
暗号化されていないホストコマンド又は暗号化されていないホステッドコマンドのうちの少なくとも１つに従って再構成される、ビークルのペイロードと、
ペイロードデータをホスト受信アンテナ又はホステッド受信アンテナのうちの少なくとも１つへ送信する、ビークルのペイロードアンテナと、
暗号化されたホストテレメトリを生成するために、第１のＣＯＭＳＥＣ多様性を用いることによって、ペイロードからの暗号化されていないホストテレメトリを暗号化する、第１の通信保全モジュールと、
暗号化されたホステッドテレメトリを生成するために、第２のＣＯＭＳＥＣ多様性を用いることによって、ペイロードからの暗号化されていないホステッドテレメトリを暗号化する、第２の通信保全モジュールと、
暗号化されたホストテレメトリをホスト受信アンテナへ送信するペイロードアンテナと、
暗号化されたホストテレメトリをホストＳＯＣへ送信するホスト受信アンテナと、
暗号化されたホステッドテレメトリをホステッド受信アンテナへ送信するペイロードアンテナと、
暗号化されたホステッドテレメトリをＨＯＣへ送信するホステッド受信アンテナと
を備えるシステム。
【０２７８】
３６．暗号化されていないホストコマンド又は暗号化されていないホステッドコマンドのうちの少なくとも１つに従ってペイロードを再構成することは、トランスポンダーの電力、トランスポンダーのスペクトル監視、トランスポンダーの接続性、トランスポンダーの利得設定、トランスポンダーのリミッタ設定、トランスポンダーの自動レベル制御設定、トランスポンダーの位相設定、内部利得発生、少なくとも１つのビームの帯域幅、少なくとも１つのビームのうちの少なくとも１つにおける少なくとも１つの周波数帯、トランスポンダーのビームフォーミング設定、少なくとも１つのビームのうちの少なくとも１つにおける実効輻射電力（ＥＩＲＰ）、トランスポンダーのチャネル、又はビームステアリングのうちの少なくとも１つを調節することを含む、条項３５に記載のシステム。
【０２７９】
３７．暗号化されていないホストコマンド又は暗号化されていないホステッドコマンドのうちの少なくとも１つに従ってペイロードを再構成することは、少なくとも１つのアンテナ、少なくとも１つのアナログデジタル変換器、少なくとも１つのデジタルアナログ変換器、少なくとも１つのビームフォーマー、少なくとも１つのデジタルチャネライザ、少なくとも１つの復調器、少なくとも１つの変調器、少なくとも１つのデジタルスイッチマトリックス、少なくとも１つのデジタル結合器、又は少なくとも１つのアナログスイッチマトリックスのうちの少なくとも１つを再構成することを含む、条項３５又は３６に記載のシステム。
【０２８０】
３８．ビークルは飛行ビークルである、条項３５から３７のいずれか一項に記載のシステム。
【０２８１】
３９．飛行ビークルは、衛星、航空機、無人航空機（ＵＡＶ）、又は宇宙往還機のうちの１つである、条項３８に記載のシステム。
【０２８２】
４０．帯域内テレメトリを用いた仮想トランスポンダーのためのシステムであって、
暗号化されたホステッドコマンドをホスト宇宙船オペレーションセンター（ＳＯＣ）へ送信するホステッドペイロード（ＨｏＰ）オペレーションセンター（ＨＯＣ）と、
暗号化されたホストコマンドと暗号化されたホステッドコマンドをビークルへ送信するホストＳＯＣと、
暗号化されていないホストコマンドを生成するために、第１の通信保全（ＣＯＭＳＥＣ）多様性を用いて、暗号化されたホストコマンドを復号する、ビークルの第１の通信保全モジュールと、
暗号化されていないホステッドコマンドを生成するために、第２のＣＯＭＳＥＣ多様性を用いて、暗号化されたホステッドコマンドを復号する、ビークルの第２の通信保全モジュールと、
暗号化されていないホストコマンド又は暗号化されていないホステッドコマンドのうちの少なくとも１つに従って再構成される、ビークルのペイロードと、
ペイロードデータをホスト受信アンテナ又はホステッド受信アンテナのうちの少なくとも１つへ送信する、ビークルのペイロードアンテナと、
暗号化されたテレメトリを生成するために、第１のＣＯＭＳＥＣ多様性を用いることによって、ペイロードからの暗号化されていないテレメトリを暗号化する、第１の通信保全モジュールと、
暗号化されたテレメトリをホスト受信アンテナへ送信するペイロードアンテナと、
暗号化されたテレメトリをホストＳＯＣへ送信するホスト受信アンテナと、
暗号化されたテレメトリをホステッド受信アンテナへ送信するペイロードアンテナと、
暗号化されたテレメトリをＨＯＣへ送信するホステッド受信アンテナと
を備えるシステム。
【０２８３】
４１．帯域内テレメトリを用いた仮想トランスポンダーのための方法であって、
ホステッドペイロード（ＨｏＰ）オペレーションセンター（ＨＯＣ）によって、暗号化されたホステッドコマンドをホスト宇宙船オペレーションセンター（ＳＯＣ）へ送信することと、
ホストＳＯＣによって、暗号化されたホストコマンドと、暗号化されたホステッドコマンドとをビークルへ送信することであって、暗号化されたホストコマンドが第１の通信保全（ＣＯＭＳＥＣ）多様性を用いて暗号化され、暗号化されたホステッドコマンドが第２のＣＯＭＳＥＣ多様性を用いて暗号化される、送信することと、
暗号化されていないホストコマンドを生成するために、ビークルの第１の通信保全モジュールによって、第１のＣＯＭＳＥＣ多様性を用いて暗号化されたホストコマンドを復号することと、
暗号化されていないホステッドコマンドを生成するために、ビークルの第２の通信保全モジュールによって、第２のＣＯＭＳＥＣ多様性を用いて、暗号化されたホストコマンドを復号することと、
暗号化されていないホストコマンド又は暗号化されていないホステッドコマンドのうちの少なくとも１つに従って、ビークルのペイロードを再構成することと、
ビークルのペイロードアンテナによって、ペイロードデータを、ホスト受信アンテナ又はホステッド受信アンテナのうちの少なくとも１つへ送信することと、
暗号化されたホストテレメトリを生成するために、第１の通信保全モジュールによって、第１のＣＯＭＳＥＣ多様性を用いることによってペイロードからの暗号化されていないホストテレメトリを暗号化することと、
暗号化されたホステッドテレメトリを生成するために、第２の通信保全モジュールによって、第２のＣＯＭＳＥＣ多様性を用いることによってペイロードからの暗号化されていないホステッドテレメトリを暗号化することと、
ビークルのホストテレメトリ送信器によって、暗号化されたホストテレメトリをホストＳＯＣへ送信することと、
ペイロードアンテナによって、暗号化されたホステッドテレメトリをホスト受信アンテナへ送信することと、
ホスト受信アンテナによって、暗号化されたホステッドテレメトリをホストＳＯＣへ送信することと、
ホストＳＯＣによって、暗号化されたホステッドテレメトリをＨＯＣへ送信することと
を含む方法。
【０２８４】
４２．帯域内テレメトリを用いた仮想トランスポンダーのための方法であって、
ホステッドペイロード（ＨｏＰ）オペレーションセンター（ＨＯＣ）によって、暗号化されたホステッドコマンドをホスト宇宙船オペレーションセンター（ＳＯＣ）へ送信することと、
ホストＳＯＣによって、暗号化されたホストコマンドと、暗号化されたホステッドコマンドとをビークルへ送信することであって、暗号化されたホストコマンドが第１の通信保全（ＣＯＭＳＥＣ）多様性を用いて暗号化され、暗号化されたホステッドコマンドが第２のＣＯＭＳＥＣ多様性を用いて暗号化される、送信することと、
暗号化されていないホストコマンドを生成するために、ビークルの第１の通信保全モジュールによって第１のＣＯＭＳＥＣ多様性を用いて、暗号化されたホストコマンドを復号することと、
暗号化されていないホステッドコマンドを生成するために、ビークルの第２の通信保全モジュールによって第２のＣＯＭＳＥＣ多様性を用いて、暗号化されたホステッドコマンドを復号することと、
暗号化されていないホストコマンド又は暗号化されていないホステッドコマンドのうちの少なくとも１つに従って、ビークルのペイロードを再構成することと、
ビークルのペイロードアンテナによって、ペイロードデータを、ホスト受信アンテナ又はホステッド受信アンテナのうちの少なくとも１つへ送信することと、
暗号化されたホストテレメトリを生成するために、第１の通信保全モジュールによって、第１のＣＯＭＳＥＣ多様性を用いることによってペイロードからの暗号化されていないホストテレメトリを暗号化することと、
暗号化されたホステッドテレメトリを生成するために、第２の通信保全モジュールによって、第２のＣＯＭＳＥＣ多様性を用いることによってペイロードからの暗号化されていないホステッドテレメトリを暗号化することと、
ペイロードアンテナによって、暗号化されたホストテレメトリと暗号化されたホステッドテレメトリをホスト受信アンテナへ送信することと、
ホスト受信アンテナによって、暗号化されたホストテレメトリと暗号化されたホステッドテレメトリをホストＳＯＣへ送信することと、
ホストＳＯＣによって、暗号化されたホステッドテレメトリをＨＯＣへ送信することと
を含む方法。
【０２８５】
４３．帯域内テレメトリを用いた仮想トランスポンダーのための方法であって、
ホステッドペイロード（ＨｏＰ）オペレーションセンター（ＨＯＣ）によって、暗号化されたホステッドコマンドをホスト宇宙船オペレーションセンター（ＳＯＣ）へ送信することと、
ホストＳＯＣによって、暗号化されたホストコマンドと、暗号化されたホステッドコマンドとをビークルへ送信することと、
暗号化されていないホストコマンドを生成するために、ビークルの第１の通信保全モジュールによって、第１の通信保全（ＣＯＭＳＥＣ）多様性を用いて、暗号化されたホストコマンドを復号することと、
暗号化されていないホステッドコマンドを生成するために、第２の通信保全モジュールによって、第２のＣＯＭＳＥＣ多様性を用いて、暗号化されたホステッドコマンドを復号することと、
暗号化されていないホストコマンド又は暗号化されていないホステッドコマンドのうちの少なくとも１つに従って、ペイロードを再構成することと、
ビークルのペイロードアンテナによって、ペイロードデータを、ホスト受信アンテナ又はホステッド受信アンテナのうちの少なくとも１つへ送信することと、
暗号化されたホストテレメトリを生成するために、第１の通信保全モジュールによって、第１のＣＯＭＳＥＣ多様性を用いることによって、暗号化されていないテレメトリを暗号化することと、
ペイロードアンテナによって、暗号化されたテレメトリをホスト受信アンテナへ送信することと、
ホスト受信アンテナによって、暗号化されたテレメトリをホストＳＯＣへ送信することと、
ホストＳＯＣによって、暗号化されたテレメトリをＨＯＣへ送信することと
を含む方法。
【０２８６】
４４．帯域内テレメトリを用いた仮想トランスポンダーのためのシステムであって、
暗号化されたホステッドコマンドをホスト宇宙船オペレーションセンター（ＳＯＣ）へ送信するホステッドペイロード（ＨｏＰ）オペレーションセンター（ＨＯＣ）と、
暗号化されたホストコマンドと暗号化されたホステッドコマンドをビークルへ送信するホストＳＯＣであって、暗号化されたホストコマンドは、第１の通信保全（ＣＯＭＳＥＣ）多様性を用いて暗号化され、暗号化されたホステッドコマンドは、第２のＣＯＭＳＥＣ多様性を用いて暗号化される、ホストＳＯＣと、
暗号化されていないホストコマンドを生成するために、第１のＣＯＭＳＥＣ多様性を用いて、暗号化されたホストコマンドを復号する、ビークルの第１の通信保全モジュールと、
暗号化されていないホステッドコマンドを生成するために、第２のＣＯＭＳＥＣ多様性を用いて、暗号化されたホステッドコマンドを復号する、ビークルの第２の通信保全モジュールと、
暗号化されていないホストコマンド又は暗号化されていないホステッドコマンドのうちの少なくとも１つに従って再構成される、ビークルのペイロードと、
ペイロードデータをホスト受信アンテナ又はホステッド受信アンテナのうちの少なくとも１つへ送信する、ビークルのペイロードアンテナと、
暗号化されたホストテレメトリを生成するために、第１のＣＯＭＳＥＣ多様性を用いることによって、ペイロードからの暗号化されていないホストテレメトリを暗号化する、第１の通信保全モジュールと、
暗号化されたホステッドテレメトリを生成するために、第２のＣＯＭＳＥＣ多様性を用いることによって、ペイロードからの暗号化されていないホステッドテレメトリを暗号化する、第２の通信保全モジュールと、
暗号化されたホストテレメトリをホストＳＯＣへ送信するビークルのホストテレメトリ送信器と、
暗号化されたホステッドテレメトリをホスト受信アンテナへ送信するペイロードアンテナと、
暗号化されたホステッドテレメトリをホストＳＯＣへ送信する、ホスト受信アンテナと、
暗号化されたホステッドテレメトリをＨＯＣへ送信するホストＳＯＣと
を備えるシステム。
【０２８７】
４５．帯域内テレメトリを用いた仮想トランスポンダーのためのシステムであって、
暗号化されたホステッドコマンドをホスト宇宙船オペレーションセンター（ＳＯＣ）へ送信するホステッドペイロード（ＨｏＰ）オペレーションセンター（ＨＯＣ）と、
暗号化されたホストコマンドと暗号化されたホステッドコマンドをビークルへ送信するホストＳＯＣであって、暗号化されたホストコマンドは、第１の通信保全（ＣＯＭＳＥＣ）多様性を用いて暗号化され、暗号化されたホステッドコマンドは、第２のＣＯＭＳＥＣ多様性を用いて暗号化される、ホストＳＯＣと、
暗号化されていないホストコマンドを生成するために、第１のＣＯＭＳＥＣ多様性を用いて、暗号化されたホストコマンドを復号する、ビークルの第１の通信保全モジュールと、
暗号化されていないホステッドコマンドを生成するために、第２のＣＯＭＳＥＣ多様性を用いて、暗号化されたホステッドコマンドを復号する、ビークルの第２の通信保全モジュールと、
暗号化されていないホストコマンド又は暗号化されていないホステッドコマンドのうちの少なくとも１つに従って再構成される、ビークルのペイロードと、
ペイロードデータをホスト受信アンテナ又はホステッド受信アンテナのうちの少なくとも１つへ送信する、ビークルのペイロードアンテナと、
暗号化されたホストテレメトリを生成するために、第１のＣＯＭＳＥＣ多様性を用いることによって、ペイロードからの暗号化されていないホストテレメトリを暗号化する、第１の通信保全モジュールと、
暗号化されたホステッドテレメトリを生成するために、第２のＣＯＭＳＥＣ多様性を用いることによって、ペイロードからの暗号化されていないホステッドテレメトリを暗号化する、第２の通信保全モジュールと、
暗号化されたホストテレメトリと暗号化されたホステッドテレメトリとをホスト受信アンテナへ送信するペイロードアンテナと、
暗号化されたホストテレメトリと暗号化されたホステッドテレメトリとをホストＳＯＣへ送信するホスト受信アンテナと、
暗号化されたホステッドテレメトリをＨＯＣへ送信するホストＳＯＣと
を備えるシステム。
【０２８８】
４６．帯域内テレメトリを用いた仮想トランスポンダーのためのシステムであって、
暗号化されたホステッドコマンドをホスト宇宙船オペレーションセンター（ＳＯＣ）へ送信するホステッドペイロード（ＨｏＰ）オペレーションセンター（ＨＯＣ）と、
暗号化されたホストコマンドと暗号化されたホステッドコマンドをビークルへ送信するホストＳＯＣと、
暗号化されていないホストコマンドを生成するために、第１の通信保全（ＣＯＭＳＥＣ）多様性を用いて、暗号化されたホストコマンドを復号する、第１の通信保全モジュールと、
暗号化されていないホステッドコマンドを生成するために、第２のＣＯＭＳＥＣ多様性を用いて、暗号化されたホステッドコマンドを復号する、ビークルの第２の通信保全モジュールと、
暗号化されていないホストコマンド又は暗号化されていないホステッドコマンドのうちの少なくとも１つに従って再構成される、ビークルのペイロードと、
ペイロードデータをホスト受信アンテナ又はホステッド受信アンテナのうちの少なくとも１つへ送信する、ビークルのペイロードアンテナと、
暗号化されたテレメトリを生成するために、第１のＣＯＭＳＥＣ多様性を用いることによって、ペイロードからの暗号化されていないテレメトリを暗号化する、第１の通信保全モジュールと、
暗号化されたテレメトリをホスト受信アンテナへ送信するペイロードアンテナと、
暗号化されたテレメトリをホストＳＯＣへ送信するホスト受信アンテナと、
暗号化されたテレメトリをＨＯＣへ送信するホストＳＯＣと
を備えるシステム。
【０２８９】
４７．暗号化されていないホストコマンド又は暗号化されていないホステッドコマンドのうちの少なくとも１つに従ってペイロードを再構成することは、トランスポンダーの電力、トランスポンダーのスペクトル監視、トランスポンダーの接続性、トランスポンダーの利得設定、トランスポンダーのリミッタ設定、トランスポンダーの自動レベル制御設定、トランスポンダーの位相設定、内部利得発生、少なくとも１つのビームの帯域幅、少なくとも１つのビームのうちの少なくとも１つにおける少なくとも１つの周波数帯、トランスポンダーのビームフォーミング設定、少なくとも１つのビームのうちの少なくとも１つにおける実効輻射電力（ＥＩＲＰ）、トランスポンダーのチャネル、又はビームステアリングのうちの少なくとも１つを調節することを含む、条項４６に記載のシステム。
【０２９０】
特定の実施形態を示し説明したが、上記の説明はこれらの実施形態の範囲を制限することを意図しないことを理解すべきである。本発明の多数の態様の実施形態及び変形例が本書に開示され記載されているが、上記開示内容は、説明及び例示の目的のみに提供されるものである。したがって、請求項の範囲から逸脱することなく、さまざまな変更及び修正を行うことが可能である。
【０２９１】
上述した方法では、特定の事象が特定の順序で起こるように示したが、この開示内容の恩恵を受ける当業者は、順序が変更可能であり、そのような変更は本開示の変形例によるものであることを認識するであろう。加えて、可能な場合には、方法の一部分を並行プロセスにおいて同時に実施するだけでなく、連続的に実施することが可能である。加えて、方法の大部分あるいはより少ない部分を実施することが可能である。
【０２９２】
したがって実施形態は、特許請求の範囲内に包含される代替例、修正例、及び等価物を例示することを意図している。
【０２９３】
特定の例示的実施形態及び方法を本明細書中に開示したが、前述の開示内容から、当業者には、本開示の精神及び範囲から逸脱することなく、このような実施形態及び方法に変更及び修正を加えることが可能であることは明らかであろう。その他多数の本開示の実施例があり、各実施例はその詳細事項においてのみ他と異なる。したがって本開示は、特許請求の範囲及び適用法の規則及び原理によって必要とされる範囲にのみ制限されるものとする。
【図１】
2018186489.tif 000003
【図２Ａ】
2018186489.tif 000004
【図２Ｂ】
2018186489.tif 000005
【図３Ａ】
2018186489.tif 000006
【図３Ｂ】
2018186489.tif 000007
【図３Ｃ】
2018186489.tif 000008
【図３Ｄ】
2018186489.tif 000009
【図３Ｅ】
2018186489.tif 000010
【図３Ｆ】
2018186489.tif 000011
【図３Ｇ】
2018186489.tif 000012
【図３Ｈ】
2018186489.tif 000013
【図４】
2018186489.tif 000014
【図５Ａ】
2018186489.tif 000015
【図５Ｂ】
2018186489.tif 000016
【図５Ｃ】
2018186489.tif 000017
【図５Ｄ】
2018186489.tif 000018
【図６Ａ】
2018186489.tif 000019
【図６Ｂ】
2018186489.tif 000020
【図７Ａ】
2018186489.tif 000021
【図７Ｂ】
2018186489.tif 000022
【図７Ｃ】
2018186489.tif 000023
【図７Ｄ】
2018186489.tif 000024
【図７Ｅ】
2018186489.tif 000025
【図７Ｆ】
2018186489.tif 000026
【図７Ｇ】
2018186489.tif 000027
【図７Ｈ】
2018186489.tif 000028
【図８Ａ】
2018186489.tif 000029
【図８Ｂ】
2018186489.tif 000030
【図９Ａ】
2018186489.tif 000031
【図９Ｂ】
2018186489.tif 000032
【図９Ｃ】
2018186489.tif 000033
【図９Ｄ】
2018186489.tif 000034
【図９Ｅ】
2018186489.tif 000035
【図９Ｆ】
2018186489.tif 000036
【図９Ｇ】
2018186489.tif 000037
【図９Ｈ】
2018186489.tif 000038
【図１０】
2018186489.tif 000039
【図１１】
2018186489.tif 000040
【図１２】
2018186489.tif 000041
【図１３】
2018186489.tif 000042
【図１４】
2018186489.tif 000043
【図１５Ａ】
2018186489.tif 000044
【図１５Ｂ】
2018186489.tif 000045
【図１６】
2018186489.tif 000046
【図１７】
2018186489.tif 000047
【図１８】
2018186489.tif 000048
【図１９】
2018186489.tif 000049
【外国語明細書】
2018186489000001.pdf
2018186489000002.pdf
2018186489000003.pdf
2018186489000004.pdf